(57)【要約】【課題】既存ロケットエンジンは重力慣性力も重力加速度も利用しない容積利用で、最適速度×大質量＝大仕事能力を１／６００仮説出力等に低減を、重力利用に改善。【解決手段】各種ロケットエンジン燃焼部を縮径主燃焼室兼熱交換器に具備して限り無く高圧燃焼熱交換長時間冷却燃焼により燃焼ガス熱量＋燃焼ガス質量に分割して、過熱蒸気爆発力＋燃焼ガス爆発力に変換し、過熱蒸気噴射ノズルの過熱蒸気爆発力と霧吹きの原理＋燃焼ガス噴射ノズルの燃焼ガス爆発力と霧吹きの原理で、１以上の水を混合噴射加速して大気圧重力仕事能力を燃焼ガスの１０００倍×６０倍＝６００００倍に近付け、仮説噴射推進出力を既存ロケットエンジンの６００倍に増大し、一段ロケットにより宇宙往還を可能にして、消耗品の皆無を狙うロケットエンジン合体機関にします。【選択図】図１
2005146850.tif 000002
【特許請求の範囲】
【請求項１】
縮径主燃焼室兼熱交換器（１）を具備したロケットエンジン合体機関。
【請求項２】
縮径主燃焼室兼熱交換器（１）を具備して高圧燃焼熱交換冷却燃焼するロケットエンジン合体機関。
【請求項３】
縮径主燃焼室兼熱交換器（１）を具備して高圧燃焼熱交換冷却燃焼して燃焼ガス爆発速度×質量を増大するロケットエンジン合体機関。
【請求項４】
縮径主燃焼室兼熱交換器（１）を具備して高圧燃焼熱交換冷却燃焼して過熱蒸気爆発力＋燃焼ガス爆発力に分割するロケットエンジン合体機関。
【請求項５】
縮径主燃焼室兼熱交換器（１）を具備して高圧燃焼熱交換冷却燃焼して過熱蒸気爆発力＋燃焼ガス爆発力に分割して燃焼ガス爆発速度×質量を増大するロケットエンジン合体機関。
【請求項６】
縮径主燃焼室兼熱交換器（１）を具備して高圧燃焼熱交換冷却燃焼して過熱蒸気爆発力＋燃焼ガス爆発力に分割して燃焼ガス爆発速度×質量を増大して過熱蒸気爆発力を＋するロケットエンジン合体機関。
【請求項７】
縮径主燃焼室兼熱交換器（１）を具備して高圧燃焼熱交換冷却燃焼して過熱蒸気爆発力＋燃焼ガス爆発力に分割して燃焼ガス爆発力により高温水（５２ｂ）を噴射するロケットエンジン合体機関。
【請求項８】
縮径主燃焼室兼熱交換器（１）を具備して高圧燃焼熱交換冷却燃焼して過熱蒸気爆発力＋燃焼ガス爆発力に分割して過熱蒸気爆発力により高温水（５２ｂ）を噴射するロケットエンジン合体機関。
【請求項９】
縮径主燃焼室兼熱交換器（１）を具備して高圧燃焼熱交換冷却燃焼して過熱蒸気爆発力＋燃焼ガス爆発力に分割して過熱蒸気爆発力と燃焼ガス爆発力により高温水（５２ｂ）を噴射するロケットエンジン合体機関。
【請求項１０】
縮径主燃焼室兼熱交換器（１）を具備して高圧燃焼熱交換冷却燃焼して過熱蒸気爆発力＋燃焼ガス爆発力に分割して燃焼ガス爆発力と燃焼ガス噴射ノズル（６Ｃ）により高温水（５２ｂ）を噴射するロケットエンジン合体機関。
【請求項１１】
縮径主燃焼室兼熱交換器（１）を具備して高圧燃焼熱交換冷却燃焼して過熱蒸気爆発力＋燃焼ガス爆発力に分割して燃焼ガス爆発力と燃焼ガス噴射ノズル（６Ｄ）により高温水（５２ｂ）を噴射するロケットエンジン合体機関。
【請求項１２】
縮径主燃焼室兼熱交換器（１）を具備して高圧燃焼熱交換冷却燃焼して過熱蒸気爆発力＋燃焼ガス爆発力に分割して過熱蒸気爆発力と過熱蒸気噴射ノズル（６Ａ）により高温水（５２ｂ）を噴射するロケットエンジン合体機関。
【請求項１３】
縮径主燃焼室兼熱交換器（１）を具備して高圧燃焼熱交換冷却燃焼して過熱蒸気爆発力＋燃焼ガス爆発力に分割して過熱蒸気爆発力と過熱蒸気噴射ノズル（６Ｂ）により高温水（５２ｂ）を噴射するロケットエンジン合体機関。
【請求項１４】
縮径主燃焼室兼熱交換器（１）を具備して高圧燃焼熱交換冷却燃焼して過熱蒸気爆発力＋燃焼ガス爆発力に分割して過熱蒸気爆発力と燃焼ガス爆発力で燃焼ガス噴射ノズル（６Ｃ）と過熱蒸気噴射ノズル（６Ａ）により高温水（５２ｂ）を噴射するロケットエンジン合体機関。
【請求項１５】
縮径主燃焼室兼熱交換器（１）を具備して高圧燃焼熱交換冷却燃焼して過熱蒸気爆発力＋燃焼ガス爆発力に分割して過熱蒸気爆発力と燃焼ガス爆発力で燃焼ガス噴射ノズル（６Ｄ）と過熱蒸気噴射ノズル（６Ｂ）により高温水（５２ｂ）を噴射するロケットエンジン合体機関。
【請求項１６】
縮径主燃焼室兼熱交換器（１）を具備して高圧燃焼熱交換冷却燃焼して過熱蒸気爆発力＋燃焼ガス爆発力に分割して燃焼ガス爆発力と霧吹きの原理で燃焼ガス噴射ノズル（６Ｃ）により高温水（５２ｂ）を噴射するロケットエンジン合体機関。
【請求項１７】
縮径主燃焼室兼熱交換器（１）を具備して高圧燃焼熱交換冷却燃焼して過熱蒸気爆発力＋燃焼ガス爆発力に分割して燃焼ガス爆発力と霧吹きの原理で燃焼ガス噴射ノズル（６Ｄ）により高温水（５２ｂ）を噴射するロケットエンジン合体機関。
【請求項１８】
縮径主燃焼室兼熱交換器（１）を具備して高圧燃焼熱交換冷却燃焼して過熱蒸気爆発力＋燃焼ガス爆発力に分割して過熱蒸気爆発力と霧吹きの原理で過熱蒸気噴射ノズル（６Ａ）により高温水（５２ｂ）を噴射するロケットエンジン合体機関。
【請求項１９】
縮径主燃焼室兼熱交換器（１）を具備して高圧燃焼熱交換冷却燃焼して過熱蒸気爆発力＋燃焼ガス爆発力に分割して過熱蒸気爆発力と霧吹きの原理で過熱蒸気噴射ノズル（６Ｂ）により高温水（５２ｂ）を噴射するロケットエンジン合体機関。
【請求項２０】
縮径主燃焼室兼熱交換器（１）を具備して高圧燃焼熱交換冷却燃焼して過熱蒸気爆発力＋燃焼ガス爆発力に分割して過熱蒸気爆発力と燃焼ガス爆発力と霧吹きの原理で燃焼ガス噴射ノズル（６Ｃ）と過熱蒸気噴射ノズル（６Ａ）により高温水（５２ｂ）を噴射するロケットエンジン合体機関。
【請求項２１】
縮径主燃焼室兼熱交換器（１）を具備して高圧燃焼熱交換冷却燃焼して過熱蒸気爆発力＋燃焼ガス爆発力に分割して過熱蒸気爆発力と燃焼ガス爆発力と霧吹きの原理で燃焼ガス噴射ノズル（６Ｄ）と過熱蒸気噴射ノズル（６Ｂ）により高温水（５２ｂ）を噴射するロケットエンジン合体機関。
【請求項２２】
縮径主燃焼室兼熱交換器（１）を具備して高圧燃焼熱交換冷却燃焼して過熱蒸気爆発力＋燃焼ガス爆発力に分割して燃焼ガス爆発力により高温水（５２ｂ）を噴射して大気圧重力仕事率を燃焼ガスの１０００倍に近付けるロケットエンジン合体機関。
【請求項２３】
縮径主燃焼室兼熱交換器（１）を具備して高圧燃焼熱交換冷却燃焼して過熱蒸気爆発力＋燃焼ガス爆発力に分割して過熱蒸気爆発力により高温水（５２ｂ）を噴射して大気圧重力仕事率を燃焼ガスの１０００倍に近付けるロケットエンジン合体機関。
【請求項２４】
縮径主燃焼室兼熱交換器（１）を具備して高圧燃焼熱交換冷却燃焼して過熱蒸気爆発力＋燃焼ガス爆発力に分割して過熱蒸気爆発力と燃焼ガス爆発力により高温水（５２ｂ）を噴射して大気圧重力仕事率を燃焼ガスの１０００倍に近付けるロケットエンジン合体機関。
【請求項２５】
縮径主燃焼室兼熱交換器（１）を具備して高圧燃焼熱交換冷却燃焼して過熱蒸気爆発力＋燃焼ガス爆発力に分割して燃焼ガス爆発力と燃焼ガス噴射ノズル（６Ｃ）により高温水（５２ｂ）を噴射して大気圧重力仕事率を燃焼ガスの１０００倍に近付けるロケットエンジン合体機関。
【請求項２６】
縮径主燃焼室兼熱交換器（１）を具備して高圧燃焼熱交換冷却燃焼して過熱蒸気爆発力＋燃焼ガス爆発力に分割して燃焼ガス爆発力と燃焼ガス噴射ノズル（６Ｄ）により高温水（５２ｂ）を噴射して大気圧重力仕事率を燃焼ガスの１０００倍に近付けるロケットエンジン合体機関。
【請求項２７】
縮径主燃焼室兼熱交換器（１）を具備して高圧燃焼熱交換冷却燃焼して過熱蒸気爆発力＋燃焼ガス爆発力に分割して過熱蒸気爆発力と過熱蒸気噴射ノズル（６Ａ）により高温水（５２ｂ）を噴射して大気圧重力仕事率を燃焼ガスの１０００倍に近付けるロケットエンジン合体機関。
【請求項２８】
縮径主燃焼室兼熱交換器（１）を具備して高圧燃焼熱交換冷却燃焼して過熱蒸気爆発力＋燃焼ガス爆発力に分割して過熱蒸気爆発力と過熱蒸気噴射ノズル（６Ｂ）により高温水（５２ｂ）を噴射して大気圧重力仕事率を燃焼ガスの１０００倍に近付けるロケットエンジン合体機関。
【請求項２９】
縮径主燃焼室兼熱交換器（１）を具備して高圧燃焼熱交換冷却燃焼して過熱蒸気爆発力＋燃焼ガス爆発力に分割して過熱蒸気爆発力と燃焼ガス爆発力で燃焼ガス噴射ノズル（６Ｃ）と過熱蒸気噴射ノズル（６Ａ）により高温水（５２ｂ）を噴射して大気圧重力仕事率を燃焼ガスの１０００倍に近付けるロケットエンジン合体機関。
【請求項３０】
縮径主燃焼室兼熱交換器（１）を具備して高圧燃焼熱交換冷却燃焼して過熱蒸気爆発力＋燃焼ガス爆発力に分割して過熱蒸気爆発力と燃焼ガス爆発力で燃焼ガス噴射ノズル（６Ｄ）と過熱蒸気噴射ノズル（６Ｂ）により高温水（５２ｂ）を噴射して大気圧重力仕事率を燃焼ガスの１０００倍に近付けるロケットエンジン合体機関。
【請求項３１】
縮径主燃焼室兼熱交換器（１）を具備して高圧燃焼熱交換冷却燃焼して過熱蒸気爆発力＋燃焼ガス爆発力に分割して燃焼ガス爆発力と霧吹きの原理で燃焼ガス噴射ノズル（６Ｃ）により高温水（５２ｂ）を噴射して大気圧重力仕事率を燃焼ガスの１０００倍に近付けるロケットエンジン合体機関。
【請求項３２】
縮径主燃焼室兼熱交換器（１）を具備して高圧燃焼熱交換冷却燃焼して過熱蒸気爆発力＋燃焼ガス爆発力に分割して燃焼ガス爆発力と霧吹きの原理で燃焼ガス噴射ノズル（６Ｄ）により高温水（５２ｂ）を噴射して大気圧重力仕事率を燃焼ガスの１０００倍に近付けるロケットエンジン合体機関。
【請求項３３】
縮径主燃焼室兼熱交換器（１）を具備して高圧燃焼熱交換冷却燃焼して過熱蒸気爆発力＋燃焼ガス爆発力に分割して過熱蒸気爆発力と霧吹きの原理で過熱蒸気噴射ノズル（６Ａ）により高温水（５２ｂ）を噴射して大気圧重力仕事率を燃焼ガスの１０００倍に近付けるロケットエンジン合体機関。
【請求項３４】
縮径主燃焼室兼熱交換器（１）を具備して高圧燃焼熱交換冷却燃焼して過熱蒸気爆発力＋燃焼ガス爆発力に分割して過熱蒸気爆発力と霧吹きの原理で過熱蒸気噴射ノズル（６Ｂ）により高温水（５２ｂ）を噴射して大気圧重力仕事率を燃焼ガスの１０００倍に近付けるロケットエンジン合体機関。
【請求項３５】
縮径主燃焼室兼熱交換器（１）を具備して高圧燃焼熱交換冷却燃焼して過熱蒸気爆発力＋燃焼ガス爆発力に分割して過熱蒸気爆発力と燃焼ガス爆発力と霧吹きの原理で燃焼ガス噴射ノズル（６Ｃ）と過熱蒸気噴射ノズル（６Ａ）により高温水（５２ｂ）を噴射して大気圧重力仕事率を燃焼ガスの１０００倍に近付けるロケットエンジン合体機関。
【請求項３６】
縮径主燃焼室兼熱交換器（１）を具備して高圧燃焼熱交換冷却燃焼して過熱蒸気爆発力＋燃焼ガス爆発力に分割して過熱蒸気爆発力と燃焼ガス爆発力と霧吹きの原理で燃焼ガス噴射ノズル（６Ｄ）と過熱蒸気噴射ノズル（６Ｂ）により高温水（５２ｂ）を噴射して大気圧重力仕事率を燃焼ガスの１０００倍に近付けるロケットエンジン合体機関。
【請求項３７】
縮径主燃焼室兼熱交換器（１）を具備して高圧燃焼熱交換冷却燃焼して過熱蒸気爆発力＋燃焼ガス爆発力に分割して燃焼ガス爆発力により高温水（５２ｂ）を噴射して大気圧重力仕事能力を燃焼ガスの６００００倍に近付けるロケットエンジン合体機関。
【請求項３８】
縮径主燃焼室兼熱交換器（１）を具備して高圧燃焼熱交換冷却燃焼して過熱蒸気爆発力＋燃焼ガス爆発力に分割して過熱蒸気爆発力により高温水（５２ｂ）を噴射して大気圧重力仕事能力を燃焼ガスの６００００倍に近付けるロケットエンジン合体機関。
【請求項３９】
縮径主燃焼室兼熱交換器（１）を具備して高圧燃焼熱交換冷却燃焼して過熱蒸気爆発力＋燃焼ガス爆発力に分割して過熱蒸気爆発力と燃焼ガス爆発力により高温水（５２ｂ）を噴射して大気圧重力仕事能力を燃焼ガスの６００００倍に近付けるロケットエンジン合体機関。
【請求項４０】
縮径主燃焼室兼熱交換器（１）を具備して高圧燃焼熱交換冷却燃焼して過熱蒸気爆発力＋燃焼ガス爆発力に分割して燃焼ガス爆発力と燃焼ガス噴射ノズル（６Ｃ）により高温水（５２ｂ）を噴射して大気圧重力仕事能力を燃焼ガスの６００００倍に近付けるロケットエンジン合体機関。
【請求項４１】
縮径主燃焼室兼熱交換器（１）を具備して高圧燃焼熱交換冷却燃焼して過熱蒸気爆発力＋燃焼ガス爆発力に分割して燃焼ガス爆発力と燃焼ガス噴射ノズル（６Ｄ）により高温水（５２ｂ）を噴射して大気圧重力仕事能力を燃焼ガスの６００００倍に近付けるロケットエンジン合体機関。
【請求項４２】
縮径主燃焼室兼熱交換器（１）を具備して高圧燃焼熱交換冷却燃焼して過熱蒸気爆発力＋燃焼ガス爆発力に分割して過熱蒸気爆発力と過熱蒸気噴射ノズル（６Ａ）により高温水（５２ｂ）を噴射して大気圧重力仕事能力を燃焼ガスの６００００倍に近付けるロケットエンジン合体機関。
【請求項４３】
縮径主燃焼室兼熱交換器（１）を具備して高圧燃焼熱交換冷却燃焼して過熱蒸気爆発力＋燃焼ガス爆発力に分割して過熱蒸気爆発力と過熱蒸気噴射ノズル（６Ｂ）により高温水（５２ｂ）を噴射して大気圧重力仕事能力を燃焼ガスの６００００倍に近付けるロケットエンジン合体機関。
【請求項４４】
縮径主燃焼室兼熱交換器（１）を具備して高圧燃焼熱交換冷却燃焼して過熱蒸気爆発力＋燃焼ガス爆発力に分割して過熱蒸気爆発力と燃焼ガス爆発力で燃焼ガス噴射ノズル（６Ｃ）と過熱蒸気噴射ノズル（６Ａ）により高温水（５２ｂ）を噴射して大気圧重力仕事能力を燃焼ガスの６００００倍に近付けるロケットエンジン合体機関。
【請求項４５】
縮径主燃焼室兼熱交換器（１）を具備して高圧燃焼熱交換冷却燃焼して過熱蒸気爆発力＋燃焼ガス爆発力に分割して過熱蒸気爆発力と燃焼ガス爆発力で燃焼ガス噴射ノズル（６Ｄ）と過熱蒸気噴射ノズル（６Ｂ）により高温水（５２ｂ）を噴射して大気圧重力仕事能力を燃焼ガスの６００００倍に近付けるロケットエンジン合体機関。
【請求項４６】
縮径主燃焼室兼熱交換器（１）を具備して高圧燃焼熱交換冷却燃焼して過熱蒸気爆発力＋燃焼ガス爆発力に分割して燃焼ガス爆発力と霧吹きの原理で燃焼ガス噴射ノズル（６Ｃ）により高温水（５２ｂ）を噴射して大気圧重力仕事能力を燃焼ガスの６００００倍に近付けるロケットエンジン合体機関。
【請求項４７】
縮径主燃焼室兼熱交換器（１）を具備して高圧燃焼熱交換冷却燃焼して過熱蒸気爆発力＋燃焼ガス爆発力に分割して燃焼ガス爆発力と霧吹きの原理で燃焼ガス噴射ノズル（６Ｄ）により高温水（５２ｂ）を噴射して大気圧重力仕事能力を燃焼ガスの６００００倍に近付けるロケットエンジン合体機関。
【請求項４８】
縮径主燃焼室兼熱交換器（１）を具備して高圧燃焼熱交換冷却燃焼して過熱蒸気爆発力＋燃焼ガス爆発力に分割して過熱蒸気爆発力と霧吹きの原理で過熱蒸気噴射ノズル（６Ａ）により高温水（５２ｂ）を噴射して大気圧重力仕事能力を燃焼ガスの６００００倍に近付けるロケットエンジン合体機関。
【請求項４９】
縮径主燃焼室兼熱交換器（１）を具備して高圧燃焼熱交換冷却燃焼して過熱蒸気爆発力＋燃焼ガス爆発力に分割して過熱蒸気爆発力と霧吹きの原理で過熱蒸気噴射ノズル（６Ｂ）により高温水（５２ｂ）を噴射して大気圧重力仕事能力を燃焼ガスの６００００倍に近付けるロケットエンジン合体機関。
【請求項５０】
縮径主燃焼室兼熱交換器（１）を具備して高圧燃焼熱交換冷却燃焼して過熱蒸気爆発力＋燃焼ガス爆発力に分割して過熱蒸気爆発力と燃焼ガス爆発力と霧吹きの原理で燃焼ガス噴射ノズル（６Ｃ）と過熱蒸気噴射ノズル（６Ａ）により高温水（５２ｂ）を噴射して大気圧重力仕事能力を燃焼ガスの６００００倍に近付けるロケットエンジン合体機関。
【請求項５１】
縮径主燃焼室兼熱交換器（１）を具備して高圧燃焼熱交換冷却燃焼して過熱蒸気爆発力＋燃焼ガス爆発力に分割して過熱蒸気爆発力と燃焼ガス爆発力と霧吹きの原理で燃焼ガス噴射ノズル（６Ｄ）と過熱蒸気噴射ノズル（６Ｂ）により高温水（５２ｂ）を噴射して大気圧重力仕事能力を燃焼ガスの６００００倍に近付けるロケットエンジン合体機関。
【請求項５２】
燃焼ガス噴射ノズル（６Ｃ）を具備したロケットエンジン合体機関。
【請求項５３】
燃焼ガス噴射ノズル（６Ｄ）を具備したロケットエンジン合体機関。
【請求項５４】
過熱蒸気噴射ノズル（６Ａ）を具備したロケットエンジン合体機関。
【請求項５５】
過熱蒸気噴射ノズル（６Ｂ）を具備したロケットエンジン合体機関。
【請求項５６】
燃焼ガス噴射ノズル（６Ｃ）を具備して高温水（５２ｂ）を積載したロケットエンジン合体機関。
【請求項５７】
燃焼ガス噴射ノズル（６Ｄ）を具備して高温水（５２ｂ）を積載したロケットエンジン合体機関。
【請求項５８】
過熱蒸気噴射ノズル（６Ａ）を具備して高温水（５２ｂ）を積載したロケットエンジン合体機関。
【請求項５９】
過熱蒸気噴射ノズル（６Ｂ）を具備して高温水（５２ｂ）を積載したロケットエンジン合体機関。
【請求項６０】
燃焼ガス噴射ノズル（６Ｃ）を具備して高温水（５２ｂ）を積載噴射して大気圧重力仕事率を燃焼ガスの１０００倍に近付けたロケットエンジン合体機関。
【請求項６１】
燃焼ガス噴射ノズル（６Ｄ）を具備して高温水（５２ｂ）を積載噴射して大気圧重力仕事率を燃焼ガスの１０００倍に近付けたロケットエンジン合体機関。
【請求項６２】
過熱蒸気噴射ノズル（６Ａ）を具備して高温水（５２ｂ）を積載噴射して大気圧重力仕事率を燃焼ガスの１０００倍に近付けたロケットエンジン合体機関。
【請求項６３】
過熱蒸気噴射ノズル（６Ｂ）を具備して高温水（５２ｂ）を積載噴射して大気圧重力仕事率を燃焼ガスの１０００倍に近付けたロケットエンジン合体機関。
【請求項６４】
燃焼ガス噴射ノズル（６Ｃ）を具備して高温水（５２ｂ）を積載噴射して大気圧重力仕事能力を燃焼ガスの６００００倍に近付けたロケットエンジン合体機関。
【請求項６５】
燃焼ガス噴射ノズル（６Ｄ）を具備して高温水（５２ｂ）を積載噴射して大気圧重力仕事能力を燃焼ガスの６００００倍に近付けたロケットエンジン合体機関。
【請求項６６】
過熱蒸気噴射ノズル（６Ａ）を具備して高温水（５２ｂ）を積載噴射して大気圧重力仕事能力を燃焼ガスの６００００倍に近付けたロケットエンジン合体機関。
【請求項６７】
過熱蒸気噴射ノズル（６Ｂ）を具備して高温水（５２ｂ）を積載噴射して大気圧重力仕事能力を燃焼ガスの６００００倍に近付けたロケットエンジン合体機関。
【請求項６８】
燃焼ガス噴射ノズル（６Ｃ）を具備して超臨界温度高温水（５２ｂ）を積載したロケットエンジン合体機関。
【請求項６９】
燃焼ガス噴射ノズル（６Ｄ）を具備して超臨界温度高温水（５２ｂ）を積載したロケットエンジン合体機関。
【請求項７０】
過熱蒸気噴射ノズル（６Ａ）を具備して超臨界温度高温水（５２ｂ）を積載したロケットエンジン合体機関。
【請求項７１】
過熱蒸気噴射ノズル（６Ｂ）を具備して超臨界温度高温水（５２ｂ）を積載したロケットエンジン合体機関。
【請求項７２】
燃焼ガス噴射ノズル（６Ｃ）を具備して超臨界温度高温水（５２ｂ）を積載噴射して大気圧重力仕事率を燃焼ガスの１０００倍に近付けたロケットエンジン合体機関。
【請求項７３】
燃焼ガス噴射ノズル（６Ｄ）を具備して超臨界温度高温水（５２ｂ）を積載噴射して大気圧重力仕事率を燃焼ガスの１０００倍に近付けたロケットエンジン合体機関。
【請求項７４】
過熱蒸気噴射ノズル（６Ａ）を具備して超臨界温度高温水（５２ｂ）を積載噴射して大気圧重力仕事率を燃焼ガスの１０００倍に近付けたロケットエンジン合体機関。
【請求項７５】
過熱蒸気噴射ノズル（６Ｂ）を具備して超臨界温度高温水（５２ｂ）を積載噴射して大気圧重力仕事率を燃焼ガスの１０００倍に近付けたロケットエンジン合体機関。
【請求項７６】
燃焼ガス噴射ノズル（６Ｃ）を具備して超臨界温度高温水（５２ｂ）を積載噴射して大気圧重力仕事能力を燃焼ガスの６００００倍に近付けたロケットエンジン合体機関。
【請求項７７】
燃焼ガス噴射ノズル（６Ｄ）を具備して超臨界温度高温水（５２ｂ）を積載噴射して大気圧重力仕事能力を燃焼ガスの６００００倍に近付けたロケットエンジン合体機関。
【請求項７８】
過熱蒸気噴射ノズル（６Ａ）を具備して超臨界温度高温水（５２ｂ）を積載噴射して大気圧重力仕事能力を燃焼ガスの６００００倍に近付けたロケットエンジン合体機関。
【請求項７９】
過熱蒸気噴射ノズル（６Ｂ）を具備して超臨界温度高温水（５２ｂ）を積載噴射して大気圧重力仕事能力を燃焼ガスの６００００倍に近付けたロケットエンジン合体機関。
【請求項８０】
燃焼ガス噴射ノズル（６Ｃ）を具備して２００℃以上の高温水（５２ｂ）を積載したロケットエンジン合体機関。
【請求項８１】
燃焼ガス噴射ノズル（６Ｄ）を具備して２００℃以上の高温水（５２ｂ）を積載したロケットエンジン合体機関。
【請求項８２】
過熱蒸気噴射ノズル（６Ａ）を具備して２００℃以上の高温水（５２ｂ）を積載したロケットエンジン合体機関。
【請求項８３】
過熱蒸気噴射ノズル（６Ｂ）を具備して２００℃以上の高温水（５２ｂ）を積載したロケットエンジン合体機関。
【請求項８４】
燃焼ガス噴射ノズル（６Ｃ）を具備して２００℃以上の高温水（５２ｂ）を積載噴射して大気圧重力仕事率を燃焼ガスの１０００倍に近付けたロケットエンジン合体機関。
【請求項８５】
燃焼ガス噴射ノズル（６Ｄ）を具備して２００℃以上の高温水（５２ｂ）を積載噴射して大気圧重力仕事率を燃焼ガスの１０００倍に近付けたロケットエンジン合体機関。
【請求項８６】
過熱蒸気噴射ノズル（６Ａ）を具備して２００℃以上の高温水（５２ｂ）を積載噴射して大気圧重力仕事率を燃焼ガスの１０００倍に近付けたロケットエンジン合体機関。
【請求項８７】
過熱蒸気噴射ノズル（６Ｂ）を具備して２００℃以上の高温水（５２ｂ）を積載噴射して大気圧重力仕事率を燃焼ガスの１０００倍に近付けたロケットエンジン合体機関。
【請求項８８】
燃焼ガス噴射ノズル（６Ｃ）を具備して２００℃以上の高温水（５２ｂ）を積載噴射して大気圧重力仕事能力を燃焼ガスの６００００倍に近付けたロケットエンジン合体機関。
【請求項８９】
燃焼ガス噴射ノズル（６Ｄ）を具備して２００℃以上の高温水（５２ｂ）を積載噴射して大気圧重力仕事能力を燃焼ガスの６００００倍に近付けたロケットエンジン合体機関。
【請求項９０】
過熱蒸気噴射ノズル（６Ａ）を具備して２００℃以上の高温水（５２ｂ）を積載噴射して大気圧重力仕事能力を燃焼ガスの６００００倍に近付けたロケットエンジン合体機関。
【請求項９１】
過熱蒸気噴射ノズル（６Ｂ）を具備して２００℃以上の高温水（５２ｂ）を積載噴射して大気圧重力仕事能力を燃焼ガスの６００００倍に近付けたロケットエンジン合体機関。
【請求項９２】
燃焼ガス噴射ノズル（６Ｃ）を具備して１６０℃以上の高温水（５２ｂ）を積載したロケットエンジン合体機関。
【請求項９３】
燃焼ガス噴射ノズル（６Ｄ）を具備して１６０℃以上の高温水（５２ｂ）を積載したロケットエンジン合体機関。
【請求項９４】
過熱蒸気噴射ノズル（６Ａ）を具備して１６０℃以上の高温水（５２ｂ）を積載したロケットエンジン合体機関。
【請求項９５】
過熱蒸気噴射ノズル（６Ｂ）を具備して１６０℃以上の高温水（５２ｂ）を積載したロケットエンジン合体機関。
【請求項９６】
燃焼ガス噴射ノズル（６Ｃ）を具備して１６０℃以上の高温水（５２ｂ）を積載噴射して大気圧重力仕事率を燃焼ガスの１０００倍に近付けたロケットエンジン合体機関。
【請求項９７】
燃焼ガス噴射ノズル（６Ｄ）を具備して１６０℃以上の高温水（５２ｂ）を積載噴射して大気圧重力仕事率を燃焼ガスの１０００倍に近付けたロケットエンジン合体機関。
【請求項９８】
過熱蒸気噴射ノズル（６Ａ）を具備して１６０℃以上の高温水（５２ｂ）を積載噴射して大気圧重力仕事率を燃焼ガスの１０００倍に近付けたロケットエンジン合体機関。
【請求項９９】
過熱蒸気噴射ノズル（６Ｂ）を具備して１６０℃以上の高温水（５２ｂ）を積載噴射して大気圧重力仕事率を燃焼ガスの１０００倍に近付けたロケットエンジン合体機関。
【請求項１００】
燃焼ガス噴射ノズル（６Ｃ）を具備して１６０℃以上の高温水（５２ｂ）を積載噴射して大気圧重力仕事能力を燃焼ガスの６００００倍に近付けたロケットエンジン合体機関。
【請求項１０１】
燃焼ガス噴射ノズル（６Ｄ）を具備して１６０℃以上の高温水（５２ｂ）を積載噴射して大気圧重力仕事能力を燃焼ガスの６００００倍に近付けたロケットエンジン合体機関。
【請求項１０２】
過熱蒸気噴射ノズル（６Ａ）を具備して１６０℃以上の高温水（５２ｂ）を積載噴射して大気圧重力仕事能力を燃焼ガスの６００００倍に近付けたロケットエンジン合体機関。
【請求項１０３】
過熱蒸気噴射ノズル（６Ｂ）を具備して１６０℃以上の高温水（５２ｂ）を積載噴射して大気圧重力仕事能力を燃焼ガスの６００００倍に近付けたロケットエンジン合体機関。
【請求項１０４】
燃焼ガス噴射ノズル（６Ｃ）を具備して１３０℃以上の高温水（５２ｂ）を積載したロケットエンジン合体機関。
【請求項１０５】
燃焼ガス噴射ノズル（６Ｄ）を具備して１３０℃以上の高温水（５２ｂ）を積載したロケットエンジン合体機関。
【請求項１０６】
過熱蒸気噴射ノズル（６Ａ）を具備して１３０℃以上の高温水（５２ｂ）を積載したロケットエンジン合体機関。
【請求項１０７】
過熱蒸気噴射ノズル（６Ｂ）を具備して１３０℃以上の高温水（５２ｂ）を積載したロケットエンジン合体機関。
【請求項１０８】
燃焼ガス噴射ノズル（６Ｃ）を具備して１３０℃以上の高温水（５２ｂ）を積載噴射して大気圧重力仕事率を燃焼ガスの１０００倍に近付けたロケットエンジン合体機関。
【請求項１０９】
燃焼ガス噴射ノズル（６Ｄ）を具備して１３０℃以上の高温水（５２ｂ）を積載噴射して大気圧重力仕事率を燃焼ガスの１０００倍に近付けたロケットエンジン合体機関。
【請求項１１０】
過熱蒸気噴射ノズル（６Ａ）を具備して１３０℃以上の高温水（５２ｂ）を積載噴射して大気圧重力仕事率を燃焼ガスの１０００倍に近付けたロケットエンジン合体機関。
【請求項１１１】
過熱蒸気噴射ノズル（６Ｂ）を具備して１３０℃以上の高温水（５２ｂ）を積載噴射して大気圧重力仕事率を燃焼ガスの１０００倍に近付けたロケットエンジン合体機関。
【請求項１１２】
燃焼ガス噴射ノズル（６Ｃ）を具備して１３０℃以上の高温水（５２ｂ）を積載噴射して大気圧重力仕事能力を燃焼ガスの６００００倍に近付けたロケットエンジン合体機関。
【請求項１１３】
燃焼ガス噴射ノズル（６Ｄ）を具備して１３０℃以上の高温水（５２ｂ）を積載噴射して大気圧重力仕事能力を燃焼ガスの６００００倍に近付けたロケットエンジン合体機関。
【請求項１１４】
過熱蒸気噴射ノズル（６Ａ）を具備して１３０℃以上の高温水（５２ｂ）を積載噴射して大気圧重力仕事能力を燃焼ガスの６００００倍に近付けたロケットエンジン合体機関。
【請求項１１５】
過熱蒸気噴射ノズル（６Ｂ）を具備して１３０℃以上の高温水（５２ｂ）を積載噴射して大気圧重力仕事能力を燃焼ガスの６００００倍に近付けたロケットエンジン合体機関。
【請求項１１６】
燃焼ガス噴射ノズル（６Ｃ）を具備して１００℃以上の高温水（５２ｂ）を積載したロケットエンジン合体機関。
【請求項１１７】
燃焼ガス噴射ノズル（６Ｄ）を具備して１００℃以上の高温水（５２ｂ）を積載したロケットエンジン合体機関。
【請求項１１８】
過熱蒸気噴射ノズル（６Ａ）を具備して１００℃以上の高温水（５２ｂ）を積載したロケットエンジン合体機関。
【請求項１１９】
過熱蒸気噴射ノズル（６Ｂ）を具備して１００℃以上の高温水（５２ｂ）を積載したロケットエンジン合体機関。
【請求項１２０】
燃焼ガス噴射ノズル（６Ｃ）を具備して１００℃以上の高温水（５２ｂ）を積載噴射して大気圧重力仕事率を燃焼ガスの１０００倍に近付けたロケットエンジン合体機関。
【請求項１２１】
燃焼ガス噴射ノズル（６Ｄ）を具備して１００℃以上の高温水（５２ｂ）を積載噴射して大気圧重力仕事率を燃焼ガスの１０００倍に近付けたロケットエンジン合体機関。
【請求項１２２】
過熱蒸気噴射ノズル（６Ａ）を具備して１００℃以上の高温水（５２ｂ）を積載噴射して大気圧重力仕事率を燃焼ガスの１０００倍に近付けたロケットエンジン合体機関。
【請求項１２３】
過熱蒸気噴射ノズル（６Ｂ）を具備して１００℃以上の高温水（５２ｂ）を積載噴射して大気圧重力仕事率を燃焼ガスの１０００倍に近付けたロケットエンジン合体機関。
【請求項１２４】
燃焼ガス噴射ノズル（６Ｃ）を具備して１００℃以上の高温水（５２ｂ）を積載噴射して大気圧重力仕事能力を燃焼ガスの６００００倍に近付けたロケットエンジン合体機関。
【請求項１２５】
燃焼ガス噴射ノズル（６Ｄ）を具備して１００℃以上の高温水（５２ｂ）を積載噴射して大気圧重力仕事能力を燃焼ガスの６００００倍に近付けたロケットエンジン合体機関。
【請求項１２６】
過熱蒸気噴射ノズル（６Ａ）を具備して１００℃以上の高温水（５２ｂ）を積載噴射して大気圧重力仕事能力を燃焼ガスの６００００倍に近付けたロケットエンジン合体機関。
【請求項１２７】
過熱蒸気噴射ノズル（６Ｂ）を具備して１００℃以上の高温水（５２ｂ）を積載噴射して大気圧重力仕事能力を燃焼ガスの６００００倍に近付けたロケットエンジン合体機関。
【請求項１２８】
燃焼ガス噴射ノズル（６Ｃ）を具備して１００℃以下の高温水（５２ｂ）を積載したロケットエンジン合体機関。
【請求項１２９】
燃焼ガス噴射ノズル（６Ｄ）を具備して１００℃以下の高温水（５２ｂ）を積載したロケットエンジン合体機関。
【請求項１３０】
過熱蒸気噴射ノズル（６Ａ）を具備して１００℃以下の高温水（５２ｂ）を積載したロケットエンジン合体機関。
【請求項１３１】
過熱蒸気噴射ノズル（６Ｂ）を具備して１００℃以下の高温水（５２ｂ）を積載したロケットエンジン合体機関。
【請求項１３２】
燃焼ガス噴射ノズル（６Ｃ）を具備して１００℃以下の高温水（５２ｂ）を積載噴射して大気圧重力仕事率を燃焼ガスの１０００倍に近付けたロケットエンジン合体機関。
【請求項１３３】
燃焼ガス噴射ノズル（６Ｄ）を具備して１００℃以下の高温水（５２ｂ）を積載噴射して大気圧重力仕事率を燃焼ガスの１０００倍に近付けたロケットエンジン合体機関。
【請求項１３４】
過熱蒸気噴射ノズル（６Ａ）を具備して１００℃以下の高温水（５２ｂ）を積載噴射して大気圧重力仕事率を燃焼ガスの１０００倍に近付けたロケットエンジン合体機関。
【請求項１３５】
過熱蒸気噴射ノズル（６Ｂ）を具備して１００℃以下の高温水（５２ｂ）を積載噴射して大気圧重力仕事率を燃焼ガスの１０００倍に近付けたロケットエンジン合体機関。
【請求項１３６】
燃焼ガス噴射ノズル（６Ｃ）を具備して１００℃以下の高温水（５２ｂ）を積載噴射して大気圧重力仕事能力を燃焼ガスの６００００倍に近付けたロケットエンジン合体機関。
【請求項１３７】
燃焼ガス噴射ノズル（６Ｄ）を具備して１００℃以下の高温水（５２ｂ）を積載噴射して大気圧重力仕事能力を燃焼ガスの６００００倍に近付けたロケットエンジン合体機関。
【請求項１３８】
過熱蒸気噴射ノズル（６Ａ）を具備して１００℃以下の高温水（５２ｂ）を積載噴射して大気圧重力仕事能力を燃焼ガスの６００００倍に近付けたロケットエンジン合体機関。
【請求項１３９】
過熱蒸気噴射ノズル（６Ｂ）を具備して１００℃以下の高温水（５２ｂ）を積載噴射して大気圧重力仕事能力を燃焼ガスの６００００倍に近付けたロケットエンジン合体機関。
【請求項１４０】
燃焼ガス噴射ノズル（６Ｃ）と過熱蒸気噴射ノズル（６Ａ）を具備して高温水（５２ｂ）を積載したロケットエンジン合体機関。
【請求項１４１】
燃焼ガス噴射ノズル（６Ｄ）と過熱蒸気噴射ノズル（６Ｂ）を具備して高温水（５２ｂ）を積載したロケットエンジン合体機関。
【請求項１４２】
過熱蒸気噴射ノズル（６Ａ）と燃焼ガス噴射ノズル（６Ｄ）を具備して高温水（５２ｂ）を積載したロケットエンジン合体機関。
【請求項１４３】
過熱蒸気噴射ノズル（６Ｂ）と燃焼ガス噴射ノズル（６Ｃ）を具備して高温水（５２ｂ）を積載したロケットエンジン合体機関。
【請求項１４４】
燃焼ガス噴射ノズル（６Ｃ）と過熱蒸気噴射ノズル（６Ａ）を具備して高温水（５２ｂ）を積載噴射して大気圧重力仕事率を燃焼ガスの１０００倍に近付けたロケットエンジン合体機関。
【請求項１４５】
燃焼ガス噴射ノズル（６Ｄ）と過熱蒸気噴射ノズル（６Ｂ）を具備して高温水（５２ｂ）を積載噴射して大気圧重力仕事率を燃焼ガスの１０００倍に近付けたロケットエンジン合体機関。
【請求項１４６】
過熱蒸気噴射ノズル（６Ａ）と燃焼ガス噴射ノズル（６Ｄ）を具備して高温水（５２ｂ）を積載噴射して大気圧重力仕事率を燃焼ガスの１０００倍に近付けたロケットエンジン合体機関。
【請求項１４７】
過熱蒸気噴射ノズル（６Ｂ）と燃焼ガス噴射ノズル（６Ｃ）を具備して高温水（５２ｂ）を積載噴射して大気圧重力仕事率を燃焼ガスの１０００倍に近付けたロケットエンジン合体機関。
【請求項１４８】
燃焼ガス噴射ノズル（６Ｃ）と過熱蒸気噴射ノズル（６Ａ）を具備して高温水（５２ｂ）を積載噴射して大気圧重力仕事能力を燃焼ガスの６００００倍に近付けたロケットエンジン合体機関。
【請求項１４９】
燃焼ガス噴射ノズル（６Ｄ）と過熱蒸気噴射ノズル（６Ｂ）を具備して高温水（５２ｂ）を積載噴射して大気圧重力仕事能力を燃焼ガスの６００００倍に近付けたロケットエンジン合体機関。
【請求項１５０】
過熱蒸気噴射ノズル（６Ａ）と燃焼ガス噴射ノズル（６Ｄ）を具備して高温水（５２ｂ）を積載噴射して大気圧重力仕事能力を燃焼ガスの６００００倍に近付けたロケットエンジン合体機関。
【請求項１５１】
過熱蒸気噴射ノズル（６Ｂ）と燃焼ガス噴射ノズル（６Ｃ）を具備して高温水（５２ｂ）を積載噴射して大気圧重力仕事能力を燃焼ガスの６００００倍に近付けたロケットエンジン合体機関。
【請求項１５２】
燃焼ガス噴射ノズル（６Ｃ）と過熱蒸気噴射ノズル（６Ａ）を具備して超臨界温度高温水（５２ｂ）を積載したロケットエンジン合体機関。
【請求項１５３】
燃焼ガス噴射ノズル（６Ｄ）と過熱蒸気噴射ノズル（６Ｂ）を具備して超臨界温度高温水（５２ｂ）を積載したロケットエンジン合体機関。
【請求項１５４】
過熱蒸気噴射ノズル（６Ａ）と燃焼ガス噴射ノズル（６Ｄ）を具備して超臨界温度高温水（５２ｂ）を積載したロケットエンジン合体機関。
【請求項１５５】
過熱蒸気噴射ノズル（６Ｂ）と燃焼ガス噴射ノズル（６Ｃ）を具備して超臨界温度高温水（５２ｂ）を積載したロケットエンジン合体機関。
【請求項１５６】
燃焼ガス噴射ノズル（６Ｃ）と過熱蒸気噴射ノズル（６Ａ）を具備して超臨界温度高温水（５２ｂ）を積載噴射して大気圧重力仕事率を燃焼ガスの１０００倍に近付けたロケットエンジン合体機関。
【請求項１５７】
燃焼ガス噴射ノズル（６Ｄ）と過熱蒸気噴射ノズル（６Ｂ）を具備して超臨界温度高温水（５２ｂ）を積載噴射して大気圧重力仕事率を燃焼ガスの１０００倍に近付けたロケットエンジン合体機関。
【請求項１５８】
過熱蒸気噴射ノズル（６Ａ）と燃焼ガス噴射ノズル（６Ｄ）を具備して超臨界温度高温水（５２ｂ）を積載噴射して大気圧重力仕事率を燃焼ガスの１０００倍に近付けたロケットエンジン合体機関。
【請求項１５９】
過熱蒸気噴射ノズル（６Ｂ）と燃焼ガス噴射ノズル（６Ｃ）を具備して超臨界温度高温水（５２ｂ）を積載噴射して大気圧重力仕事率を燃焼ガスの１０００倍に近付けたロケットエンジン合体機関。
【請求項１６０】
燃焼ガス噴射ノズル（６Ｃ）と過熱蒸気噴射ノズル（６Ａ）を具備して超臨界温度高温水（５２ｂ）を積載噴射して大気圧重力仕事能力を燃焼ガスの６００００倍に近付けたロケットエンジン合体機関。
【請求項１６１】
燃焼ガス噴射ノズル（６Ｄ）と過熱蒸気噴射ノズル（６Ｂ）を具備して超臨界温度高温水（５２ｂ）を積載噴射して大気圧重力仕事能力を燃焼ガスの６００００倍に近付けたロケットエンジン合体機関。
【請求項１６２】
過熱蒸気噴射ノズル（６Ａ）と燃焼ガス噴射ノズル（６Ｄ）を具備して超臨界温度高温水（５２ｂ）を積載噴射して大気圧重力仕事能力を燃焼ガスの６００００倍に近付けたロケットエンジン合体機関。
【請求項１６３】
過熱蒸気噴射ノズル（６Ｂ）と燃焼ガス噴射ノズル（６Ｃ）を具備して超臨界温度高温水（５２ｂ）を積載噴射して大気圧重力仕事能力を燃焼ガスの６００００倍に近付けたロケットエンジン合体機関。
【請求項１６４】
燃焼ガス噴射ノズル（６Ｃ）と過熱蒸気噴射ノズル（６Ａ）を具備して２００℃以上の高温水（５２ｂ）を積載したロケットエンジン合体機関。
【請求項１６５】
燃焼ガス噴射ノズル（６Ｄ）と過熱蒸気噴射ノズル（６Ｂ）を具備して２００℃以上の高温水（５２ｂ）を積載したロケットエンジン合体機関。
【請求項１６６】
過熱蒸気噴射ノズル（６Ａ）と燃焼ガス噴射ノズル（６Ｄ）を具備して２００℃以上の高温水（５２ｂ）を積載したロケットエンジン合体機関。
【請求項１６７】
過熱蒸気噴射ノズル（６Ｂ）と燃焼ガス噴射ノズル（６Ｃ）を具備して２００℃以上の高温水（５２ｂ）を積載したロケットエンジン合体機関。
【請求項１６８】
燃焼ガス噴射ノズル（６Ｃ）と過熱蒸気噴射ノズル（６Ａ）を具備して２００℃以上の高温水（５２ｂ）を積載噴射して大気圧重力仕事率を燃焼ガスの１０００倍に近付けたロケットエンジン合体機関。
【請求項１６９】
燃焼ガス噴射ノズル（６Ｄ）と過熱蒸気噴射ノズル（６Ｂ）を具備して２００℃以上の高温水（５２ｂ）を積載噴射して大気圧重力仕事率を燃焼ガスの１０００倍に近付けたロケットエンジン合体機関。
【請求項１７０】
過熱蒸気噴射ノズル（６Ａ）と燃焼ガス噴射ノズル（６Ｄ）を具備して２００℃以上の高温水（５２ｂ）を積載噴射して大気圧重力仕事率を燃焼ガスの１０００倍に近付けたロケットエンジン合体機関。
【請求項１７１】
過熱蒸気噴射ノズル（６Ｂ）と燃焼ガス噴射ノズル（６Ｃ）を具備して２００℃以上の高温水（５２ｂ）を積載噴射して大気圧重力仕事率を燃焼ガスの１０００倍に近付けたロケットエンジン合体機関。
【請求項１７２】
燃焼ガス噴射ノズル（６Ｃ）と過熱蒸気噴射ノズル（６Ａ）を具備して２００℃以上の高温水（５２ｂ）を積載噴射して大気圧重力仕事能力を燃焼ガスの６００００倍に近付けたロケットエンジン合体機関。
【請求項１７３】
燃焼ガス噴射ノズル（６Ｄ）と過熱蒸気噴射ノズル（６Ｂ）を具備して２００℃以上の高温水（５２ｂ）を積載噴射して大気圧重力仕事能力を燃焼ガスの６００００倍に近付けたロケットエンジン合体機関。
【請求項１７４】
過熱蒸気噴射ノズル（６Ａ）と燃焼ガス噴射ノズル（６Ｄ）を具備して２００℃以上の高温水（５２ｂ）を積載噴射して大気圧重力仕事能力を燃焼ガスの６００００倍に近付けたロケットエンジン合体機関。
【請求項１７５】
過熱蒸気噴射ノズル（６Ｂ）と燃焼ガス噴射ノズル（６Ｃ）を具備して２００℃以上の高温水（５２ｂ）を積載噴射して大気圧重力仕事能力を燃焼ガスの６００００倍に近付けたロケットエンジン合体機関。
【請求項１７６】
燃焼ガス噴射ノズル（６Ｃ）と過熱蒸気噴射ノズル（６Ａ）を具備して１６０℃以上の高温水（５２ｂ）を積載したロケットエンジン合体機関。
【請求項１７７】
燃焼ガス噴射ノズル（６Ｄ）と過熱蒸気噴射ノズル（６Ｂ）を具備して１６０℃以上の高温水（５２ｂ）を積載したロケットエンジン合体機関。
【請求項１７８】
過熱蒸気噴射ノズル（６Ａ）と燃焼ガス噴射ノズル（６Ｄ）を具備して１６０℃以上の高温水（５２ｂ）を積載したロケットエンジン合体機関。
【請求項１７９】
過熱蒸気噴射ノズル（６Ｂ）と燃焼ガス噴射ノズル（６Ｃ）を具備して１６０℃以上の高温水（５２ｂ）を積載したロケットエンジン合体機関。
【請求項１８０】
燃焼ガス噴射ノズル（６Ｃ）と過熱蒸気噴射ノズル（６Ａ）を具備して１６０℃以上の高温水（５２ｂ）を積載噴射して大気圧重力仕事率を燃焼ガスの１０００倍に近付けたロケットエンジン合体機関。
【請求項１８１】
燃焼ガス噴射ノズル（６Ｄ）と過熱蒸気噴射ノズル（６Ｂ）を具備して１６０℃以上の高温水（５２ｂ）を積載噴射して大気圧重力仕事率を燃焼ガスの１０００倍に近付けたロケットエンジン合体機関。
【請求項１８２】
過熱蒸気噴射ノズル（６Ａ）と燃焼ガス噴射ノズル（６Ｄ）を具備して１６０℃以上の高温水（５２ｂ）を積載噴射して大気圧重力仕事率を燃焼ガスの１０００倍に近付けたロケットエンジン合体機関。
【請求項１８３】
過熱蒸気噴射ノズル（６Ｂ）と燃焼ガス噴射ノズル（６Ｃ）を具備して１６０℃以上の高温水（５２ｂ）を積載噴射して大気圧重力仕事率を燃焼ガスの１０００倍に近付けたロケットエンジン合体機関。
【請求項１８４】
燃焼ガス噴射ノズル（６Ｃ）と過熱蒸気噴射ノズル（６Ａ）を具備して１６０℃以上の高温水（５２ｂ）を積載噴射して大気圧重力仕事能力を燃焼ガスの６００００倍に近付けたロケットエンジン合体機関。
【請求項１８５】
燃焼ガス噴射ノズル（６Ｄ）と過熱蒸気噴射ノズル（６Ｂ）を具備して１６０℃以上の高温水（５２ｂ）を積載噴射して大気圧重力仕事能力を燃焼ガスの６００００倍に近付けたロケットエンジン合体機関。
【請求項１８６】
過熱蒸気噴射ノズル（６Ａ）と燃焼ガス噴射ノズル（６Ｄ）を具備して１６０℃以上の高温水（５２ｂ）を積載噴射して大気圧重力仕事能力を燃焼ガスの６００００倍に近付けたロケットエンジン合体機関。
【請求項１８７】
過熱蒸気噴射ノズル（６Ｂ）と燃焼ガス噴射ノズル（６Ｃ）を具備して１６０℃以上の高温水（５２ｂ）を積載噴射して大気圧重力仕事能力を燃焼ガスの６００００倍に近付けたロケットエンジン合体機関。
【請求項１８８】
燃焼ガス噴射ノズル（６Ｃ）と過熱蒸気噴射ノズル（６Ａ）を具備して１３０℃以上の高温水（５２ｂ）を積載したロケットエンジン合体機関。
【請求項１８９】
燃焼ガス噴射ノズル（６Ｄ）と過熱蒸気噴射ノズル（６Ｂ）を具備して１３０℃以上の高温水（５２ｂ）を積載したロケットエンジン合体機関。
【請求項１９０】
過熱蒸気噴射ノズル（６Ａ）と燃焼ガス噴射ノズル（６Ｄ）を具備して１３０℃以上の高温水（５２ｂ）を積載したロケットエンジン合体機関。
【請求項１９１】
過熱蒸気噴射ノズル（６Ｂ）と燃焼ガス噴射ノズル（６Ｃ）を具備して１３０℃以上の高温水（５２ｂ）を積載したロケットエンジン合体機関。
【請求項１９２】
燃焼ガス噴射ノズル（６Ｃ）と過熱蒸気噴射ノズル（６Ａ）を具備して１３０℃以上の高温水（５２ｂ）を積載噴射して大気圧重力仕事率を燃焼ガスの１０００倍に近付けたロケットエンジン合体機関。
【請求項１９３】
燃焼ガス噴射ノズル（６Ｄ）と過熱蒸気噴射ノズル（６Ｂ）を具備して１３０℃以上の高温水（５２ｂ）を積載噴射して大気圧重力仕事率を燃焼ガスの１０００倍に近付けたロケットエンジン合体機関。
【請求項１９４】
過熱蒸気噴射ノズル（６Ａ）と燃焼ガス噴射ノズル（６Ｄ）を具備して１３０℃以上の高温水（５２ｂ）を積載噴射して大気圧重力仕事率を燃焼ガスの１０００倍に近付けたロケットエンジン合体機関。
【請求項１９５】
過熱蒸気噴射ノズル（６Ｂ）と燃焼ガス噴射ノズル（６Ｃ）を具備して１３０℃以上の高温水（５２ｂ）を積載噴射して大気圧重力仕事率を燃焼ガスの１０００倍に近付けたロケットエンジン合体機関。
【請求項１９６】
燃焼ガス噴射ノズル（６Ｃ）と過熱蒸気噴射ノズル（６Ａ）を具備して１３０℃以上の高温水（５２ｂ）を積載噴射して大気圧重力仕事能力を燃焼ガスの６００００倍に近付けたロケットエンジン合体機関。
【請求項１９７】
燃焼ガス噴射ノズル（６Ｄ）と過熱蒸気噴射ノズル（６Ｂ）を具備して１３０℃以上の高温水（５２ｂ）を積載噴射して大気圧重力仕事能力を燃焼ガスの６００００倍に近付けたロケットエンジン合体機関。
【請求項１９８】
過熱蒸気噴射ノズル（６Ａ）と燃焼ガス噴射ノズル（６Ｄ）を具備して１３０℃以上の高温水（５２ｂ）を積載噴射して大気圧重力仕事能力を燃焼ガスの６００００倍に近付けたロケットエンジン合体機関。
【請求項１９９】
過熱蒸気噴射ノズル（６Ｂ）と燃焼ガス噴射ノズル（６Ｃ）を具備して１３０℃以上の高温水（５２ｂ）を積載噴射して大気圧重力仕事能力を燃焼ガスの６００００倍に近付けたロケットエンジン合体機関。
【請求項２００】
燃焼ガス噴射ノズル（６Ｃ）と過熱蒸気噴射ノズル（６Ａ）を具備して１００℃以上の高温水（５２ｂ）を積載したロケットエンジン合体機関。
【請求項２０１】
燃焼ガス噴射ノズル（６Ｄ）と過熱蒸気噴射ノズル（６Ｂ）を具備して１００℃以上の高温水（５２ｂ）を積載したロケットエンジン合体機関。
【請求項２０２】
過熱蒸気噴射ノズル（６Ａ）と燃焼ガス噴射ノズル（６Ｄ）を具備して１００℃以上の高温水（５２ｂ）を積載したロケットエンジン合体機関。
【請求項２０３】
過熱蒸気噴射ノズル（６Ｂ）と燃焼ガス噴射ノズル（６Ｃ）を具備して１００℃以上の高温水（５２ｂ）を積載したロケットエンジン合体機関。
【請求項２０４】
燃焼ガス噴射ノズル（６Ｃ）と過熱蒸気噴射ノズル（６Ａ）を具備して１００℃以上の高温水（５２ｂ）を積載噴射して大気圧重力仕事率を燃焼ガスの１０００倍に近付けたロケットエンジン合体機関。
【請求項２０５】
燃焼ガス噴射ノズル（６Ｄ）と過熱蒸気噴射ノズル（６Ｂ）を具備して１００℃以上の高温水（５２ｂ）を積載噴射して大気圧重力仕事率を燃焼ガスの１０００倍に近付けたロケットエンジン合体機関。
【請求項２０６】
過熱蒸気噴射ノズル（６Ａ）と燃焼ガス噴射ノズル（６Ｄ）を具備して１００℃以上の高温水（５２ｂ）を積載噴射して大気圧重力仕事率を燃焼ガスの１０００倍に近付けたロケットエンジン合体機関。
【請求項２０７】
過熱蒸気噴射ノズル（６Ｂ）と燃焼ガス噴射ノズル（６Ｃ）を具備して１００℃以上の高温水（５２ｂ）を積載噴射して大気圧重力仕事率を燃焼ガスの１０００倍に近付けたロケットエンジン合体機関。
【請求項２０８】
燃焼ガス噴射ノズル（６Ｃ）と過熱蒸気噴射ノズル（６Ａ）を具備して１００℃以上の高温水（５２ｂ）を積載噴射して大気圧重力仕事能力を燃焼ガスの６００００倍に近付けたロケットエンジン合体機関。
【請求項２０９】
燃焼ガス噴射ノズル（６Ｄ）と過熱蒸気噴射ノズル（６Ｂ）を具備して１００℃以上の高温水（５２ｂ）を積載噴射して大気圧重力仕事能力を燃焼ガスの６００００倍に近付けたロケットエンジン合体機関。
【請求項２１０】
過熱蒸気噴射ノズル（６Ａ）と燃焼ガス噴射ノズル（６Ｄ）を具備して１００℃以上の高温水（５２ｂ）を積載噴射して大気圧重力仕事能力を燃焼ガスの６００００倍に近付けたロケットエンジン合体機関。
【請求項２１１】
過熱蒸気噴射ノズル（６Ｂ）と燃焼ガス噴射ノズル（６Ｃ）を具備して１００℃以上の高温水（５２ｂ）を積載噴射して大気圧重力仕事能力を燃焼ガスの６００００倍に近付けたロケットエンジン合体機関。
【請求項２１２】
燃焼ガス噴射ノズル（６Ｃ）と過熱蒸気噴射ノズル（６Ａ）を具備して１００℃以下の高温水（５２ｂ）を積載したロケットエンジン合体機関。
【請求項２１３】
燃焼ガス噴射ノズル（６Ｄ）と過熱蒸気噴射ノズル（６Ｂ）を具備して１００℃以下の高温水（５２ｂ）を積載したロケットエンジン合体機関。
【請求項２１４】
過熱蒸気噴射ノズル（６Ａ）と燃焼ガス噴射ノズル（６Ｄ）を具備して１００℃以下の高温水（５２ｂ）を積載したロケットエンジン合体機関。
【請求項２１５】
過熱蒸気噴射ノズル（６Ｂ）と燃焼ガス噴射ノズル（６Ｃ）を具備して１００℃以下の高温水（５２ｂ）を積載したロケットエンジン合体機関。
【請求項２１６】
燃焼ガス噴射ノズル（６Ｃ）と過熱蒸気噴射ノズル（６Ａ）を具備して１００℃以下の高温水（５２ｂ）を積載噴射して大気圧重力仕事率を燃焼ガスの１０００倍に近付けたロケットエンジン合体機関。
【請求項２１７】
燃焼ガス噴射ノズル（６Ｄ）と過熱蒸気噴射ノズル（６Ｂ）を具備して１００℃以下の高温水（５２ｂ）を積載噴射して大気圧重力仕事率を燃焼ガスの１０００倍に近付けたロケットエンジン合体機関。
【請求項２１８】
過熱蒸気噴射ノズル（６Ａ）と燃焼ガス噴射ノズル（６Ｄ）を具備して１００℃以下の高温水（５２ｂ）を積載噴射して大気圧重力仕事率を燃焼ガスの１０００倍に近付けたロケットエンジン合体機関。
【請求項２１９】
過熱蒸気噴射ノズル（６Ｂ）と燃焼ガス噴射ノズル（６Ｃ）を具備して１００℃以下の高温水（５２ｂ）を積載噴射して大気圧重力仕事率を燃焼ガスの１０００倍に近付けたロケットエンジン合体機関。
【請求項２２０】
燃焼ガス噴射ノズル（６Ｃ）と過熱蒸気噴射ノズル（６Ａ）を具備して１００℃以下の高温水（５２ｂ）を積載噴射して大気圧重力仕事能力を燃焼ガスの６００００倍に近付けたロケットエンジン合体機関。
【請求項２２１】
燃焼ガス噴射ノズル（６Ｄ）と過熱蒸気噴射ノズル（６Ｂ）を具備して１００℃以下の高温水（５２ｂ）を積載噴射して大気圧重力仕事能力を燃焼ガスの６００００倍に近付けたロケットエンジン合体機関。
【請求項２２２】
過熱蒸気噴射ノズル（６Ａ）と燃焼ガス噴射ノズル（６Ｄ）を具備して１００℃以下の高温水（５２ｂ）を積載噴射して大気圧重力仕事能力を燃焼ガスの６００００倍に近付けたロケットエンジン合体機関。
【請求項２２３】
過熱蒸気噴射ノズル（６Ｂ）と燃焼ガス噴射ノズル（６Ｃ）を具備して１００℃以下の高温水（５２ｂ）を積載噴射して大気圧重力仕事能力を燃焼ガスの６００００倍に近付けたロケットエンジン合体機関。
【請求項２２４】
燃焼ガス噴射ノズル（６Ｃ）を具備して超臨界温度高温水（５２ｂ）と高温水（５２ｂ）を積載噴射して大気圧重力仕事率を燃焼ガスの１０００倍に近付けたロケットエンジン合体機関。
【請求項２２５】
燃焼ガス噴射ノズル（６Ｄ）を具備して超臨界温度高温水（５２ｂ）と高温水（５２ｂ）を積載噴射して大気圧重力仕事率を燃焼ガスの１０００倍に近付けたロケットエンジン合体機関。
【請求項２２６】
過熱蒸気噴射ノズル（６Ａ）を具備して超臨界温度高温水（５２ｂ）と高温水（５２ｂ）を積載噴射して大気圧重力仕事率を燃焼ガスの１０００倍に近付けたロケットエンジン合体機関。
【請求項２２７】
過熱蒸気噴射ノズル（６Ｂ）を具備して超臨界温度高温水（５２ｂ）と高温水（５２ｂ）を積載噴射して大気圧重力仕事率を燃焼ガスの１０００倍に近付けたロケットエンジン合体機関。
【請求項２２８】
燃焼ガス噴射ノズル（６Ｃ）を具備して超臨界温度高温水（５２ｂ）と高温水（５２ｂ）を積載噴射して大気圧重力仕事能力を燃焼ガスの６００００倍に近付けたロケットエンジン合体機関。
【請求項２２９】
燃焼ガス噴射ノズル（６Ｄ）を具備して超臨界温度高温水（５２ｂ）と高温水（５２ｂ）を積載噴射して大気圧重力仕事能力を燃焼ガスの６００００倍に近付けたロケットエンジン合体機関。
【請求項２３０】
過熱蒸気噴射ノズル（６Ａ）を具備して超臨界温度高温水（５２ｂ）と高温水（５２ｂ）を積載噴射して大気圧重力仕事能力を燃焼ガスの６００００倍に近付けたロケットエンジン合体機関。
【請求項２３１】
過熱蒸気噴射ノズル（６Ｂ）を具備して超臨界温度高温水（５２ｂ）と高温水（５２ｂ）を積載噴射して大気圧重力仕事能力を燃焼ガスの６００００倍に近付けたロケットエンジン合体機関。
【請求項２３２】
燃焼ガス噴射ノズル（６Ｃ）を具備して超臨界温度高温水（５２ｂ）と超臨界温度高温水（５２ｂ）を積載したロケットエンジン合体機関。
【請求項２３３】
燃焼ガス噴射ノズル（６Ｄ）を具備して超臨界温度高温水（５２ｂ）と超臨界温度高温水（５２ｂ）を積載したロケットエンジン合体機関。
【請求項２３４】
過熱蒸気噴射ノズル（６Ａ）を具備して超臨界温度高温水（５２ｂ）と超臨界温度高温水（５２ｂ）を積載したロケットエンジン合体機関。
【請求項２３５】
過熱蒸気噴射ノズル（６Ｂ）を具備して超臨界温度高温水（５２ｂ）と超臨界温度高温水（５２ｂ）を積載したロケットエンジン合体機関。
【請求項２３６】
燃焼ガス噴射ノズル（６Ｃ）を具備して超臨界温度高温水（５２ｂ）と超臨界温度高温水（５２ｂ）を積載噴射して大気圧重力仕事率を燃焼ガスの１０００倍に近付けたロケットエンジン合体機関。
【請求項２３７】
燃焼ガス噴射ノズル（６Ｄ）を具備して超臨界温度高温水（５２ｂ）と超臨界温度高温水（５２ｂ）を積載噴射して大気圧重力仕事率を燃焼ガスの１０００倍に近付けたロケットエンジン合体機関。
【請求項２３８】
過熱蒸気噴射ノズル（６Ａ）を具備して超臨界温度高温水（５２ｂ）と超臨界温度高温水（５２ｂ）を積載噴射して大気圧重力仕事率を燃焼ガスの１０００倍に近付けたロケットエンジン合体機関。
【請求項２３９】
過熱蒸気噴射ノズル（６Ｂ）を具備して超臨界温度高温水（５２ｂ）と超臨界温度高温水（５２ｂ）を積載噴射して大気圧重力仕事率を燃焼ガスの１０００倍に近付けたロケットエンジン合体機関。
【請求項２４０】
燃焼ガス噴射ノズル（６Ｃ）を具備して超臨界温度高温水（５２ｂ）と超臨界温度高温水（５２ｂ）を積載噴射して大気圧重力仕事能力を燃焼ガスの６００００倍に近付けたロケットエンジン合体機関。
【請求項２４１】
燃焼ガス噴射ノズル（６Ｄ）を具備して超臨界温度高温水（５２ｂ）と超臨界温度高温水（５２ｂ）を積載噴射して大気圧重力仕事能力を燃焼ガスの６００００倍に近付けたロケットエンジン合体機関。
【請求項２４２】
過熱蒸気噴射ノズル（６Ａ）を具備して超臨界温度高温水（５２ｂ）と超臨界温度高温水（５２ｂ）を積載噴射して大気圧重力仕事能力を燃焼ガスの６００００倍に近付けたロケットエンジン合体機関。
【請求項２４３】
過熱蒸気噴射ノズル（６Ｂ）を具備して超臨界温度高温水（５２ｂ）と超臨界温度高温水（５２ｂ）を積載噴射して大気圧重力仕事能力を燃焼ガスの６００００倍に近付けたロケットエンジン合体機関。
【請求項２４４】
燃焼ガス噴射ノズル（６Ｃ）を具備して超臨界温度高温水（５２ｂ）と２００℃以上の高温水（５２ｂ）を積載したロケットエンジン合体機関。
【請求項２４５】
燃焼ガス噴射ノズル（６Ｄ）を具備して超臨界温度高温水（５２ｂ）と２００℃以上の高温水（５２ｂ）を積載したロケットエンジン合体機関。
【請求項２４６】
過熱蒸気噴射ノズル（６Ａ）を具備して超臨界温度高温水（５２ｂ）と２００℃以上の高温水（５２ｂ）を積載したロケットエンジン合体機関。
【請求項２４７】
過熱蒸気噴射ノズル（６Ｂ）を具備して超臨界温度高温水（５２ｂ）と２００℃以上の高温水（５２ｂ）を積載したロケットエンジン合体機関。
【請求項２４８】
燃焼ガス噴射ノズル（６Ｃ）を具備して超臨界温度高温水（５２ｂ）と２００℃以上の高温水（５２ｂ）を積載噴射して大気圧重力仕事率を燃焼ガスの１０００倍に近付けたロケットエンジン合体機関。
【請求項２４９】
燃焼ガス噴射ノズル（６Ｄ）を具備して超臨界温度高温水（５２ｂ）と２００℃以上の高温水（５２ｂ）を積載噴射して大気圧重力仕事率を燃焼ガスの１０００倍に近付けたロケットエンジン合体機関。
【請求項２５０】
過熱蒸気噴射ノズル（６Ａ）を具備して超臨界温度高温水（５２ｂ）と２００℃以上の高温水（５２ｂ）を積載噴射して大気圧重力仕事率を燃焼ガスの１０００倍に近付けたロケットエンジン合体機関。
【請求項２５１】
過熱蒸気噴射ノズル（６Ｂ）を具備して超臨界温度高温水（５２ｂ）と２００℃以上の高温水（５２ｂ）を積載噴射して大気圧重力仕事率を燃焼ガスの１０００倍に近付けたロケットエンジン合体機関。
【請求項２５２】
燃焼ガス噴射ノズル（６Ｃ）を具備して超臨界温度高温水（５２ｂ）と２００℃以上の高温水（５２ｂ）を積載噴射して大気圧重力仕事能力を燃焼ガスの６００００倍に近付けたロケットエンジン合体機関。
【請求項２５３】
燃焼ガス噴射ノズル（６Ｄ）を具備して超臨界温度高温水（５２ｂ）と２００℃以上の高温水（５２ｂ）を積載噴射して大気圧重力仕事能力を燃焼ガスの６００００倍に近付けたロケットエンジン合体機関。
【請求項２５４】
過熱蒸気噴射ノズル（６Ａ）を具備して超臨界温度高温水（５２ｂ）と２００℃以上の高温水（５２ｂ）を積載噴射して大気圧重力仕事能力を燃焼ガスの６００００倍に近付けたロケットエンジン合体機関。
【請求項２５５】
過熱蒸気噴射ノズル（６Ｂ）を具備して超臨界温度高温水（５２ｂ）と２００℃以上の高温水（５２ｂ）を積載噴射して大気圧重力仕事能力を燃焼ガスの６００００倍に近付けたロケットエンジン合体機関。
【請求項２５６】
燃焼ガス噴射ノズル（６Ｃ）を具備して超臨界温度高温水（５２ｂ）と１６０℃以上の高温水（５２ｂ）を積載したロケットエンジン合体機関。
【請求項２５７】
燃焼ガス噴射ノズル（６Ｄ）を具備して超臨界温度高温水（５２ｂ）と１６０℃以上の高温水（５２ｂ）を積載したロケットエンジン合体機関。
【請求項２５８】
過熱蒸気噴射ノズル（６Ａ）を具備して超臨界温度高温水（５２ｂ）と１６０℃以上の高温水（５２ｂ）を積載したロケットエンジン合体機関。
【請求項２５９】
過熱蒸気噴射ノズル（６Ｂ）を具備して超臨界温度高温水（５２ｂ）と１６０℃以上の高温水（５２ｂ）を積載したロケットエンジン合体機関。
【請求項２６０】
燃焼ガス噴射ノズル（６Ｃ）を具備して超臨界温度高温水（５２ｂ）と１６０℃以上の高温水（５２ｂ）を積載噴射して大気圧重力仕事率を燃焼ガスの１０００倍に近付けたロケットエンジン合体機関。
【請求項２６１】
燃焼ガス噴射ノズル（６Ｄ）を具備して超臨界温度高温水（５２ｂ）と１６０℃以上の高温水（５２ｂ）を積載噴射して大気圧重力仕事率を燃焼ガスの１０００倍に近付けたロケットエンジン合体機関。
【請求項２６２】
過熱蒸気噴射ノズル（６Ａ）を具備して超臨界温度高温水（５２ｂ）と１６０℃以上の高温水（５２ｂ）を積載噴射して大気圧重力仕事率を燃焼ガスの１０００倍に近付けたロケットエンジン合体機関。
【請求項２６３】
過熱蒸気噴射ノズル（６Ｂ）を具備して超臨界温度高温水（５２ｂ）と１６０℃以上の高温水（５２ｂ）を積載噴射して大気圧重力仕事率を燃焼ガスの１０００倍に近付けたロケットエンジン合体機関。
【請求項２６４】
燃焼ガス噴射ノズル（６Ｃ）を具備して超臨界温度高温水（５２ｂ）と１６０℃以上の高温水（５２ｂ）を積載噴射して大気圧重力仕事能力を燃焼ガスの６００００倍に近付けたロケットエンジン合体機関。
【請求項２６５】
燃焼ガス噴射ノズル（６Ｄ）を具備して超臨界温度高温水（５２ｂ）と１６０℃以上の高温水（５２ｂ）を積載噴射して大気圧重力仕事能力を燃焼ガスの６００００倍に近付けたロケットエンジン合体機関。
【請求項２６６】
過熱蒸気噴射ノズル（６Ａ）を具備して超臨界温度高温水（５２ｂ）と１６０℃以上の高温水（５２ｂ）を積載噴射して大気圧重力仕事能力を燃焼ガスの６００００倍に近付けたロケットエンジン合体機関。
【請求項２６７】
過熱蒸気噴射ノズル（６Ｂ）を具備して超臨界温度高温水（５２ｂ）と１６０℃以上の高温水（５２ｂ）を積載噴射して大気圧重力仕事能力を燃焼ガスの６００００倍に近付けたロケットエンジン合体機関。
【請求項２６８】
燃焼ガス噴射ノズル（６Ｃ）を具備して超臨界温度高温水（５２ｂ）と１３０℃以上の高温水（５２ｂ）を積載したロケットエンジン合体機関。
【請求項２６９】
燃焼ガス噴射ノズル（６Ｄ）を具備して超臨界温度高温水（５２ｂ）と１３０℃以上の高温水（５２ｂ）を積載したロケットエンジン合体機関。
【請求項２７０】
過熱蒸気噴射ノズル（６Ａ）を具備して超臨界温度高温水（５２ｂ）と１３０℃以上の高温水（５２ｂ）を積載したロケットエンジン合体機関。
【請求項２７１】
過熱蒸気噴射ノズル（６Ｂ）を具備して超臨界温度高温水（５２ｂ）と１３０℃以上の高温水（５２ｂ）を積載したロケットエンジン合体機関。
【請求項２７２】
燃焼ガス噴射ノズル（６Ｃ）を具備して超臨界温度高温水（５２ｂ）と１３０℃以上の高温水（５２ｂ）を積載噴射して大気圧重力仕事率を燃焼ガスの１０００倍に近付けたロケットエンジン合体機関。
【請求項２７３】
燃焼ガス噴射ノズル（６Ｄ）を具備して超臨界温度高温水（５２ｂ）と１３０℃以上の高温水（５２ｂ）を積載噴射して大気圧重力仕事率を燃焼ガスの１０００倍に近付けたロケットエンジン合体機関。
【請求項２７４】
過熱蒸気噴射ノズル（６Ａ）を具備して超臨界温度高温水（５２ｂ）と１３０℃以上の高温水（５２ｂ）を積載噴射して大気圧重力仕事率を燃焼ガスの１０００倍に近付けたロケットエンジン合体機関。
【請求項２７５】
過熱蒸気噴射ノズル（６Ｂ）を具備して超臨界温度高温水（５２ｂ）と１３０℃以上の高温水（５２ｂ）を積載噴射して大気圧重力仕事率を燃焼ガスの１０００倍に近付けたロケットエンジン合体機関。
【請求項２７６】
燃焼ガス噴射ノズル（６Ｃ）を具備して超臨界温度高温水（５２ｂ）と１３０℃以上の高温水（５２ｂ）を積載噴射して大気圧重力仕事能力を燃焼ガスの６００００倍に近付けたロケットエンジン合体機関。
【請求項２７７】
燃焼ガス噴射ノズル（６Ｄ）を具備して超臨界温度高温水（５２ｂ）と１３０℃以上の高温水（５２ｂ）を積載噴射して大気圧重力仕事能力を燃焼ガスの６００００倍に近付けたロケットエンジン合体機関。
【請求項２７８】
過熱蒸気噴射ノズル（６Ａ）を具備して超臨界温度高温水（５２ｂ）と１３０℃以上の高温水（５２ｂ）を積載噴射して大気圧重力仕事能力を燃焼ガスの６００００倍に近付けたロケットエンジン合体機関。
【請求項２７９】
過熱蒸気噴射ノズル（６Ｂ）を具備して超臨界温度高温水（５２ｂ）と１３０℃以上の高温水（５２ｂ）を積載噴射して大気圧重力仕事能力を燃焼ガスの６００００倍に近付けたロケットエンジン合体機関。
【請求項２８０】
燃焼ガス噴射ノズル（６Ｃ）を具備して超臨界温度高温水（５２ｂ）と１００℃以上の高温水（５２ｂ）を積載したロケットエンジン合体機関。
【請求項２８１】
燃焼ガス噴射ノズル（６Ｄ）を具備して超臨界温度高温水（５２ｂ）と１００℃以上の高温水（５２ｂ）を積載したロケットエンジン合体機関。
【請求項２８２】
過熱蒸気噴射ノズル（６Ａ）を具備して超臨界温度高温水（５２ｂ）と１００℃以上の高温水（５２ｂ）を積載したロケットエンジン合体機関。
【請求項２８３】
過熱蒸気噴射ノズル（６Ｂ）を具備して超臨界温度高温水（５２ｂ）と１００℃以上の高温水（５２ｂ）を積載したロケットエンジン合体機関。
【請求項２８４】
燃焼ガス噴射ノズル（６Ｃ）を具備して超臨界温度高温水（５２ｂ）と１００℃以上の高温水（５２ｂ）を積載噴射して大気圧重力仕事率を燃焼ガスの１０００倍に近付けたロケットエンジン合体機関。
【請求項２８５】
燃焼ガス噴射ノズル（６Ｄ）を具備して超臨界温度高温水（５２ｂ）と１００℃以上の高温水（５２ｂ）を積載噴射して大気圧重力仕事率を燃焼ガスの１０００倍に近付けたロケットエンジン合体機関。
【請求項２８６】
過熱蒸気噴射ノズル（６Ａ）を具備して超臨界温度高温水（５２ｂ）と１００℃以上の高温水（５２ｂ）を積載噴射して大気圧重力仕事率を燃焼ガスの１０００倍に近付けたロケットエンジン合体機関。
【請求項２８７】
過熱蒸気噴射ノズル（６Ｂ）を具備して超臨界温度高温水（５２ｂ）と１００℃以上の高温水（５２ｂ）を積載噴射して大気圧重力仕事率を燃焼ガスの１０００倍に近付けたロケットエンジン合体機関。
【請求項２８８】
燃焼ガス噴射ノズル（６Ｃ）を具備して超臨界温度高温水（５２ｂ）と１００℃以上の高温水（５２ｂ）を積載噴射して大気圧重力仕事能力を燃焼ガスの６００００倍に近付けたロケットエンジン合体機関。
【請求項２８９】
燃焼ガス噴射ノズル（６Ｄ）を具備して超臨界温度高温水（５２ｂ）と１００℃以上の高温水（５２ｂ）を積載噴射して大気圧重力仕事能力を燃焼ガスの６００００倍に近付けたロケットエンジン合体機関。
【請求項２９０】
過熱蒸気噴射ノズル（６Ａ）を具備して超臨界温度高温水（５２ｂ）と１００℃以上の高温水（５２ｂ）を積載噴射して大気圧重力仕事能力を燃焼ガスの６００００倍に近付けたロケットエンジン合体機関。
【請求項２９１】
過熱蒸気噴射ノズル（６Ｂ）を具備して超臨界温度高温水（５２ｂ）と１００℃以上の高温水（５２ｂ）を積載噴射して大気圧重力仕事能力を燃焼ガスの６００００倍に近付けたロケットエンジン合体機関。
【請求項２９２】
燃焼ガス噴射ノズル（６Ｃ）を具備して超臨界温度高温水（５２ｂ）と１００℃以下の高温水（５２ｂ）を積載したロケットエンジン合体機関。
【請求項２９３】
燃焼ガス噴射ノズル（６Ｄ）を具備して超臨界温度高温水（５２ｂ）と１００℃以下の高温水（５２ｂ）を積載したロケットエンジン合体機関。
【請求項２９４】
過熱蒸気噴射ノズル（６Ａ）を具備して超臨界温度高温水（５２ｂ）と１００℃以下の高温水（５２ｂ）を積載したロケットエンジン合体機関。
【請求項２９５】
過熱蒸気噴射ノズル（６Ｂ）を具備して超臨界温度高温水（５２ｂ）と１００℃以下の高温水（５２ｂ）を積載したロケットエンジン合体機関。
【請求項２９６】
燃焼ガス噴射ノズル（６Ｃ）を具備して超臨界温度高温水（５２ｂ）と１００℃以下の高温水（５２ｂ）を積載噴射して大気圧重力仕事率を燃焼ガスの１０００倍に近付けたロケットエンジン合体機関。
【請求項２９７】
燃焼ガス噴射ノズル（６Ｄ）を具備して超臨界温度高温水（５２ｂ）と１００℃以下の高温水（５２ｂ）を積載噴射して大気圧重力仕事率を燃焼ガスの１０００倍に近付けたロケットエンジン合体機関。
【請求項２９８】
過熱蒸気噴射ノズル（６Ａ）を具備して超臨界温度高温水（５２ｂ）と１００℃以下の高温水（５２ｂ）を積載噴射して大気圧重力仕事率を燃焼ガスの１０００倍に近付けたロケットエンジン合体機関。
【請求項２９９】
過熱蒸気噴射ノズル（６Ｂ）を具備して超臨界温度高温水（５２ｂ）と１００℃以下の高温水（５２ｂ）を積載噴射して大気圧重力仕事率を燃焼ガスの１０００倍に近付けたロケットエンジン合体機関。
【請求項３００】
燃焼ガス噴射ノズル（６Ｃ）を具備して超臨界温度高温水（５２ｂ）と１００℃以下の高温水（５２ｂ）を積載噴射して大気圧重力仕事能力を燃焼ガスの６００００倍に近付けたロケットエンジン合体機関。
【請求項３０１】
燃焼ガス噴射ノズル（６Ｄ）を具備して超臨界温度高温水（５２ｂ）と１００℃以下の高温水（５２ｂ）を積載噴射して大気圧重力仕事能力を燃焼ガスの６００００倍に近付けたロケットエンジン合体機関。
【請求項３０２】
過熱蒸気噴射ノズル（６Ａ）を具備して超臨界温度高温水（５２ｂ）と１００℃以下の高温水（５２ｂ）を積載噴射して大気圧重力仕事能力を燃焼ガスの６００００倍に近付けたロケットエンジン合体機関。
【請求項３０３】
過熱蒸気噴射ノズル（６Ｂ）を具備して超臨界温度高温水（５２ｂ）と１００℃以下の高温水（５２ｂ）を積載噴射して大気圧重力仕事能力を燃焼ガスの６００００倍に近付けたロケットエンジン合体機関。
【請求項３０４】
燃焼ガス噴射ノズル（６Ｃ）と過熱蒸気噴射ノズル（６Ａ）を具備して超臨界温度高温水（５２ｂ）と高温水（５２ｂ）を積載したロケットエンジン合体機関。
【請求項３０５】
燃焼ガス噴射ノズル（６Ｄ）と過熱蒸気噴射ノズル（６Ｂ）を具備して超臨界温度高温水（５２ｂ）と高温水（５２ｂ）を積載したロケットエンジン合体機関。
【請求項３０６】
過熱蒸気噴射ノズル（６Ａ）と燃焼ガス噴射ノズル（６Ｄ）を具備して超臨界温度高温水（５２ｂ）と高温水（５２ｂ）を積載したロケットエンジン合体機関。
【請求項３０７】
過熱蒸気噴射ノズル（６Ｂ）と燃焼ガス噴射ノズル（６Ｃ）を具備して超臨界温度高温水（５２ｂ）と高温水（５２ｂ）を積載したロケットエンジン合体機関。
【請求項３０８】
燃焼ガス噴射ノズル（６Ｃ）と過熱蒸気噴射ノズル（６Ａ）を具備して超臨界温度高温水（５２ｂ）と高温水（５２ｂ）を積載噴射して大気圧重力仕事率を燃焼ガスの１０００倍に近付けたロケットエンジン合体機関。
【請求項３０９】
燃焼ガス噴射ノズル（６Ｄ）と過熱蒸気噴射ノズル（６Ｂ）を具備して超臨界温度高温水（５２ｂ）と高温水（５２ｂ）を積載噴射して大気圧重力仕事率を燃焼ガスの１０００倍に近付けたロケットエンジン合体機関。
【請求項３１０】
過熱蒸気噴射ノズル（６Ａ）と燃焼ガス噴射ノズル（６Ｄ）を具備して超臨界温度高温水（５２ｂ）と高温水（５２ｂ）を積載噴射して大気圧重力仕事率を燃焼ガスの１０００倍に近付けたロケットエンジン合体機関。
【請求項３１１】
過熱蒸気噴射ノズル（６Ｂ）と燃焼ガス噴射ノズル（６Ｃ）を具備して超臨界温度高温水（５２ｂ）と高温水（５２ｂ）を積載噴射して大気圧重力仕事率を燃焼ガスの１０００倍に近付けたロケットエンジン合体機関。
【請求項３１２】
燃焼ガス噴射ノズル（６Ｃ）と過熱蒸気噴射ノズル（６Ａ）を具備して超臨界温度高温水（５２ｂ）と高温水（５２ｂ）を積載噴射して大気圧重力仕事能力を燃焼ガスの６００００倍に近付けたロケットエンジン合体機関。
【請求項３１３】
燃焼ガス噴射ノズル（６Ｄ）と過熱蒸気噴射ノズル（６Ｂ）を具備して超臨界温度高温水（５２ｂ）と高温水（５２ｂ）を積載噴射して大気圧重力仕事能力を燃焼ガスの６００００倍に近付けたロケットエンジン合体機関。
【請求項３１４】
過熱蒸気噴射ノズル（６Ａ）と燃焼ガス噴射ノズル（６Ｄ）を具備して超臨界温度高温水（５２ｂ）と高温水（５２ｂ）を積載噴射して大気圧重力仕事能力を燃焼ガスの６００００倍に近付けたロケットエンジン合体機関。
【請求項３１５】
過熱蒸気噴射ノズル（６Ｂ）と燃焼ガス噴射ノズル（６Ｃ）を具備して超臨界温度高温水（５２ｂ）と高温水（５２ｂ）を積載噴射して大気圧重力仕事能力を燃焼ガスの６００００倍に近付けたロケットエンジン合体機関。
【請求項３１６】
燃焼ガス噴射ノズル（６Ｃ）と過熱蒸気噴射ノズル（６Ａ）を具備して超臨界温度高温水（５２ｂ）と超臨界温度高温水（５２ｂ）を積載したロケットエンジン合体機関。
【請求項３１７】
燃焼ガス噴射ノズル（６Ｄ）と過熱蒸気噴射ノズル（６Ｂ）を具備して超臨界温度高温水（５２ｂ）と超臨界温度高温水（５２ｂ）を積載したロケットエンジン合体機関。
【請求項３１８】
過熱蒸気噴射ノズル（６Ａ）と燃焼ガス噴射ノズル（６Ｄ）を具備して超臨界温度高温水（５２ｂ）と超臨界温度高温水（５２ｂ）を積載したロケットエンジン合体機関。
【請求項３１９】
過熱蒸気噴射ノズル（６Ｂ）と燃焼ガス噴射ノズル（６Ｃ）を具備して超臨界温度高温水（５２ｂ）と超臨界温度高温水（５２ｂ）を積載したロケットエンジン合体機関。
【請求項３２０】
燃焼ガス噴射ノズル（６Ｃ）と過熱蒸気噴射ノズル（６Ａ）を具備して超臨界温度高温水（５２ｂ）と超臨界温度高温水（５２ｂ）を積載噴射して大気圧重力仕事率を燃焼ガスの１０００倍に近付けたロケットエンジン合体機関。
【請求項３２１】
燃焼ガス噴射ノズル（６Ｄ）と過熱蒸気噴射ノズル（６Ｂ）を具備して超臨界温度高温水（５２ｂ）と超臨界温度高温水（５２ｂ）を積載噴射して大気圧重力仕事率を燃焼ガスの１０００倍に近付けたロケットエンジン合体機関。
【請求項３２２】
過熱蒸気噴射ノズル（６Ａ）と燃焼ガス噴射ノズル（６Ｄ）を具備して超臨界温度高温水（５２ｂ）と超臨界温度高温水（５２ｂ）を積載噴射して大気圧重力仕事率を燃焼ガスの１０００倍に近付けたロケットエンジン合体機関。
【請求項３２３】
過熱蒸気噴射ノズル（６Ｂ）と燃焼ガス噴射ノズル（６Ｃ）を具備して超臨界温度高温水（５２ｂ）と超臨界温度高温水（５２ｂ）を積載噴射して大気圧重力仕事率を燃焼ガスの１０００倍に近付けたロケットエンジン合体機関。
【請求項３２４】
燃焼ガス噴射ノズル（６Ｃ）と過熱蒸気噴射ノズル（６Ａ）を具備して超臨界温度高温水（５２ｂ）と超臨界温度高温水（５２ｂ）を積載噴射して大気圧重力仕事能力を燃焼ガスの６００００倍に近付けたロケットエンジン合体機関。
【請求項３２５】
燃焼ガス噴射ノズル（６Ｄ）と過熱蒸気噴射ノズル（６Ｂ）を具備して超臨界温度高温水（５２ｂ）と超臨界温度高温水（５２ｂ）を積載噴射して大気圧重力仕事能力を燃焼ガスの６００００倍に近付けたロケットエンジン合体機関。
【請求項３２６】
過熱蒸気噴射ノズル（６Ａ）と燃焼ガス噴射ノズル（６Ｄ）を具備して超臨界温度高温水（５２ｂ）と超臨界温度高温水（５２ｂ）を積載噴射して大気圧重力仕事能力を燃焼ガスの６００００倍に近付けたロケットエンジン合体機関。
【請求項３２７】
過熱蒸気噴射ノズル（６Ｂ）と燃焼ガス噴射ノズル（６Ｃ）を具備して超臨界温度高温水（５２ｂ）と超臨界温度高温水（５２ｂ）を積載噴射して大気圧重力仕事能力を燃焼ガスの６００００倍に近付けたロケットエンジン合体機関。
【請求項３２８】
燃焼ガス噴射ノズル（６Ｃ）と過熱蒸気噴射ノズル（６Ａ）を具備して超臨界温度高温水（５２ｂ）と２００℃以上の高温水（５２ｂ）を積載したロケットエンジン合体機関。
【請求項３２９】
燃焼ガス噴射ノズル（６Ｄ）と過熱蒸気噴射ノズル（６Ｂ）を具備して超臨界温度高温水（５２ｂ）と２００℃以上の高温水（５２ｂ）を積載したロケットエンジン合体機関。
【請求項３３０】
過熱蒸気噴射ノズル（６Ａ）と燃焼ガス噴射ノズル（６Ｄ）を具備して超臨界温度高温水（５２ｂ）と２００℃以上の高温水（５２ｂ）を積載したロケットエンジン合体機関。
【請求項３３１】
過熱蒸気噴射ノズル（６Ｂ）と燃焼ガス噴射ノズル（６Ｃ）を具備して超臨界温度高温水（５２ｂ）と２００℃以上の高温水（５２ｂ）を積載したロケットエンジン合体機関。
【請求項３３２】
燃焼ガス噴射ノズル（６Ｃ）と過熱蒸気噴射ノズル（６Ａ）を具備して超臨界温度高温水（５２ｂ）と２００℃以上の高温水（５２ｂ）を積載噴射して大気圧重力仕事率を燃焼ガスの１０００倍に近付けたロケットエンジン合体機関。
【請求項３３３】
燃焼ガス噴射ノズル（６Ｄ）と過熱蒸気噴射ノズル（６Ｂ）を具備して超臨界温度高温水（５２ｂ）と２００℃以上の高温水（５２ｂ）を積載噴射して大気圧重力仕事率を燃焼ガスの１０００倍に近付けたロケットエンジン合体機関。
【請求項３３４】
過熱蒸気噴射ノズル（６Ａ）と燃焼ガス噴射ノズル（６Ｄ）を具備して超臨界温度高温水（５２ｂ）と２００℃以上の高温水（５２ｂ）を積載噴射して大気圧重力仕事率を燃焼ガスの１０００倍に近付けたロケットエンジン合体機関。
【請求項３３５】
過熱蒸気噴射ノズル（６Ｂ）と燃焼ガス噴射ノズル（６Ｃ）を具備して超臨界温度高温水（５２ｂ）と２００℃以上の高温水（５２ｂ）を積載噴射して大気圧重力仕事率を燃焼ガスの１０００倍に近付けたロケットエンジン合体機関。
【請求項３３６】
燃焼ガス噴射ノズル（６Ｃ）と過熱蒸気噴射ノズル（６Ａ）を具備して超臨界温度高温水（５２ｂ）と２００℃以上の高温水（５２ｂ）を積載噴射して大気圧重力仕事能力を燃焼ガスの６００００倍に近付けたロケットエンジン合体機関。
【請求項３３７】
燃焼ガス噴射ノズル（６Ｄ）と過熱蒸気噴射ノズル（６Ｂ）を具備して超臨界温度高温水（５２ｂ）と２００℃以上の高温水（５２ｂ）を積載噴射して大気圧重力仕事能力を燃焼ガスの６００００倍に近付けたロケットエンジン合体機関。
【請求項３３８】
過熱蒸気噴射ノズル（６Ａ）と燃焼ガス噴射ノズル（６Ｄ）を具備して超臨界温度高温水（５２ｂ）と２００℃以上の高温水（５２ｂ）を積載噴射して大気圧重力仕事能力を燃焼ガスの６００００倍に近付けたロケットエンジン合体機関。
【請求項３３９】
過熱蒸気噴射ノズル（６Ｂ）と燃焼ガス噴射ノズル（６Ｃ）を具備して超臨界温度高温水（５２ｂ）と２００℃以上の高温水（５２ｂ）を積載噴射して大気圧重力仕事能力を燃焼ガスの６００００倍に近付けたロケットエンジン合体機関。
【請求項３４０】
燃焼ガス噴射ノズル（６Ｃ）と過熱蒸気噴射ノズル（６Ａ）を具備して超臨界温度高温水（５２ｂ）と１６０℃以上の高温水（５２ｂ）を積載したロケットエンジン合体機関。
【請求項３４１】
燃焼ガス噴射ノズル（６Ｄ）と過熱蒸気噴射ノズル（６Ｂ）を具備して超臨界温度高温水（５２ｂ）と１６０℃以上の高温水（５２ｂ）を積載したロケットエンジン合体機関。
【請求項３４２】
過熱蒸気噴射ノズル（６Ａ）と燃焼ガス噴射ノズル（６Ｄ）を具備して超臨界温度高温水（５２ｂ）と１６０℃以上の高温水（５２ｂ）を積載したロケットエンジン合体機関。
【請求項３４３】
過熱蒸気噴射ノズル（６Ｂ）と燃焼ガス噴射ノズル（６Ｃ）を具備して超臨界温度高温水（５２ｂ）と１６０℃以上の高温水（５２ｂ）を積載したロケットエンジン合体機関。
【請求項３４４】
燃焼ガス噴射ノズル（６Ｃ）と過熱蒸気噴射ノズル（６Ａ）を具備して超臨界温度高温水（５２ｂ）と１６０℃以上の高温水（５２ｂ）を積載噴射して大気圧重力仕事率を燃焼ガスの１０００倍に近付けたロケットエンジン合体機関。
【請求項３４５】
燃焼ガス噴射ノズル（６Ｄ）と過熱蒸気噴射ノズル（６Ｂ）を具備して超臨界温度高温水（５２ｂ）と１６０℃以上の高温水（５２ｂ）を積載噴射して大気圧重力仕事率を燃焼ガスの１０００倍に近付けたロケットエンジン合体機関。
【請求項３４６】
過熱蒸気噴射ノズル（６Ａ）と燃焼ガス噴射ノズル（６Ｄ）を具備して超臨界温度高温水（５２ｂ）と１６０℃以上の高温水（５２ｂ）を積載噴射して大気圧重力仕事率を燃焼ガスの１０００倍に近付けたロケットエンジン合体機関。
【請求項３４７】
過熱蒸気噴射ノズル（６Ｂ）と燃焼ガス噴射ノズル（６Ｃ）を具備して超臨界温度高温水（５２ｂ）と１６０℃以上の高温水（５２ｂ）を積載噴射して大気圧重力仕事率を燃焼ガスの１０００倍に近付けたロケットエンジン合体機関。
【請求項３４８】
燃焼ガス噴射ノズル（６Ｃ）と過熱蒸気噴射ノズル（６Ａ）を具備して超臨界温度高温水（５２ｂ）と１６０℃以上の高温水（５２ｂ）を積載噴射して大気圧重力仕事能力を燃焼ガスの６００００倍に近付けたロケットエンジン合体機関。
【請求項３４９】
燃焼ガス噴射ノズル（６Ｄ）と過熱蒸気噴射ノズル（６Ｂ）を具備して超臨界温度高温水（５２ｂ）と１６０℃以上の高温水（５２ｂ）を積載噴射して大気圧重力仕事能力を燃焼ガスの６００００倍に近付けたロケットエンジン合体機関。
【請求項３５０】
過熱蒸気噴射ノズル（６Ａ）と燃焼ガス噴射ノズル（６Ｄ）を具備して超臨界温度高温水（５２ｂ）と１６０℃以上の高温水（５２ｂ）を積載噴射して大気圧重力仕事能力を燃焼ガスの６００００倍に近付けたロケットエンジン合体機関。
【請求項３５１】
過熱蒸気噴射ノズル（６Ｂ）と燃焼ガス噴射ノズル（６Ｃ）を具備して超臨界温度高温水（５２ｂ）と１６０℃以上の高温水（５２ｂ）を積載噴射して大気圧重力仕事能力を燃焼ガスの６００００倍に近付けたロケットエンジン合体機関。
【請求項３５２】
燃焼ガス噴射ノズル（６Ｃ）と過熱蒸気噴射ノズル（６Ａ）を具備して超臨界温度高温水（５２ｂ）と１３０℃以上の高温水（５２ｂ）を積載したロケットエンジン合体機関。
【請求項３５３】
燃焼ガス噴射ノズル（６Ｄ）と過熱蒸気噴射ノズル（６Ｂ）を具備して超臨界温度高温水（５２ｂ）と１３０℃以上の高温水（５２ｂ）を積載したロケットエンジン合体機関。
【請求項３５４】
過熱蒸気噴射ノズル（６Ａ）と燃焼ガス噴射ノズル（６Ｄ）を具備して超臨界温度高温水（５２ｂ）と１３０℃以上の高温水（５２ｂ）を積載したロケットエンジン合体機関。
【請求項３５５】
過熱蒸気噴射ノズル（６Ｂ）と燃焼ガス噴射ノズル（６Ｃ）を具備して超臨界温度高温水（５２ｂ）と１３０℃以上の高温水（５２ｂ）を積載したロケットエンジン合体機関。
【請求項３５６】
燃焼ガス噴射ノズル（６Ｃ）と過熱蒸気噴射ノズル（６Ａ）を具備して超臨界温度高温水（５２ｂ）と１３０℃以上の高温水（５２ｂ）を積載噴射して大気圧重力仕事率を燃焼ガスの１０００倍に近付けたロケットエンジン合体機関。
【請求項３５７】
燃焼ガス噴射ノズル（６Ｄ）と過熱蒸気噴射ノズル（６Ｂ）を具備して超臨界温度高温水（５２ｂ）と１３０℃以上の高温水（５２ｂ）を積載噴射して大気圧重力仕事率を燃焼ガスの１０００倍に近付けたロケットエンジン合体機関。
【請求項３５８】
過熱蒸気噴射ノズル（６Ａ）と燃焼ガス噴射ノズル（６Ｄ）を具備して超臨界温度高温水（５２ｂ）と１３０℃以上の高温水（５２ｂ）を積載噴射して大気圧重力仕事率を燃焼ガスの１０００倍に近付けたロケットエンジン合体機関。
【請求項３５９】
過熱蒸気噴射ノズル（６Ｂ）と燃焼ガス噴射ノズル（６Ｃ）を具備して超臨界温度高温水（５２ｂ）と１３０℃以上の高温水（５２ｂ）を積載噴射して大気圧重力仕事率を燃焼ガスの１０００倍に近付けたロケットエンジン合体機関。
【請求項３６０】
燃焼ガス噴射ノズル（６Ｃ）と過熱蒸気噴射ノズル（６Ａ）を具備して超臨界温度高温水（５２ｂ）と１３０℃以上の高温水（５２ｂ）を積載噴射して大気圧重力仕事能力を燃焼ガスの６００００倍に近付けたロケットエンジン合体機関。
【請求項３６１】
燃焼ガス噴射ノズル（６Ｄ）と過熱蒸気噴射ノズル（６Ｂ）を具備して超臨界温度高温水（５２ｂ）と１３０℃以上の高温水（５２ｂ）を積載噴射して大気圧重力仕事能力を燃焼ガスの６００００倍に近付けたロケットエンジン合体機関。
【請求項３６２】
過熱蒸気噴射ノズル（６Ａ）と燃焼ガス噴射ノズル（６Ｄ）を具備して超臨界温度高温水（５２ｂ）と１３０℃以上の高温水（５２ｂ）を積載噴射して大気圧重力仕事能力を燃焼ガスの６００００倍に近付けたロケットエンジン合体機関。
【請求項３６３】
過熱蒸気噴射ノズル（６Ｂ）と燃焼ガス噴射ノズル（６Ｃ）を具備して超臨界温度高温水（５２ｂ）と１３０℃以上の高温水（５２ｂ）を積載噴射して大気圧重力仕事能力を燃焼ガスの６００００倍に近付けたロケットエンジン合体機関。
【請求項３６４】
燃焼ガス噴射ノズル（６Ｃ）と過熱蒸気噴射ノズル（６Ａ）を具備して超臨界温度高温水（５２ｂ）と１００℃以上の高温水（５２ｂ）を積載したロケットエンジン合体機関。
【請求項３６５】
燃焼ガス噴射ノズル（６Ｄ）と過熱蒸気噴射ノズル（６Ｂ）を具備して超臨界温度高温水（５２ｂ）と１００℃以上の高温水（５２ｂ）を積載したロケットエンジン合体機関。
【請求項３６６】
過熱蒸気噴射ノズル（６Ａ）と燃焼ガス噴射ノズル（６Ｄ）を具備して超臨界温度高温水（５２ｂ）と１００℃以上の高温水（５２ｂ）を積載したロケットエンジン合体機関。
【請求項３６７】
過熱蒸気噴射ノズル（６Ｂ）と燃焼ガス噴射ノズル（６Ｃ）を具備して超臨界温度高温水（５２ｂ）と１００℃以上の高温水（５２ｂ）を積載したロケットエンジン合体機関。
【請求項３６８】
燃焼ガス噴射ノズル（６Ｃ）と過熱蒸気噴射ノズル（６Ａ）を具備して超臨界温度高温水（５２ｂ）と１００℃以上の高温水（５２ｂ）を積載噴射して大気圧重力仕事率を燃焼ガスの１０００倍に近付けたロケットエンジン合体機関。
【請求項３６９】
燃焼ガス噴射ノズル（６Ｄ）と過熱蒸気噴射ノズル（６Ｂ）を具備して超臨界温度高温水（５２ｂ）と１００℃以上の高温水（５２ｂ）を積載噴射して大気圧重力仕事率を燃焼ガスの１０００倍に近付けたロケットエンジン合体機関。
【請求項３７０】
過熱蒸気噴射ノズル（６Ａ）と燃焼ガス噴射ノズル（６Ｄ）を具備して超臨界温度高温水（５２ｂ）と１００℃以上の高温水（５２ｂ）を積載噴射して大気圧重力仕事率を燃焼ガスの１０００倍に近付けたロケットエンジン合体機関。
【請求項３７１】
過熱蒸気噴射ノズル（６Ｂ）と燃焼ガス噴射ノズル（６Ｃ）を具備して超臨界温度高温水（５２ｂ）と１００℃以上の高温水（５２ｂ）を積載噴射して大気圧重力仕事率を燃焼ガスの１０００倍に近付けたロケットエンジン合体機関。
【請求項３７２】
燃焼ガス噴射ノズル（６Ｃ）と過熱蒸気噴射ノズル（６Ａ）を具備して超臨界温度高温水（５２ｂ）と１００℃以上の高温水（５２ｂ）を積載噴射して大気圧重力仕事能力を燃焼ガスの６００００倍に近付けたロケットエンジン合体機関。
【請求項３７３】
燃焼ガス噴射ノズル（６Ｄ）と過熱蒸気噴射ノズル（６Ｂ）を具備して超臨界温度高温水（５２ｂ）と１００℃以上の高温水（５２ｂ）を積載噴射して大気圧重力仕事能力を燃焼ガスの６００００倍に近付けたロケットエンジン合体機関。
【請求項３７４】
過熱蒸気噴射ノズル（６Ａ）と燃焼ガス噴射ノズル（６Ｄ）を具備して超臨界温度高温水（５２ｂ）と１００℃以上の高温水（５２ｂ）を積載噴射して大気圧重力仕事能力を燃焼ガスの６００００倍に近付けたロケットエンジン合体機関。
【請求項３７５】
過熱蒸気噴射ノズル（６Ｂ）と燃焼ガス噴射ノズル（６Ｃ）を具備して超臨界温度高温水（５２ｂ）と１００℃以上の高温水（５２ｂ）を積載噴射して大気圧重力仕事能力を燃焼ガスの６００００倍に近付けたロケットエンジン合体機関。
【請求項３７６】
燃焼ガス噴射ノズル（６Ｃ）と過熱蒸気噴射ノズル（６Ａ）を具備して超臨界温度高温水（５２ｂ）と１００℃以下の高温水（５２ｂ）を積載したロケットエンジン合体機関。
【請求項３７７】
燃焼ガス噴射ノズル（６Ｄ）と過熱蒸気噴射ノズル（６Ｂ）を具備して超臨界温度高温水（５２ｂ）と１００℃以下の高温水（５２ｂ）を積載したロケットエンジン合体機関。
【請求項３７８】
過熱蒸気噴射ノズル（６Ａ）と燃焼ガス噴射ノズル（６Ｄ）を具備して超臨界温度高温水（５２ｂ）と１００℃以下の高温水（５２ｂ）を積載したロケットエンジン合体機関。
【請求項３７９】
過熱蒸気噴射ノズル（６Ｂ）と燃焼ガス噴射ノズル（６Ｃ）を具備して超臨界温度高温水（５２ｂ）と１００℃以下の高温水（５２ｂ）を積載したロケットエンジン合体機関。
【請求項３８０】
燃焼ガス噴射ノズル（６Ｃ）と過熱蒸気噴射ノズル（６Ａ）を具備して超臨界温度高温水（５２ｂ）と１００℃以下の高温水（５２ｂ）を積載噴射して大気圧重力仕事率を燃焼ガスの１０００倍に近付けたロケットエンジン合体機関。
【請求項３８１】
燃焼ガス噴射ノズル（６Ｄ）と過熱蒸気噴射ノズル（６Ｂ）を具備して超臨界温度高温水（５２ｂ）と１００℃以下の高温水（５２ｂ）を積載噴射して大気圧重力仕事率を燃焼ガスの１０００倍に近付けたロケットエンジン合体機関。
【請求項３８２】
過熱蒸気噴射ノズル（６Ａ）と燃焼ガス噴射ノズル（６Ｄ）を具備して超臨界温度高温水（５２ｂ）と１００℃以下の高温水（５２ｂ）を積載噴射して大気圧重力仕事率を燃焼ガスの１０００倍に近付けたロケットエンジン合体機関。
【請求項３８３】
過熱蒸気噴射ノズル（６Ｂ）と燃焼ガス噴射ノズル（６Ｃ）を具備して超臨界温度高温水（５２ｂ）と１００℃以下の高温水（５２ｂ）を積載噴射して大気圧重力仕事率を燃焼ガスの１０００倍に近付けたロケットエンジン合体機関。
【請求項３８４】
燃焼ガス噴射ノズル（６Ｃ）と過熱蒸気噴射ノズル（６Ａ）を具備して超臨界温度高温水（５２ｂ）と１００℃以下の高温水（５２ｂ）を積載噴射して大気圧重力仕事能力を燃焼ガスの６００００倍に近付けたロケットエンジン合体機関。
【請求項３８５】
燃焼ガス噴射ノズル（６Ｄ）と過熱蒸気噴射ノズル（６Ｂ）を具備して超臨界温度高温水（５２ｂ）と１００℃以下の高温水（５２ｂ）を積載噴射して大気圧重力仕事能力を燃焼ガスの６００００倍に近付けたロケットエンジン合体機関。
【請求項３８６】
過熱蒸気噴射ノズル（６Ａ）と燃焼ガス噴射ノズル（６Ｄ）を具備して超臨界温度高温水（５２ｂ）と１００℃以下の高温水（５２ｂ）を積載噴射して大気圧重力仕事能力を燃焼ガスの６００００倍に近付けたロケットエンジン合体機関。
【請求項３８７】
過熱蒸気噴射ノズル（６Ｂ）と燃焼ガス噴射ノズル（６Ｃ）を具備して超臨界温度高温水（５２ｂ）と１００℃以下の高温水（５２ｂ）を積載噴射して大気圧重力仕事能力を燃焼ガスの６００００倍に近付けたロケットエンジン合体機関。
【請求項３８８】
燃焼ガス噴射ノズル（６Ｃ）を具備して複数温度の高温水（５２ｂ）と高温水（５２ｂ）を積載噴射して大気圧重力仕事率を燃焼ガスの１０００倍に近付けたロケットエンジン合体機関。
【請求項３８９】
燃焼ガス噴射ノズル（６Ｄ）を具備して複数温度の高温水（５２ｂ）と高温水（５２ｂ）を積載噴射して大気圧重力仕事率を燃焼ガスの１０００倍に近付けたロケットエンジン合体機関。
【請求項３９０】
過熱蒸気噴射ノズル（６Ａ）を具備して複数温度の高温水（５２ｂ）と高温水（５２ｂ）を積載噴射して大気圧重力仕事率を燃焼ガスの１０００倍に近付けたロケットエンジン合体機関。
【請求項３９１】
過熱蒸気噴射ノズル（６Ｂ）を具備して複数温度の高温水（５２ｂ）と高温水（５２ｂ）を積載噴射して大気圧重力仕事率を燃焼ガスの１０００倍に近付けたロケットエンジン合体機関。
【請求項３９２】
燃焼ガス噴射ノズル（６Ｃ）を具備して複数温度の高温水（５２ｂ）と高温水（５２ｂ）を積載噴射して大気圧重力仕事能力を燃焼ガスの６００００倍に近付けたロケットエンジン合体機関。
【請求項３９３】
燃焼ガス噴射ノズル（６Ｄ）を具備して複数温度の高温水（５２ｂ）と高温水（５２ｂ）を積載噴射して大気圧重力仕事能力を燃焼ガスの６００００倍に近付けたロケットエンジン合体機関。
【請求項３９４】
過熱蒸気噴射ノズル（６Ａ）を具備して複数温度の高温水（５２ｂ）と高温水（５２ｂ）を積載噴射して大気圧重力仕事能力を燃焼ガスの６００００倍に近付けたロケットエンジン合体機関。
【請求項３９５】
過熱蒸気噴射ノズル（６Ｂ）を具備して複数温度の高温水（５２ｂ）と高温水（５２ｂ）を積載噴射して大気圧重力仕事能力を燃焼ガスの６００００倍に近付けたロケットエンジン合体機関。
【請求項３９６】
燃焼ガス噴射ノズル（６Ｃ）を具備して複数温度の高温水（５２ｂ）と超臨界温度高温水（５２ｂ）を積載したロケットエンジン合体機関。
【請求項３９７】
燃焼ガス噴射ノズル（６Ｄ）を具備して複数温度の高温水（５２ｂ）と超臨界温度高温水（５２ｂ）を積載したロケットエンジン合体機関。
【請求項３９８】
過熱蒸気噴射ノズル（６Ａ）を具備して複数温度の高温水（５２ｂ）と超臨界温度高温水（５２ｂ）を積載したロケットエンジン合体機関。
【請求項３９９】
過熱蒸気噴射ノズル（６Ｂ）を具備して複数温度の高温水（５２ｂ）と超臨界温度高温水（５２ｂ）を積載したロケットエンジン合体機関。
【請求項４００】
燃焼ガス噴射ノズル（６Ｃ）を具備して複数温度の高温水（５２ｂ）と超臨界温度高温水（５２ｂ）を積載噴射して大気圧重力仕事率を燃焼ガスの１０００倍に近付けたロケットエンジン合体機関。
【請求項４０１】
燃焼ガス噴射ノズル（６Ｄ）を具備して複数温度の高温水（５２ｂ）と超臨界温度高温水（５２ｂ）を積載噴射して大気圧重力仕事率を燃焼ガスの１０００倍に近付けたロケットエンジン合体機関。
【請求項４０２】
過熱蒸気噴射ノズル（６Ａ）を具備して複数温度の高温水（５２ｂ）と超臨界温度高温水（５２ｂ）を積載噴射して大気圧重力仕事率を燃焼ガスの１０００倍に近付けたロケットエンジン合体機関。
【請求項４０３】
過熱蒸気噴射ノズル（６Ｂ）を具備して複数温度の高温水（５２ｂ）と超臨界温度高温水（５２ｂ）を積載噴射して大気圧重力仕事率を燃焼ガスの１０００倍に近付けたロケットエンジン合体機関。
【請求項４０４】
燃焼ガス噴射ノズル（６Ｃ）を具備して複数温度の高温水（５２ｂ）と超臨界温度高温水（５２ｂ）を積載噴射して大気圧重力仕事能力を燃焼ガスの６００００倍に近付けたロケットエンジン合体機関。
【請求項４０５】
燃焼ガス噴射ノズル（６Ｄ）を具備して複数温度の高温水（５２ｂ）と超臨界温度高温水（５２ｂ）を積載噴射して大気圧重力仕事能力を燃焼ガスの６００００倍に近付けたロケットエンジン合体機関。
【請求項４０６】
過熱蒸気噴射ノズル（６Ａ）を具備して複数温度の高温水（５２ｂ）と超臨界温度高温水（５２ｂ）を積載噴射して大気圧重力仕事能力を燃焼ガスの６００００倍に近付けたロケットエンジン合体機関。
【請求項４０７】
過熱蒸気噴射ノズル（６Ｂ）を具備して複数温度の高温水（５２ｂ）と超臨界温度高温水（５２ｂ）を積載噴射して大気圧重力仕事能力を燃焼ガスの６００００倍に近付けたロケットエンジン合体機関。
【請求項４０８】
燃焼ガス噴射ノズル（６Ｃ）を具備して複数温度の高温水（５２ｂ）と２００℃以上の高温水（５２ｂ）を積載したロケットエンジン合体機関。
【請求項４０９】
燃焼ガス噴射ノズル（６Ｄ）を具備して複数温度の高温水（５２ｂ）と２００℃以上の高温水（５２ｂ）を積載したロケットエンジン合体機関。
【請求項４１０】
過熱蒸気噴射ノズル（６Ａ）を具備して複数温度の高温水（５２ｂ）と２００℃以上の高温水（５２ｂ）を積載したロケットエンジン合体機関。
【請求項４１１】
過熱蒸気噴射ノズル（６Ｂ）を具備して複数温度の高温水（５２ｂ）と２００℃以上の高温水（５２ｂ）を積載したロケットエンジン合体機関。
【請求項４１２】
燃焼ガス噴射ノズル（６Ｃ）を具備して複数温度の高温水（５２ｂ）と２００℃以上の高温水（５２ｂ）を積載噴射して大気圧重力仕事率を燃焼ガスの１０００倍に近付けたロケットエンジン合体機関。
【請求項４１３】
燃焼ガス噴射ノズル（６Ｄ）を具備して複数温度の高温水（５２ｂ）と２００℃以上の高温水（５２ｂ）を積載噴射して大気圧重力仕事率を燃焼ガスの１０００倍に近付けたロケットエンジン合体機関。
【請求項４１４】
過熱蒸気噴射ノズル（６Ａ）を具備して複数温度の高温水（５２ｂ）と２００℃以上の高温水（５２ｂ）を積載噴射して大気圧重力仕事率を燃焼ガスの１０００倍に近付けたロケットエンジン合体機関。
【請求項４１５】
過熱蒸気噴射ノズル（６Ｂ）を具備して複数温度の高温水（５２ｂ）と２００℃以上の高温水（５２ｂ）を積載噴射して大気圧重力仕事率を燃焼ガスの１０００倍に近付けたロケットエンジン合体機関。
【請求項４１６】
燃焼ガス噴射ノズル（６Ｃ）を具備して複数温度の高温水（５２ｂ）と２００℃以上の高温水（５２ｂ）を積載噴射して大気圧重力仕事能力を燃焼ガスの６００００倍に近付けたロケットエンジン合体機関。
【請求項４１７】
燃焼ガス噴射ノズル（６Ｄ）を具備して複数温度の高温水（５２ｂ）と２００℃以上の高温水（５２ｂ）を積載噴射して大気圧重力仕事能力を燃焼ガスの６００００倍に近付けたロケットエンジン合体機関。
【請求項４１８】
過熱蒸気噴射ノズル（６Ａ）を具備して複数温度の高温水（５２ｂ）と２００℃以上の高温水（５２ｂ）を積載噴射して大気圧重力仕事能力を燃焼ガスの６００００倍に近付けたロケットエンジン合体機関。
【請求項４１９】
過熱蒸気噴射ノズル（６Ｂ）を具備して複数温度の高温水（５２ｂ）と２００℃以上の高温水（５２ｂ）を積載噴射して大気圧重力仕事能力を燃焼ガスの６００００倍に近付けたロケットエンジン合体機関。
【請求項４２０】
燃焼ガス噴射ノズル（６Ｃ）を具備して複数温度の高温水（５２ｂ）と１６０℃以上の高温水（５２ｂ）を積載したロケットエンジン合体機関。
【請求項４２１】
燃焼ガス噴射ノズル（６Ｄ）を具備して複数温度の高温水（５２ｂ）と１６０℃以上の高温水（５２ｂ）を積載したロケットエンジン合体機関。
【請求項４２２】
過熱蒸気噴射ノズル（６Ａ）を具備して複数温度の高温水（５２ｂ）と１６０℃以上の高温水（５２ｂ）を積載したロケットエンジン合体機関。
【請求項４２３】
過熱蒸気噴射ノズル（６Ｂ）を具備して複数温度の高温水（５２ｂ）と１６０℃以上の高温水（５２ｂ）を積載したロケットエンジン合体機関。
【請求項４２４】
燃焼ガス噴射ノズル（６Ｃ）を具備して複数温度の高温水（５２ｂ）と１６０℃以上の高温水（５２ｂ）を積載噴射して大気圧重力仕事率を燃焼ガスの１０００倍に近付けたロケットエンジン合体機関。
【請求項４２５】
燃焼ガス噴射ノズル（６Ｄ）を具備して複数温度の高温水（５２ｂ）と１６０℃以上の高温水（５２ｂ）を積載噴射して大気圧重力仕事率を燃焼ガスの１０００倍に近付けたロケットエンジン合体機関。
【請求項４２６】
過熱蒸気噴射ノズル（６Ａ）を具備して複数温度の高温水（５２ｂ）と１６０℃以上の高温水（５２ｂ）を積載噴射して大気圧重力仕事率を燃焼ガスの１０００倍に近付けたロケットエンジン合体機関。
【請求項４２７】
過熱蒸気噴射ノズル（６Ｂ）を具備して複数温度の高温水（５２ｂ）と１６０℃以上の高温水（５２ｂ）を積載噴射して大気圧重力仕事率を燃焼ガスの１０００倍に近付けたロケットエンジン合体機関。
【請求項４２８】
燃焼ガス噴射ノズル（６Ｃ）を具備して複数温度の高温水（５２ｂ）と１６０℃以上の高温水（５２ｂ）を積載噴射して大気圧重力仕事能力を燃焼ガスの６００００倍に近付けたロケットエンジン合体機関。
【請求項４２９】
燃焼ガス噴射ノズル（６Ｄ）を具備して複数温度の高温水（５２ｂ）と１６０℃以上の高温水（５２ｂ）を積載噴射して大気圧重力仕事能力を燃焼ガスの６００００倍に近付けたロケットエンジン合体機関。
【請求項４３０】
過熱蒸気噴射ノズル（６Ａ）を具備して複数温度の高温水（５２ｂ）と１６０℃以上の高温水（５２ｂ）を積載噴射して大気圧重力仕事能力を燃焼ガスの６００００倍に近付けたロケットエンジン合体機関。
【請求項４３１】
過熱蒸気噴射ノズル（６Ｂ）を具備して複数温度の高温水（５２ｂ）と１６０℃以上の高温水（５２ｂ）を積載噴射して大気圧重力仕事能力を燃焼ガスの６００００倍に近付けたロケットエンジン合体機関。
【請求項４３２】
燃焼ガス噴射ノズル（６Ｃ）を具備して複数温度の高温水（５２ｂ）と１３０℃以上の高温水（５２ｂ）を積載したロケットエンジン合体機関。
【請求項４３３】
燃焼ガス噴射ノズル（６Ｄ）を具備して複数温度の高温水（５２ｂ）と１３０℃以上の高温水（５２ｂ）を積載したロケットエンジン合体機関。
【請求項４３４】
過熱蒸気噴射ノズル（６Ａ）を具備して複数温度の高温水（５２ｂ）と１３０℃以上の高温水（５２ｂ）を積載したロケットエンジン合体機関。
【請求項４３５】
過熱蒸気噴射ノズル（６Ｂ）を具備して複数温度の高温水（５２ｂ）と１３０℃以上の高温水（５２ｂ）を積載したロケットエンジン合体機関。
【請求項４３６】
燃焼ガス噴射ノズル（６Ｃ）を具備して複数温度の高温水（５２ｂ）と１３０℃以上の高温水（５２ｂ）を積載噴射して大気圧重力仕事率を燃焼ガスの１０００倍に近付けたロケットエンジン合体機関。
【請求項４３７】
燃焼ガス噴射ノズル（６Ｄ）を具備して複数温度の高温水（５２ｂ）と１３０℃以上の高温水（５２ｂ）を積載噴射して大気圧重力仕事率を燃焼ガスの１０００倍に近付けたロケットエンジン合体機関。
【請求項４３８】
過熱蒸気噴射ノズル（６Ａ）を具備して複数温度の高温水（５２ｂ）と１３０℃以上の高温水（５２ｂ）を積載噴射して大気圧重力仕事率を燃焼ガスの１０００倍に近付けたロケットエンジン合体機関。
【請求項４３９】
過熱蒸気噴射ノズル（６Ｂ）を具備して複数温度の高温水（５２ｂ）と１３０℃以上の高温水（５２ｂ）を積載噴射して大気圧重力仕事率を燃焼ガスの１０００倍に近付けたロケットエンジン合体機関。
【請求項４４０】
燃焼ガス噴射ノズル（６Ｃ）を具備して複数温度の高温水（５２ｂ）と１３０℃以上の高温水（５２ｂ）を積載噴射して大気圧重力仕事能力を燃焼ガスの６００００倍に近付けたロケットエンジン合体機関。
【請求項４４１】
燃焼ガス噴射ノズル（６Ｄ）を具備して複数温度の高温水（５２ｂ）と１３０℃以上の高温水（５２ｂ）を積載噴射して大気圧重力仕事能力を燃焼ガスの６００００倍に近付けたロケットエンジン合体機関。
【請求項４４２】
過熱蒸気噴射ノズル（６Ａ）を具備して複数温度の高温水（５２ｂ）と１３０℃以上の高温水（５２ｂ）を積載噴射して大気圧重力仕事能力を燃焼ガスの６００００倍に近付けたロケットエンジン合体機関。
【請求項４４３】
過熱蒸気噴射ノズル（６Ｂ）を具備して複数温度の高温水（５２ｂ）と１３０℃以上の高温水（５２ｂ）を積載噴射して大気圧重力仕事能力を燃焼ガスの６００００倍に近付けたロケットエンジン合体機関。
【請求項４４４】
燃焼ガス噴射ノズル（６Ｃ）を具備して複数温度の高温水（５２ｂ）と１００℃以上の高温水（５２ｂ）を積載したロケットエンジン合体機関。
【請求項４４５】
燃焼ガス噴射ノズル（６Ｄ）を具備して複数温度の高温水（５２ｂ）と１００℃以上の高温水（５２ｂ）を積載したロケットエンジン合体機関。
【請求項４４６】
過熱蒸気噴射ノズル（６Ａ）を具備して複数温度の高温水（５２ｂ）と１００℃以上の高温水（５２ｂ）を積載したロケットエンジン合体機関。
【請求項４４７】
過熱蒸気噴射ノズル（６Ｂ）を具備して複数温度の高温水（５２ｂ）と１００℃以上の高温水（５２ｂ）を積載したロケットエンジン合体機関。
【請求項４４８】
燃焼ガス噴射ノズル（６Ｃ）を具備して複数温度の高温水（５２ｂ）と１００℃以上の高温水（５２ｂ）を積載噴射して大気圧重力仕事率を燃焼ガスの１０００倍に近付けたロケットエンジン合体機関。
【請求項４４９】
燃焼ガス噴射ノズル（６Ｄ）を具備して複数温度の高温水（５２ｂ）と１００℃以上の高温水（５２ｂ）を積載噴射して大気圧重力仕事率を燃焼ガスの１０００倍に近付けたロケットエンジン合体機関。
【請求項４５０】
過熱蒸気噴射ノズル（６Ａ）を具備して複数温度の高温水（５２ｂ）と１００℃以上の高温水（５２ｂ）を積載噴射して大気圧重力仕事率を燃焼ガスの１０００倍に近付けたロケットエンジン合体機関。
【請求項４５１】
過熱蒸気噴射ノズル（６Ｂ）を具備して複数温度の高温水（５２ｂ）と１００℃以上の高温水（５２ｂ）を積載噴射して大気圧重力仕事率を燃焼ガスの１０００倍に近付けたロケットエンジン合体機関。
【請求項４５２】
燃焼ガス噴射ノズル（６Ｃ）を具備して複数温度の高温水（５２ｂ）と１００℃以上の高温水（５２ｂ）を積載噴射して大気圧重力仕事能力を燃焼ガスの６００００倍に近付けたロケットエンジン合体機関。
【請求項４５３】
燃焼ガス噴射ノズル（６Ｄ）を具備して複数温度の高温水（５２ｂ）と１００℃以上の高温水（５２ｂ）を積載噴射して大気圧重力仕事能力を燃焼ガスの６００００倍に近付けたロケットエンジン合体機関。
【請求項４５４】
過熱蒸気噴射ノズル（６Ａ）を具備して複数温度の高温水（５２ｂ）と１００℃以上の高温水（５２ｂ）を積載噴射して大気圧重力仕事能力を燃焼ガスの６００００倍に近付けたロケットエンジン合体機関。
【請求項４５５】
過熱蒸気噴射ノズル（６Ｂ）を具備して複数温度の高温水（５２ｂ）と１００℃以上の高温水（５２ｂ）を積載噴射して大気圧重力仕事能力を燃焼ガスの６００００倍に近付けたロケットエンジン合体機関。
【請求項４５６】
燃焼ガス噴射ノズル（６Ｃ）を具備して複数温度の高温水（５２ｂ）と１００℃以下の高温水（５２ｂ）を積載したロケットエンジン合体機関。
【請求項４５７】
燃焼ガス噴射ノズル（６Ｄ）を具備して複数温度の高温水（５２ｂ）と１００℃以下の高温水（５２ｂ）を積載したロケットエンジン合体機関。
【請求項４５８】
過熱蒸気噴射ノズル（６Ａ）を具備して複数温度の高温水（５２ｂ）と１００℃以下の高温水（５２ｂ）を積載したロケットエンジン合体機関。
【請求項４５９】
過熱蒸気噴射ノズル（６Ｂ）を具備して複数温度の高温水（５２ｂ）と１００℃以下の高温水（５２ｂ）を積載したロケットエンジン合体機関。
【請求項４６０】
燃焼ガス噴射ノズル（６Ｃ）を具備して複数温度の高温水（５２ｂ）と１００℃以下の高温水（５２ｂ）を積載噴射して大気圧重力仕事率を燃焼ガスの１０００倍に近付けたロケットエンジン合体機関。
【請求項４６１】
燃焼ガス噴射ノズル（６Ｄ）を具備して複数温度の高温水（５２ｂ）と１００℃以下の高温水（５２ｂ）を積載噴射して大気圧重力仕事率を燃焼ガスの１０００倍に近付けたロケットエンジン合体機関。
【請求項４６２】
過熱蒸気噴射ノズル（６Ａ）を具備して複数温度の高温水（５２ｂ）と１００℃以下の高温水（５２ｂ）を積載噴射して大気圧重力仕事率を燃焼ガスの１０００倍に近付けたロケットエンジン合体機関。
【請求項４６３】
過熱蒸気噴射ノズル（６Ｂ）を具備して複数温度の高温水（５２ｂ）と１００℃以下の高温水（５２ｂ）を積載噴射して大気圧重力仕事率を燃焼ガスの１０００倍に近付けたロケットエンジン合体機関。
【請求項４６４】
燃焼ガス噴射ノズル（６Ｃ）を具備して複数温度の高温水（５２ｂ）と１００℃以下の高温水（５２ｂ）を積載噴射して大気圧重力仕事能力を燃焼ガスの６００００倍に近付けたロケットエンジン合体機関。
【請求項４６５】
燃焼ガス噴射ノズル（６Ｄ）を具備して複数温度の高温水（５２ｂ）と１００℃以下の高温水（５２ｂ）を積載噴射して大気圧重力仕事能力を燃焼ガスの６００００倍に近付けたロケットエンジン合体機関。
【請求項４６６】
過熱蒸気噴射ノズル（６Ａ）を具備して複数温度の高温水（５２ｂ）と１００℃以下の高温水（５２ｂ）を積載噴射して大気圧重力仕事能力を燃焼ガスの６００００倍に近付けたロケットエンジン合体機関。
【請求項４６７】
過熱蒸気噴射ノズル（６Ｂ）を具備して複数温度の高温水（５２ｂ）と１００℃以下の高温水（５２ｂ）を積載噴射して大気圧重力仕事能力を燃焼ガスの６００００倍に近付けたロケットエンジン合体機関。
【請求項４６８】
燃焼ガス噴射ノズル（６Ｃ）と過熱蒸気噴射ノズル（６Ａ）を具備して複数温度の高温水（５２ｂ）と高温水（５２ｂ）を積載したロケットエンジン合体機関。
【請求項４６９】
燃焼ガス噴射ノズル（６Ｄ）と過熱蒸気噴射ノズル（６Ｂ）を具備して複数温度の高温水（５２ｂ）と高温水（５２ｂ）を積載したロケットエンジン合体機関。
【請求項４７０】
過熱蒸気噴射ノズル（６Ａ）と燃焼ガス噴射ノズル（６Ｄ）を具備して複数温度の高温水（５２ｂ）と高温水（５２ｂ）を積載したロケットエンジン合体機関。
【請求項４７１】
過熱蒸気噴射ノズル（６Ｂ）と燃焼ガス噴射ノズル（６Ｃ）を具備して複数温度の高温水（５２ｂ）と高温水（５２ｂ）を積載したロケットエンジン合体機関。
【請求項４７２】
燃焼ガス噴射ノズル（６Ｃ）と過熱蒸気噴射ノズル（６Ａ）を具備して複数温度の高温水（５２ｂ）と高温水（５２ｂ）を積載噴射して大気圧重力仕事率を燃焼ガスの１０００倍に近付けたロケットエンジン合体機関。
【請求項４７３】
燃焼ガス噴射ノズル（６Ｄ）と過熱蒸気噴射ノズル（６Ｂ）を具備して複数温度の高温水（５２ｂ）と高温水（５２ｂ）を積載噴射して大気圧重力仕事率を燃焼ガスの１０００倍に近付けたロケットエンジン合体機関。
【請求項４７４】
過熱蒸気噴射ノズル（６Ａ）と燃焼ガス噴射ノズル（６Ｄ）を具備して複数温度の高温水（５２ｂ）と高温水（５２ｂ）を積載噴射して大気圧重力仕事率を燃焼ガスの１０００倍に近付けたロケットエンジン合体機関。
【請求項４７５】
過熱蒸気噴射ノズル（６Ｂ）と燃焼ガス噴射ノズル（６Ｃ）を具備して複数温度の高温水（５２ｂ）と高温水（５２ｂ）を積載噴射して大気圧重力仕事率を燃焼ガスの１０００倍に近付けたロケットエンジン合体機関。
【請求項４７６】
燃焼ガス噴射ノズル（６Ｃ）と過熱蒸気噴射ノズル（６Ａ）を具備して複数温度の高温水（５２ｂ）と高温水（５２ｂ）を積載噴射して大気圧重力仕事能力を燃焼ガスの６００００倍に近付けたロケットエンジン合体機関。
【請求項４７７】
燃焼ガス噴射ノズル（６Ｄ）と過熱蒸気噴射ノズル（６Ｂ）を具備して複数温度の高温水（５２ｂ）と高温水（５２ｂ）を積載噴射して大気圧重力仕事能力を燃焼ガスの６００００倍に近付けたロケットエンジン合体機関。
【請求項４７８】
過熱蒸気噴射ノズル（６Ａ）と燃焼ガス噴射ノズル（６Ｄ）を具備して複数温度の高温水（５２ｂ）と高温水（５２ｂ）を積載噴射して大気圧重力仕事能力を燃焼ガスの６００００倍に近付けたロケットエンジン合体機関。
【請求項４７９】
過熱蒸気噴射ノズル（６Ｂ）と燃焼ガス噴射ノズル（６Ｃ）を具備して複数温度の高温水（５２ｂ）と高温水（５２ｂ）を積載噴射して大気圧重力仕事能力を燃焼ガスの６００００倍に近付けたロケットエンジン合体機関。
【請求項４８０】
燃焼ガス噴射ノズル（６Ｃ）と過熱蒸気噴射ノズル（６Ａ）を具備して複数温度の高温水（５２ｂ）と超臨界温度高温水（５２ｂ）を積載したロケットエンジン合体機関。
【請求項４８１】
燃焼ガス噴射ノズル（６Ｄ）と過熱蒸気噴射ノズル（６Ｂ）を具備して複数温度の高温水（５２ｂ）と超臨界温度高温水（５２ｂ）を積載したロケットエンジン合体機関。
【請求項４８２】
過熱蒸気噴射ノズル（６Ａ）と燃焼ガス噴射ノズル（６Ｄ）を具備して複数温度の高温水（５２ｂ）と超臨界温度高温水（５２ｂ）を積載したロケットエンジン合体機関。
【請求項４８３】
過熱蒸気噴射ノズル（６Ｂ）と燃焼ガス噴射ノズル（６Ｃ）を具備して複数温度の高温水（５２ｂ）と超臨界温度高温水（５２ｂ）を積載したロケットエンジン合体機関。
【請求項４８４】
燃焼ガス噴射ノズル（６Ｃ）と過熱蒸気噴射ノズル（６Ａ）を具備して複数温度の高温水（５２ｂ）と超臨界温度高温水（５２ｂ）を積載噴射して大気圧重力仕事率を燃焼ガスの１０００倍に近付けたロケットエンジン合体機関。
【請求項４８５】
燃焼ガス噴射ノズル（６Ｄ）と過熱蒸気噴射ノズル（６Ｂ）を具備して複数温度の高温水（５２ｂ）と超臨界温度高温水（５２ｂ）を積載噴射して大気圧重力仕事率を燃焼ガスの１０００倍に近付けたロケットエンジン合体機関。
【請求項４８６】
過熱蒸気噴射ノズル（６Ａ）と燃焼ガス噴射ノズル（６Ｄ）を具備して複数温度の高温水（５２ｂ）と超臨界温度高温水（５２ｂ）を積載噴射して大気圧重力仕事率を燃焼ガスの１０００倍に近付けたロケットエンジン合体機関。
【請求項４８７】
過熱蒸気噴射ノズル（６Ｂ）と燃焼ガス噴射ノズル（６Ｃ）を具備して複数温度の高温水（５２ｂ）と超臨界温度高温水（５２ｂ）を積載噴射して大気圧重力仕事率を燃焼ガスの１０００倍に近付けたロケットエンジン合体機関。
【請求項４８８】
燃焼ガス噴射ノズル（６Ｃ）と過熱蒸気噴射ノズル（６Ａ）を具備して複数温度の高温水（５２ｂ）と超臨界温度高温水（５２ｂ）を積載噴射して大気圧重力仕事能力を燃焼ガスの６００００倍に近付けたロケットエンジン合体機関。
【請求項４８９】
燃焼ガス噴射ノズル（６Ｄ）と過熱蒸気噴射ノズル（６Ｂ）を具備して複数温度の高温水（５２ｂ）と超臨界温度高温水（５２ｂ）を積載噴射して大気圧重力仕事能力を燃焼ガスの６００００倍に近付けたロケットエンジン合体機関。
【請求項４９０】
過熱蒸気噴射ノズル（６Ａ）と燃焼ガス噴射ノズル（６Ｄ）を具備して複数温度の高温水（５２ｂ）と超臨界温度高温水（５２ｂ）を積載噴射して大気圧重力仕事能力を燃焼ガスの６００００倍に近付けたロケットエンジン合体機関。
【請求項４９１】
過熱蒸気噴射ノズル（６Ｂ）と燃焼ガス噴射ノズル（６Ｃ）を具備して複数温度の高温水（５２ｂ）と超臨界温度高温水（５２ｂ）を積載噴射して大気圧重力仕事能力を燃焼ガスの６００００倍に近付けたロケットエンジン合体機関。
【請求項４９２】
燃焼ガス噴射ノズル（６Ｃ）と過熱蒸気噴射ノズル（６Ａ）を具備して複数温度の高温水（５２ｂ）と２００℃以上の高温水（５２ｂ）を積載したロケットエンジン合体機関。
【請求項４９３】
燃焼ガス噴射ノズル（６Ｄ）と過熱蒸気噴射ノズル（６Ｂ）を具備して複数温度の高温水（５２ｂ）と２００℃以上の高温水（５２ｂ）を積載したロケットエンジン合体機関。
【請求項４９４】
過熱蒸気噴射ノズル（６Ａ）と燃焼ガス噴射ノズル（６Ｄ）を具備して複数温度の高温水（５２ｂ）と２００℃以上の高温水（５２ｂ）を積載したロケットエンジン合体機関。
【請求項４９５】
過熱蒸気噴射ノズル（６Ｂ）と燃焼ガス噴射ノズル（６Ｃ）を具備して複数温度の高温水（５２ｂ）と２００℃以上の高温水（５２ｂ）を積載したロケットエンジン合体機関。
【請求項４９６】
燃焼ガス噴射ノズル（６Ｃ）と過熱蒸気噴射ノズル（６Ａ）を具備して複数温度の高温水（５２ｂ）と２００℃以上の高温水（５２ｂ）を積載噴射して大気圧重力仕事率を燃焼ガスの１０００倍に近付けたロケットエンジン合体機関。
【請求項４９７】
燃焼ガス噴射ノズル（６Ｄ）と過熱蒸気噴射ノズル（６Ｂ）を具備して複数温度の高温水（５２ｂ）と２００℃以上の高温水（５２ｂ）を積載噴射して大気圧重力仕事率を燃焼ガスの１０００倍に近付けたロケットエンジン合体機関。
【請求項４９８】
過熱蒸気噴射ノズル（６Ａ）と燃焼ガス噴射ノズル（６Ｄ）を具備して複数温度の高温水（５２ｂ）と２００℃以上の高温水（５２ｂ）を積載噴射して大気圧重力仕事率を燃焼ガスの１０００倍に近付けたロケットエンジン合体機関。
【請求項４９９】
過熱蒸気噴射ノズル（６Ｂ）と燃焼ガス噴射ノズル（６Ｃ）を具備して複数温度の高温水（５２ｂ）と２００℃以上の高温水（５２ｂ）を積載噴射して大気圧重力仕事率を燃焼ガスの１０００倍に近付けたロケットエンジン合体機関。
【請求項５００】
燃焼ガス噴射ノズル（６Ｃ）と過熱蒸気噴射ノズル（６Ａ）を具備して複数温度の高温水（５２ｂ）と２００℃以上の高温水（５２ｂ）を積載噴射して大気圧重力仕事能力を燃焼ガスの６００００倍に近付けたロケットエンジン合体機関。
【請求項５０１】
燃焼ガス噴射ノズル（６Ｄ）と過熱蒸気噴射ノズル（６Ｂ）を具備して複数温度の高温水（５２ｂ）と２００℃以上の高温水（５２ｂ）を積載噴射して大気圧重力仕事能力を燃焼ガスの６００００倍に近付けたロケットエンジン合体機関。
【請求項５０２】
過熱蒸気噴射ノズル（６Ａ）と燃焼ガス噴射ノズル（６Ｄ）を具備して複数温度の高温水（５２ｂ）と２００℃以上の高温水（５２ｂ）を積載噴射して大気圧重力仕事能力を燃焼ガスの６００００倍に近付けたロケットエンジン合体機関。
【請求項５０３】
過熱蒸気噴射ノズル（６Ｂ）と燃焼ガス噴射ノズル（６Ｃ）を具備して複数温度の高温水（５２ｂ）と２００℃以上の高温水（５２ｂ）を積載噴射して大気圧重力仕事能力を燃焼ガスの６００００倍に近付けたロケットエンジン合体機関。
【請求項５０４】
燃焼ガス噴射ノズル（６Ｃ）と過熱蒸気噴射ノズル（６Ａ）を具備して複数温度の高温水（５２ｂ）と１６０℃以上の高温水（５２ｂ）を積載したロケットエンジン合体機関。
【請求項５０５】
燃焼ガス噴射ノズル（６Ｄ）と過熱蒸気噴射ノズル（６Ｂ）を具備して複数温度の高温水（５２ｂ）と１６０℃以上の高温水（５２ｂ）を積載したロケットエンジン合体機関。
【請求項５０６】
過熱蒸気噴射ノズル（６Ａ）と燃焼ガス噴射ノズル（６Ｄ）を具備して複数温度の高温水（５２ｂ）と１６０℃以上の高温水（５２ｂ）を積載したロケットエンジン合体機関。
【請求項５０７】
過熱蒸気噴射ノズル（６Ｂ）と燃焼ガス噴射ノズル（６Ｃ）を具備して複数温度の高温水（５２ｂ）と１６０℃以上の高温水（５２ｂ）を積載したロケットエンジン合体機関。
【請求項５０８】
燃焼ガス噴射ノズル（６Ｃ）と過熱蒸気噴射ノズル（６Ａ）を具備して複数温度の高温水（５２ｂ）と１６０℃以上の高温水（５２ｂ）を積載噴射して大気圧重力仕事率を燃焼ガスの１０００倍に近付けたロケットエンジン合体機関。
【請求項５０９】
燃焼ガス噴射ノズル（６Ｄ）と過熱蒸気噴射ノズル（６Ｂ）を具備して複数温度の高温水（５２ｂ）と１６０℃以上の高温水（５２ｂ）を積載噴射して大気圧重力仕事率を燃焼ガスの１０００倍に近付けたロケットエンジン合体機関。
【請求項５１０】
過熱蒸気噴射ノズル（６Ａ）と燃焼ガス噴射ノズル（６Ｄ）を具備して複数温度の高温水（５２ｂ）と１６０℃以上の高温水（５２ｂ）を積載噴射して大気圧重力仕事率を燃焼ガスの１０００倍に近付けたロケットエンジン合体機関。
【請求項５１１】
過熱蒸気噴射ノズル（６Ｂ）と燃焼ガス噴射ノズル（６Ｃ）を具備して複数温度の高温水（５２ｂ）と１６０℃以上の高温水（５２ｂ）を積載噴射して大気圧重力仕事率を燃焼ガスの１０００倍に近付けたロケットエンジン合体機関。
【請求項５１２】
燃焼ガス噴射ノズル（６Ｃ）と過熱蒸気噴射ノズル（６Ａ）を具備して複数温度の高温水（５２ｂ）と１６０℃以上の高温水（５２ｂ）を積載噴射して大気圧重力仕事能力を燃焼ガスの６００００倍に近付けたロケットエンジン合体機関。
【請求項５１３】
燃焼ガス噴射ノズル（６Ｄ）と過熱蒸気噴射ノズル（６Ｂ）を具備して複数温度の高温水（５２ｂ）と１６０℃以上の高温水（５２ｂ）を積載噴射して大気圧重力仕事能力を燃焼ガスの６００００倍に近付けたロケットエンジン合体機関。
【請求項５１４】
過熱蒸気噴射ノズル（６Ａ）と燃焼ガス噴射ノズル（６Ｄ）を具備して複数温度の高温水（５２ｂ）と１６０℃以上の高温水（５２ｂ）を積載噴射して大気圧重力仕事能力を燃焼ガスの６００００倍に近付けたロケットエンジン合体機関。
【請求項５１５】
過熱蒸気噴射ノズル（６Ｂ）と燃焼ガス噴射ノズル（６Ｃ）を具備して複数温度の高温水（５２ｂ）と１６０℃以上の高温水（５２ｂ）を積載噴射して大気圧重力仕事能力を燃焼ガスの６００００倍に近付けたロケットエンジン合体機関。
【請求項５１６】
燃焼ガス噴射ノズル（６Ｃ）と過熱蒸気噴射ノズル（６Ａ）を具備して複数温度の高温水（５２ｂ）と１３０℃以上の高温水（５２ｂ）を積載したロケットエンジン合体機関。
【請求項５１７】
燃焼ガス噴射ノズル（６Ｄ）と過熱蒸気噴射ノズル（６Ｂ）を具備して複数温度の高温水（５２ｂ）と１３０℃以上の高温水（５２ｂ）を積載したロケットエンジン合体機関。
【請求項５１８】
過熱蒸気噴射ノズル（６Ａ）と燃焼ガス噴射ノズル（６Ｄ）を具備して複数温度の高温水（５２ｂ）と１３０℃以上の高温水（５２ｂ）を積載したロケットエンジン合体機関。
【請求項５１９】
過熱蒸気噴射ノズル（６Ｂ）と燃焼ガス噴射ノズル（６Ｃ）を具備して複数温度の高温水（５２ｂ）と１３０℃以上の高温水（５２ｂ）を積載したロケットエンジン合体機関。
【請求項５２０】
燃焼ガス噴射ノズル（６Ｃ）と過熱蒸気噴射ノズル（６Ａ）を具備して複数温度の高温水（５２ｂ）と１３０℃以上の高温水（５２ｂ）を積載噴射して大気圧重力仕事率を燃焼ガスの１０００倍に近付けたロケットエンジン合体機関。
【請求項５２１】
燃焼ガス噴射ノズル（６Ｄ）と過熱蒸気噴射ノズル（６Ｂ）を具備して複数温度の高温水（５２ｂ）と１３０℃以上の高温水（５２ｂ）を積載噴射して大気圧重力仕事率を燃焼ガスの１０００倍に近付けたロケットエンジン合体機関。
【請求項５２２】
過熱蒸気噴射ノズル（６Ａ）と燃焼ガス噴射ノズル（６Ｄ）を具備して複数温度の高温水（５２ｂ）と１３０℃以上の高温水（５２ｂ）を積載噴射して大気圧重力仕事率を燃焼ガスの１０００倍に近付けたロケットエンジン合体機関。
【請求項５２３】
過熱蒸気噴射ノズル（６Ｂ）と燃焼ガス噴射ノズル（６Ｃ）を具備して複数温度の高温水（５２ｂ）と１３０℃以上の高温水（５２ｂ）を積載噴射して大気圧重力仕事率を燃焼ガスの１０００倍に近付けたロケットエンジン合体機関。
【請求項５２４】
燃焼ガス噴射ノズル（６Ｃ）と過熱蒸気噴射ノズル（６Ａ）を具備して複数温度の高温水（５２ｂ）と１３０℃以上の高温水（５２ｂ）を積載噴射して大気圧重力仕事能力を燃焼ガスの６００００倍に近付けたロケットエンジン合体機関。
【請求項５２５】
燃焼ガス噴射ノズル（６Ｄ）と過熱蒸気噴射ノズル（６Ｂ）を具備して複数温度の高温水（５２ｂ）と１３０℃以上の高温水（５２ｂ）を積載噴射して大気圧重力仕事能力を燃焼ガスの６００００倍に近付けたロケットエンジン合体機関。
【請求項５２６】
過熱蒸気噴射ノズル（６Ａ）と燃焼ガス噴射ノズル（６Ｄ）を具備して複数温度の高温水（５２ｂ）と１３０℃以上の高温水（５２ｂ）を積載噴射して大気圧重力仕事能力を燃焼ガスの６００００倍に近付けたロケットエンジン合体機関。
【請求項５２７】
過熱蒸気噴射ノズル（６Ｂ）と燃焼ガス噴射ノズル（６Ｃ）を具備して複数温度の高温水（５２ｂ）と１３０℃以上の高温水（５２ｂ）を積載噴射して大気圧重力仕事能力を燃焼ガスの６００００倍に近付けたロケットエンジン合体機関。
【請求項５２８】
燃焼ガス噴射ノズル（６Ｃ）と過熱蒸気噴射ノズル（６Ａ）を具備して複数温度の高温水（５２ｂ）と１００℃以上の高温水（５２ｂ）を積載したロケットエンジン合体機関。
【請求項５２９】
燃焼ガス噴射ノズル（６Ｄ）と過熱蒸気噴射ノズル（６Ｂ）を具備して複数温度の高温水（５２ｂ）と１００℃以上の高温水（５２ｂ）を積載したロケットエンジン合体機関。
【請求項５３０】
過熱蒸気噴射ノズル（６Ａ）と燃焼ガス噴射ノズル（６Ｄ）を具備して複数温度の高温水（５２ｂ）と１００℃以上の高温水（５２ｂ）を積載したロケットエンジン合体機関。
【請求項５３１】
過熱蒸気噴射ノズル（６Ｂ）と燃焼ガス噴射ノズル（６Ｃ）を具備して複数温度の高温水（５２ｂ）と１００℃以上の高温水（５２ｂ）を積載したロケットエンジン合体機関。
【請求項５３２】
燃焼ガス噴射ノズル（６Ｃ）と過熱蒸気噴射ノズル（６Ａ）を具備して複数温度の高温水（５２ｂ）と１００℃以上の高温水（５２ｂ）を積載噴射して大気圧重力仕事率を燃焼ガスの１０００倍に近付けたロケットエンジン合体機関。
【請求項５３３】
燃焼ガス噴射ノズル（６Ｄ）と過熱蒸気噴射ノズル（６Ｂ）を具備して複数温度の高温水（５２ｂ）と１００℃以上の高温水（５２ｂ）を積載噴射して大気圧重力仕事率を燃焼ガスの１０００倍に近付けたロケットエンジン合体機関。
【請求項５３４】
過熱蒸気噴射ノズル（６Ａ）と燃焼ガス噴射ノズル（６Ｄ）を具備して複数温度の高温水（５２ｂ）と１００℃以上の高温水（５２ｂ）を積載噴射して大気圧重力仕事率を燃焼ガスの１０００倍に近付けたロケットエンジン合体機関。
【請求項５３５】
過熱蒸気噴射ノズル（６Ｂ）と燃焼ガス噴射ノズル（６Ｃ）を具備して複数温度の高温水（５２ｂ）と１００℃以上の高温水（５２ｂ）を積載噴射して大気圧重力仕事率を燃焼ガスの１０００倍に近付けたロケットエンジン合体機関。
【請求項５３６】
燃焼ガス噴射ノズル（６Ｃ）と過熱蒸気噴射ノズル（６Ａ）を具備して複数温度の高温水（５２ｂ）と１００℃以上の高温水（５２ｂ）を積載噴射して大気圧重力仕事能力を燃焼ガスの６００００倍に近付けたロケットエンジン合体機関。
【請求項５３７】
燃焼ガス噴射ノズル（６Ｄ）と過熱蒸気噴射ノズル（６Ｂ）を具備して複数温度の高温水（５２ｂ）と１００℃以上の高温水（５２ｂ）を積載噴射して大気圧重力仕事能力を燃焼ガスの６００００倍に近付けたロケットエンジン合体機関。
【請求項５３８】
過熱蒸気噴射ノズル（６Ａ）と燃焼ガス噴射ノズル（６Ｄ）を具備して複数温度の高温水（５２ｂ）と１００℃以上の高温水（５２ｂ）を積載噴射して大気圧重力仕事能力を燃焼ガスの６００００倍に近付けたロケットエンジン合体機関。
【請求項５３９】
過熱蒸気噴射ノズル（６Ｂ）と燃焼ガス噴射ノズル（６Ｃ）を具備して複数温度の高温水（５２ｂ）と１００℃以上の高温水（５２ｂ）を積載噴射して大気圧重力仕事能力を燃焼ガスの６００００倍に近付けたロケットエンジン合体機関。
【請求項５４０】
燃焼ガス噴射ノズル（６Ｃ）と過熱蒸気噴射ノズル（６Ａ）を具備して複数温度の高温水（５２ｂ）と１００℃以下の高温水（５２ｂ）を積載したロケットエンジン合体機関。
【請求項５４１】
燃焼ガス噴射ノズル（６Ｄ）と過熱蒸気噴射ノズル（６Ｂ）を具備して複数温度の高温水（５２ｂ）と１００℃以下の高温水（５２ｂ）を積載したロケットエンジン合体機関。
【請求項５４２】
過熱蒸気噴射ノズル（６Ａ）と燃焼ガス噴射ノズル（６Ｄ）を具備して複数温度の高温水（５２ｂ）と１００℃以下の高温水（５２ｂ）を積載したロケットエンジン合体機関。
【請求項５４３】
過熱蒸気噴射ノズル（６Ｂ）と燃焼ガス噴射ノズル（６Ｃ）を具備して複数温度の高温水（５２ｂ）と１００℃以下の高温水（５２ｂ）を積載したロケットエンジン合体機関。
【請求項５４４】
燃焼ガス噴射ノズル（６Ｃ）と過熱蒸気噴射ノズル（６Ａ）を具備して複数温度の高温水（５２ｂ）と１００℃以下の高温水（５２ｂ）を積載噴射して大気圧重力仕事率を燃焼ガスの１０００倍に近付けたロケットエンジン合体機関。
【請求項５４５】
燃焼ガス噴射ノズル（６Ｄ）と過熱蒸気噴射ノズル（６Ｂ）を具備して複数温度の高温水（５２ｂ）と１００℃以下の高温水（５２ｂ）を積載噴射して大気圧重力仕事率を燃焼ガスの１０００倍に近付けたロケットエンジン合体機関。
【請求項５４６】
過熱蒸気噴射ノズル（６Ａ）と燃焼ガス噴射ノズル（６Ｄ）を具備して複数温度の高温水（５２ｂ）と１００℃以下の高温水（５２ｂ）を積載噴射して大気圧重力仕事率を燃焼ガスの１０００倍に近付けたロケットエンジン合体機関。
【請求項５４７】
過熱蒸気噴射ノズル（６Ｂ）と燃焼ガス噴射ノズル（６Ｃ）を具備して複数温度の高温水（５２ｂ）と１００℃以下の高温水（５２ｂ）を積載噴射して大気圧重力仕事率を燃焼ガスの１０００倍に近付けたロケットエンジン合体機関。
【請求項５４８】
燃焼ガス噴射ノズル（６Ｃ）と過熱蒸気噴射ノズル（６Ａ）を具備して複数温度の高温水（５２ｂ）と１００℃以下の高温水（５２ｂ）を積載噴射して大気圧重力仕事能力を燃焼ガスの６００００倍に近付けたロケットエンジン合体機関。
【請求項５４９】
燃焼ガス噴射ノズル（６Ｄ）と過熱蒸気噴射ノズル（６Ｂ）を具備して複数温度の高温水（５２ｂ）と１００℃以下の高温水（５２ｂ）を積載噴射して大気圧重力仕事能力を燃焼ガスの６００００倍に近付けたロケットエンジン合体機関。
【請求項５５０】
過熱蒸気噴射ノズル（６Ａ）と燃焼ガス噴射ノズル（６Ｄ）を具備して複数温度の高温水（５２ｂ）と１００℃以下の高温水（５２ｂ）を積載噴射して大気圧重力仕事能力を燃焼ガスの６００００倍に近付けたロケットエンジン合体機関。
【請求項５５１】
過熱蒸気噴射ノズル（６Ｂ）と燃焼ガス噴射ノズル（６Ｃ）を具備して複数温度の高温水（５２ｂ）と１００℃以下の高温水（５２ｂ）を積載噴射して大気圧重力仕事能力を燃焼ガスの６００００倍に近付けたロケットエンジン合体機関。
【請求項５５２】
縮径主燃焼室兼熱交換器（１）と燃焼ガス噴射ノズル（６Ｊ）を具備したロケットエンジン合体機関。
【請求項５５３】
縮径主燃焼室兼熱交換器（１）と過熱蒸気燃焼ガス噴射ノズル（６Ｈ）を具備したロケットエンジン合体機関。
【請求項５５４】
縮径主燃焼室兼熱交換器（１）と過熱蒸気噴射ノズル（６Ｉ）を具備したロケットエンジン合体機関。
【請求項５５５】
縮径主燃焼室兼熱交換器（１）と燃焼ガス噴射ノズル（６Ｊ）を具備して高圧燃焼熱交換冷却燃焼するロケットエンジン合体機関。
【請求項５５６】
縮径主燃焼室兼熱交換器（１）と過熱蒸気燃焼ガス噴射ノズル（６Ｈ）を具備して高圧燃焼熱交換冷却燃焼するロケットエンジン合体機関。
【請求項５５７】
縮径主燃焼室兼熱交換器（１）に超臨界温度高温水（５２ｂ）を搭載して過熱蒸気噴射ノズル（６Ｉ）を具備したロケットエンジン合体機関。
【請求項５５８】
縮径主燃焼室兼熱交換器（１）に超臨界温度高温水（５２ｂ）を搭載して燃焼ガス噴射ノズル（６Ｊ）を具備して高圧燃焼熱交換冷却燃焼するロケットエンジン合体機関。
【請求項５５９】
縮径主燃焼室兼熱交換器（１）に超臨界温度高温水（５２ｂ）を搭載して過熱蒸気燃焼ガス噴射ノズル（６Ｈ）を具備して高圧燃焼熱交換冷却燃焼するロケットエンジン合体機関。
【請求項５６０】
縮径主燃焼室兼熱交換器（１）に超臨界温度に近い高温水（５２ｂ）を搭載して燃焼ガス噴射ノズル（６Ｊ）を具備して高圧燃焼熱交換冷却燃焼するロケットエンジン合体機関。
【請求項５６１】
縮径主燃焼室兼熱交換器（１）に超臨界温度に近い高温水（５２ｂ）を搭載して過熱蒸気燃焼ガス噴射ノズル（６Ｈ）を具備して高圧燃焼熱交換冷却燃焼するロケットエンジン合体機関。
【請求項５６２】
縮径主燃焼室兼熱交換器（１）に超臨界温度高温水（５２ｂ）を搭載して燃焼ガス噴射ノズル（６Ｊ）を具備して液体燃料（５）と液体酸素（４）を混合し、着火装置（１０２）で着火して高圧燃焼熱交換冷却燃焼するロケットエンジン合体機関。
【請求項５６３】
縮径主燃焼室兼熱交換器（１）に超臨界温度高温水（５２ｂ）を搭載して過熱蒸気燃焼ガス噴射ノズル（６Ｈ）を具備して液体燃料（５）と液体酸素（４）を混合し、着火装置（１０２）で着火して高圧燃焼熱交換冷却燃焼するロケットエンジン合体機関。
【請求項５６４】
縮径主燃焼室兼熱交換器（１）に超臨界温度に近い高温水（５２ｂ）を搭載して燃焼ガス噴射ノズル（６Ｊ）を具備して液体燃料（５）と液体酸素（４）を混合し、着火装置（１０２）で着火して高圧燃焼熱交換冷却燃焼するロケットエンジン合体機関。
【請求項５６５】
縮径主燃焼室兼熱交換器（１）に超臨界温度に近い高温水（５２ｂ）を搭載して過熱蒸気燃焼ガス噴射ノズル（６Ｈ）を具備して液体燃料（５）と液体酸素（４）を混合し、着火装置（１０２）で着火して高圧燃焼熱交換冷却燃焼するロケットエンジン合体機関。
【請求項５６６】
縮径主燃焼室兼熱交換器（１）に超臨界温度高温水（５２ｂ）を搭載して燃焼ガス噴射ノズル（６Ｊ）を具備して液体燃料（５）と酸化剤（４ｂ）を混合し、着火装置（１０２）で着火して高圧燃焼熱交換冷却燃焼するロケットエンジン合体機関。
【請求項５６７】
縮径主燃焼室兼熱交換器（１）に超臨界温度高温水（５２ｂ）を搭載して過熱蒸気燃焼ガス噴射ノズル（６Ｈ）を具備して液体燃料（５）と酸化剤（４ｂ）を混合し、着火装置（１０２）で着火して高圧燃焼熱交換冷却燃焼するロケットエンジン合体機関。
【請求項５６８】
縮径主燃焼室兼熱交換器（１）に超臨界温度に近い高温水（５２ｂ）を搭載して燃焼ガス噴射ノズル（６Ｊ）を具備して液体燃料（５）と酸化剤（４ｂ）を混合し、着火装置（１０２）で着火して高圧燃焼熱交換冷却燃焼するロケットエンジン合体機関。
【請求項５６９】
縮径主燃焼室兼熱交換器（１）に超臨界温度に近い高温水（５２ｂ）を搭載して過熱蒸気燃焼ガス噴射ノズル（６Ｈ）を具備して液体燃料（５）と酸化剤（４ｂ）を混合し、着火装置（１０２）で着火して高圧燃焼熱交換冷却燃焼するロケットエンジン合体機関。
【請求項５７０】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して液体燃料（５）と液体酸素（４）を混合し、着火装置（１０２）で着火して高圧燃焼熱交換冷却燃焼するロケットエンジン合体機関。
【請求項５７１】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して液体燃料（５）と液体酸素（４）を混合し、着火装置（１０２）で着火して高圧燃焼熱交換冷却燃焼するロケットエンジン合体機関。
【請求項５７２】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して液体燃料（５）と液体酸素（４）を混合し、着火装置（１０２）で着火して高圧燃焼熱交換冷却燃焼するロケットエンジン合体機関。
【請求項５７３】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して液体燃料（５）と液体酸素（４）を混合し、着火装置（１０２）で着火して高圧燃焼熱交換冷却燃焼するロケットエンジン合体機関。
【請求項５７４】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して液体燃料（５）と酸化剤（４ｂ）を混合着火して高圧燃焼熱交換冷却燃焼するロケットエンジン合体機関。
【請求項５７５】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して液体燃料（５）と酸化剤（４ｂ）を混合し、着火装置（１０２）で着火して高圧燃焼熱交換冷却燃焼するロケットエンジン合体機関。
【請求項５７６】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して液体燃料（５）と酸化剤（４ｂ）を混合し、着火装置（１０２）で着火して高圧燃焼熱交換冷却燃焼するロケットエンジン合体機関。
【請求項５７７】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して液体燃料（５）と酸化剤（４ｂ）を混合し、着火装置（１０２）で着火して高圧燃焼熱交換冷却燃焼するロケットエンジン合体機関。
【請求項５７８】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、液体燃料（５）と液体酸素（４）を混合し、着火装置（１０２）で着火して高圧燃焼熱交換冷却燃焼するロケットエンジン合体機関。
【請求項５７９】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、液体燃料（５）と液体酸素（４）を混合し、着火装置（１０２）で着火して高圧燃焼熱交換冷却燃焼するロケットエンジン合体機関。
【請求項５８０】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、液体燃料（５）と液体酸素（４）を混合し、着火装置（１０２）で着火して高圧燃焼熱交換冷却燃焼するロケットエンジン合体機関。
【請求項５８１】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、液体燃料（５）と液体酸素（４）を混合し、着火装置（１０２）で着火して高圧燃焼熱交換冷却燃焼するロケットエンジン合体機関。
【請求項５８２】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、液体燃料（５）と酸化剤（４ｂ）を混合し、着火装置（１０２）で着火して高圧燃焼熱交換冷却燃焼するロケットエンジン合体機関。
【請求項５８３】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、液体燃料（５）と酸化剤（４ｂ）を混合着火して高圧燃焼熱交換冷却燃焼するロケットエンジン合体機関。
【請求項５８４】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、液体燃料（５）と酸化剤（４ｂ）を混合着火して高圧燃焼熱交換冷却燃焼するロケットエンジン合体機関。
【請求項５８５】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、液体燃料（５）と酸化剤（４ｂ）を混合着火して高圧燃焼熱交換冷却燃焼するロケットエンジン合体機関。
【請求項５８６】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、液体燃料（５）と液体酸素（４）を混合着火して高圧燃焼熱交換冷却燃焼するロケットエンジン合体機関。
【請求項５８７】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、液体燃料（５）と液体酸素（４）を混合着火して高圧燃焼熱交換冷却燃焼するロケットエンジン合体機関。
【請求項５８８】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、液体燃料（５）と液体酸素（４）を混合着火して高圧燃焼熱交換冷却燃焼するロケットエンジン合体機関。
【請求項５８９】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、液体燃料（５）と液体酸素（４）を混合着火して高圧燃焼熱交換冷却燃焼するロケットエンジン合体機関。
【請求項５９０】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、液体燃料（５）と酸化剤（４ｂ）を混合着火して高圧燃焼熱交換冷却燃焼するロケットエンジン合体機関。
【請求項５９１】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、液体燃料（５）と酸化剤（４ｂ）を混合し、着火装置（１０２）で着火して高圧燃焼熱交換冷却燃焼するロケットエンジン合体機関。
【請求項５９２】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、液体燃料（５）と酸化剤（４ｂ）を混合し、着火装置（１０２）で着火して高圧燃焼熱交換冷却燃焼するロケットエンジン合体機関。
【請求項５９３】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、液体燃料（５）と酸化剤（４ｂ）を混合着火して高圧燃焼熱交換冷却燃焼するロケットエンジン合体機関。
【請求項５９４】
縮径主燃焼室兼熱交換器（１）に超臨界温度高温水（５２ｂ）を搭載して燃焼ガス噴射ノズル（６Ｊ）を具備して燃料流路（５ｅ）と酸化剤流路（４ａ）の流量を制御し、液体燃料（５）と液体酸素（４）を混合着火して高圧燃焼熱交換冷却燃焼するロケットエンジン合体機関。
【請求項５９５】
縮径主燃焼室兼熱交換器（１）に超臨界温度高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と液体酸素（４）を混合着火して高圧燃焼熱交換冷却燃焼するロケットエンジン合体機関。
【請求項５９６】
縮径主燃焼室兼熱交換器（１）に超臨界温度に近い高温水（５２ｂ）を搭載して燃焼ガス噴射ノズル（６Ｊ）を具備して燃料流路（５ｅ）と酸化剤流路（４ａ）の流量を制御し、液体燃料（５）と液体酸素（４）を混合着火して高圧燃焼熱交換冷却燃焼するロケットエンジン合体機関。
【請求項５９７】
縮径主燃焼室兼熱交換器（１）に超臨界温度に近い高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と液体酸素（４）を混合着火して高圧燃焼熱交換冷却燃焼するロケットエンジン合体機関。
【請求項５９８】
縮径主燃焼室兼熱交換器（１）に超臨界温度高温水（５２ｂ）を搭載して燃焼ガス噴射ノズル（６Ｊ）を具備して燃料流路（５ｅ）と酸化剤流路（４ａ）の流量を制御し、液体燃料（５）と酸化剤（４ｂ）を混合着火して高圧燃焼熱交換冷却燃焼するロケットエンジン合体機関。
【請求項５９９】
縮径主燃焼室兼熱交換器（１）に超臨界温度高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と酸化剤（４ｂ）を混合着火して高圧燃焼熱交換冷却燃焼するロケットエンジン合体機関。
【請求項６００】
縮径主燃焼室兼熱交換器（１）に超臨界温度に近い高温水（５２ｂ）を搭載して燃焼ガス噴射ノズル（６Ｊ）を具備して燃料流路（５ｅ）と酸化剤流路（４ａ）の流量を制御し、液体燃料（５）と酸化剤（４ｂ）を混合着火して高圧燃焼熱交換冷却燃焼するロケットエンジン合体機関。
【請求項６０１】
縮径主燃焼室兼熱交換器（１）に超臨界温度に近い高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と酸化剤（４ｂ）を混合着火して高圧燃焼熱交換冷却燃焼するロケットエンジン合体機関。
【請求項６０２】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼するロケットエンジン合体機関。
【請求項６０３】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼するロケットエンジン合体機関。
【請求項６０４】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼するロケットエンジン合体機関。
【請求項６０５】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼するロケットエンジン合体機関。
【請求項６０６】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼するロケットエンジン合体機関。
【請求項６０７】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼するロケットエンジン合体機関。
【請求項６０８】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼するロケットエンジン合体機関。
【請求項６０９】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼するロケットエンジン合体機関。
【請求項６１０】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼するロケットエンジン合体機関。
【請求項６１１】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼するロケットエンジン合体機関。
【請求項６１２】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼するロケットエンジン合体機関。
【請求項６１３】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼するロケットエンジン合体機関。
【請求項６１４】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼するロケットエンジン合体機関。
【請求項６１５】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼するロケットエンジン合体機関。
【請求項６１６】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼するロケットエンジン合体機関。
【請求項６１７】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼するロケットエンジン合体機関。
【請求項６１８】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼するロケットエンジン合体機関。
【請求項６１９】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼するロケットエンジン合体機関。
【請求項６２０】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼するロケットエンジン合体機関。
【請求項６２１】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼するロケットエンジン合体機関。
【請求項６２２】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼するロケットエンジン合体機関。
【請求項６２３】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼するロケットエンジン合体機関。
【請求項６２４】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼するロケットエンジン合体機関。
【請求項６２５】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼するロケットエンジン合体機関。
【請求項６２６】
縮径主燃焼室兼熱交換器（１）に超臨界温度高温水（５２ｂ）を搭載して燃焼ガス噴射ノズル（６Ｊ）を具備して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度を上昇するロケットエンジン合体機関。
【請求項６２７】
縮径主燃焼室兼熱交換器（１）に超臨界温度高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度を上昇するロケットエンジン合体機関。
【請求項６２８】
縮径主燃焼室兼熱交換器（１）に超臨界温度に近い高温水（５２ｂ）を搭載して燃焼ガス噴射ノズル（６Ｊ）を具備して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度を上昇するロケットエンジン合体機関。
【請求項６２９】
縮径主燃焼室兼熱交換器（１）に超臨界温度に近い高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度を上昇するロケットエンジン合体機関。
【請求項６３０】
縮径主燃焼室兼熱交換器（１）に超臨界温度高温水（５２ｂ）を搭載して燃焼ガス噴射ノズル（６Ｊ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６３１】
縮径主燃焼室兼熱交換器（１）に超臨界温度高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６３２】
縮径主燃焼室兼熱交換器（１）に超臨界温度に近い高温水（５２ｂ）を搭載して燃焼ガス噴射ノズル（６Ｊ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６３３】
縮径主燃焼室兼熱交換器（１）に超臨界温度に近い高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６３４】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度を上昇するロケットエンジン合体機関。
【請求項６３５】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度を上昇するロケットエンジン合体機関。
【請求項６３６】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度を上昇するロケットエンジン合体機関。
【請求項６３７】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度を上昇するロケットエンジン合体機関。
【請求項６３８】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６３９】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６４０】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６４１】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６４２】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度を上昇するロケットエンジン合体機関。
【請求項６４３】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度を上昇するロケットエンジン合体機関。
【請求項６４４】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度を上昇するロケットエンジン合体機関。
【請求項６４５】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度を上昇するロケットエンジン合体機関。
【請求項６４６】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６４７】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６４８】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６４９】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６５０】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度を上昇するロケットエンジン合体機関。
【請求項６５１】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度を上昇するロケットエンジン合体機関。
【請求項６５２】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度を上昇するロケットエンジン合体機関。
【請求項６５３】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度を上昇するロケットエンジン合体機関。
【請求項６５４】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６５５】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６５６】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６５７】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６５８】
縮径主燃焼室兼熱交換器（１）に超臨界温度高温水（５２ｂ）を搭載して燃焼ガス噴射ノズル（６Ｊ）を具備して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度を上昇するロケットエンジン合体機関。
【請求項６５９】
縮径主燃焼室兼熱交換器（１）に超臨界温度高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度を上昇するロケットエンジン合体機関。
【請求項６６０】
縮径主燃焼室兼熱交換器（１）に超臨界温度に近い高温水（５２ｂ）を搭載して燃焼ガス噴射ノズル（６Ｊ）を具備して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度を上昇するロケットエンジン合体機関。
【請求項６６１】
縮径主燃焼室兼熱交換器（１）に超臨界温度に近い高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度を上昇するロケットエンジン合体機関。
【請求項６６２】
縮径主燃焼室兼熱交換器（１）に超臨界温度高温水（５２ｂ）を搭載して燃焼ガス噴射ノズル（６Ｊ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６６３】
縮径主燃焼室兼熱交換器（１）に超臨界温度高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６６４】
縮径主燃焼室兼熱交換器（１）に超臨界温度に近い高温水（５２ｂ）を搭載して燃焼ガス噴射ノズル（６Ｊ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６６５】
縮径主燃焼室兼熱交換器（１）に超臨界温度に近い高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６６６】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度を上昇するロケットエンジン合体機関。
【請求項６６７】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度を上昇するロケットエンジン合体機関。
【請求項６６８】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度を上昇するロケットエンジン合体機関。
【請求項６６９】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度を上昇するロケットエンジン合体機関。
【請求項６７０】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６７１】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６７２】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６７３】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６７４】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度を上昇するロケットエンジン合体機関。
【請求項６７５】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度を上昇するロケットエンジン合体機関。
【請求項６７６】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度を上昇するロケットエンジン合体機関。
【請求項６７７】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度を上昇するロケットエンジン合体機関。
【請求項６７８】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６７９】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６８０】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６８１】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６８２】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度を上昇するロケットエンジン合体機関。
【請求項６８３】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度を上昇するロケットエンジン合体機関。
【請求項６８４】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度を上昇するロケットエンジン合体機関。
【請求項６８５】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度を上昇するロケットエンジン合体機関。
【請求項６８６】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６８７】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６８８】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６８９】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度を上昇するロケットエンジン合体機関。
【請求項６９０】
縮径主燃焼室兼熱交換器（１）に超臨界温度高温水（５２ｂ）を搭載して燃焼ガス噴射ノズル（６Ｊ）を具備して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項６９１】
縮径主燃焼室兼熱交換器（１）に超臨界温度高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項６９２】
縮径主燃焼室兼熱交換器（１）に超臨界温度に近い高温水（５２ｂ）を搭載して燃焼ガス噴射ノズル（６Ｊ）を具備して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度を上昇するロケットエンジン合体機関。
【請求項６９３】
縮径主燃焼室兼熱交換器（１）に超臨界温度に近い高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項６９４】
縮径主燃焼室兼熱交換器（１）に超臨界温度高温水（５２ｂ）を搭載して燃焼ガス噴射ノズル（６Ｊ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項６９５】
縮径主燃焼室兼熱交換器（１）に超臨界温度高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項６９６】
縮径主燃焼室兼熱交換器（１）に超臨界温度に近い高温水（５２ｂ）を搭載して燃焼ガス噴射ノズル（６Ｊ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項６９７】
縮径主燃焼室兼熱交換器（１）に超臨界温度に近い高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項６９８】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項６９９】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７００】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７０１】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７０２】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７０３】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７０４】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７０５】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７０６】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７０７】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７０８】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７０９】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７１０】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７１１】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７１２】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７１３】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７１４】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７１５】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７１６】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７１７】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７１８】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７１９】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７２０】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７２１】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７２２】
縮径主燃焼室兼熱交換器（１）に超臨界温度高温水（５２ｂ）を搭載して燃焼ガス噴射ノズル（６Ｊ）を具備して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７２３】
縮径主燃焼室兼熱交換器（１）に超臨界温度高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７２４】
縮径主燃焼室兼熱交換器（１）に超臨界温度に近い高温水（５２ｂ）を搭載して燃焼ガス噴射ノズル（６Ｊ）を具備して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７２５】
縮径主燃焼室兼熱交換器（１）に超臨界温度に近い高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７２６】
縮径主燃焼室兼熱交換器（１）に超臨界温度高温水（５２ｂ）を搭載して燃焼ガス噴射ノズル（６Ｊ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７２７】
縮径主燃焼室兼熱交換器（１）に超臨界温度高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７２８】
縮径主燃焼室兼熱交換器（１）に超臨界温度に近い高温水（５２ｂ）を搭載して燃焼ガス噴射ノズル（６Ｊ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７２９】
縮径主燃焼室兼熱交換器（１）に超臨界温度に近い高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７３０】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７３１】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７３２】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７３３】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７３４】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７３５】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７３６】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７３７】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７３８】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７３９】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７４０】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７４１】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７４２】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７４３】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７４４】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７４５】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７４６】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７４７】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７４８】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７４９】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度を上昇するロケットエンジン合体機関。
【請求項７５０】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７５１】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７５２】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７５３】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度を上昇するロケットエンジン合体機関。
【請求項７５４】
縮径主燃焼室兼熱交換器（１）に超臨界温度高温水（５２ｂ）を搭載して燃焼ガス噴射ノズル（６Ｊ）を具備して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７５５】
縮径主燃焼室兼熱交換器（１）に超臨界温度高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７５６】
縮径主燃焼室兼熱交換器（１）に超臨界温度に近い高温水（５２ｂ）を搭載して燃焼ガス噴射ノズル（６Ｊ）を具備して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７５７】
縮径主燃焼室兼熱交換器（１）に超臨界温度に近い高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７５８】
縮径主燃焼室兼熱交換器（１）に超臨界温度高温水（５２ｂ）を搭載して燃焼ガス噴射ノズル（６Ｊ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７５９】
縮径主燃焼室兼熱交換器（１）に超臨界温度高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７６０】
縮径主燃焼室兼熱交換器（１）に超臨界温度に近い高温水（５２ｂ）を搭載して燃焼ガス噴射ノズル（６Ｊ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７６１】
縮径主燃焼室兼熱交換器（１）に超臨界温度に近い高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７６２】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７６３】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７６４】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７６５】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７６６】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７６７】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７６８】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７６９】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７７０】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７７１】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７７２】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７７３】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７７４】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７７５】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７７６】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７７７】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７７８】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７７９】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７８０】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７８１】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７８２】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７８３】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７８４】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７８５】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７８６】
縮径主燃焼室兼熱交換器（１）に超臨界温度高温水（５２ｂ）を搭載して燃焼ガス噴射ノズル（６Ｊ）を具備して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７８７】
縮径主燃焼室兼熱交換器（１）に超臨界温度高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７８８】
縮径主燃焼室兼熱交換器（１）に超臨界温度に近い高温水（５２ｂ）を搭載して燃焼ガス噴射ノズル（６Ｊ）を具備して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７８９】
縮径主燃焼室兼熱交換器（１）に超臨界温度に近い高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７９０】
縮径主燃焼室兼熱交換器（１）に超臨界温度高温水（５２ｂ）を搭載して燃焼ガス噴射ノズル（６Ｊ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７９１】
縮径主燃焼室兼熱交換器（１）に超臨界温度高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７９２】
縮径主燃焼室兼熱交換器（１）に超臨界温度に近い高温水（５２ｂ）を搭載して燃焼ガス噴射ノズル（６Ｊ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７９３】
縮径主燃焼室兼熱交換器（１）に超臨界温度に近い高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７９４】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７９５】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７９６】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７９７】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７９８】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項７９９】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項８００】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項８０１】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項８０２】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項８０３】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項８０４】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項８０５】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項８０６】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項８０７】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項８０８】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項８０９】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項８１０】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項８１１】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項８１２】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項８１３】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項８１４】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項８１５】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項８１６】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項８１７】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項８１８】
縮径主燃焼室兼熱交換器（１）に超臨界温度高温水（５２ｂ）を搭載して燃焼ガス噴射ノズル（６Ｊ）を具備して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８１９】
縮径主燃焼室兼熱交換器（１）に超臨界温度高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８２０】
縮径主燃焼室兼熱交換器（１）に超臨界温度に近い高温水（５２ｂ）を搭載して燃焼ガス噴射ノズル（６Ｊ）を具備して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項８２１】
縮径主燃焼室兼熱交換器（１）に超臨界温度に近い高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８２２】
縮径主燃焼室兼熱交換器（１）に超臨界温度高温水（５２ｂ）を搭載して燃焼ガス噴射ノズル（６Ｊ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８２３】
縮径主燃焼室兼熱交換器（１）に超臨界温度高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８２４】
縮径主燃焼室兼熱交換器（１）に超臨界温度に近い高温水（５２ｂ）を搭載して燃焼ガス噴射ノズル（６Ｊ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８２５】
縮径主燃焼室兼熱交換器（１）に超臨界温度に近い高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８２６】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８２７】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８２８】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８２９】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８３０】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８３１】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８３２】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８３３】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８３４】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８３５】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８３６】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８３７】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８３８】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８３９】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８４０】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８４１】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８４２】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８４３】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８４４】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８４５】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８４６】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８４７】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８４８】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８４９】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８５０】
縮径主燃焼室兼熱交換器（１）に超臨界温度高温水（５２ｂ）を搭載して燃焼ガス噴射ノズル（６Ｊ）を具備して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８５１】
縮径主燃焼室兼熱交換器（１）に超臨界温度高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８５２】
縮径主燃焼室兼熱交換器（１）に超臨界温度に近い高温水（５２ｂ）を搭載して燃焼ガス噴射ノズル（６Ｊ）を具備して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８５３】
縮径主燃焼室兼熱交換器（１）に超臨界温度に近い高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８５４】
縮径主燃焼室兼熱交換器（１）に超臨界温度高温水（５２ｂ）を搭載して燃焼ガス噴射ノズル（６Ｊ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８５５】
縮径主燃焼室兼熱交換器（１）に超臨界温度高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８５６】
縮径主燃焼室兼熱交換器（１）に超臨界温度に近い高温水（５２ｂ）を搭載して燃焼ガス噴射ノズル（６Ｊ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８５７】
縮径主燃焼室兼熱交換器（１）に超臨界温度に近い高温水（５２ｂ）を搭載して過熱蒸気燃焼ガス噴射ノズル（６Ｈ）を具備して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８５８】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８５９】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８６０】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８６１】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８６２】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８６３】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８６４】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８６５】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８６６】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８６７】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８６８】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８６９】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８７０】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８７１】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８７２】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８７３】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８７４】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８７５】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８７６】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８７７】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８７８】
縮径主燃焼室兼熱交換器（１）に超臨界温度高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８７９】
縮径主燃焼室兼熱交換器（１）に超臨界温度高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８８０】
縮径主燃焼室兼熱交換器（１）に超臨界温度に近い高温水（５２ｂ）を搭載して燃焼ガス噴射ノズル（６Ｊ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８８１】
縮径主燃焼室兼熱交換器（１）に超臨界温度に近い高温水（５２ｂ）を搭載して過熱蒸気燃焼ガス噴射ノズル（６Ｈ）を具備して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項８８２】
縮径主燃焼室兼熱交換器（１）に超臨界温度高温水（５２ｂ）を搭載して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項８８３】
縮径主燃焼室兼熱交換器（１）に超臨界温度高温水（５２ｂ）を搭載して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項８８４】
縮径主燃焼室兼熱交換器（１）に超臨界温度に近い高温水（５２ｂ）を搭載して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項８８５】
縮径主燃焼室兼熱交換器（１）に超臨界温度に近い高温水（５２ｂ）を搭載して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項８８６】
縮径主燃焼室兼熱交換器（１）に超臨界温度高温水（５２ｂ）を搭載して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項８８７】
縮径主燃焼室兼熱交換器（１）に超臨界温度高温水（５２ｂ）を搭載して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項８８８】
縮径主燃焼室兼熱交換器（１）に超臨界温度に近い高温水（５２ｂ）を搭載して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項８８９】
縮径主燃焼室兼熱交換器（１）に超臨界温度に近い高温水（５２ｂ）を搭載して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項８９０】
縮径主燃焼室兼熱交換器（１）に超臨界温度高温水（５２ｂ）を搭載して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項８９１】
縮径主燃焼室兼熱交換器（１）に超臨界温度高温水（５２ｂ）を搭載して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項８９２】
縮径主燃焼室兼熱交換器（１）に超臨界温度に近い高温水（５２ｂ）を搭載して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項８９３】
縮径主燃焼室兼熱交換器（１）に超臨界温度に近い高温水（５２ｂ）を搭載して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項８９４】
縮径主燃焼室兼熱交換器（１）に超臨界温度高温水（５２ｂ）を搭載して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項８９５】
縮径主燃焼室兼熱交換器（１）に超臨界温度高温水（５２ｂ）を搭載して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項８９６】
縮径主燃焼室兼熱交換器（１）に超臨界温度に近い高温水（５２ｂ）を搭載して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項８９７】
縮径主燃焼室兼熱交換器（１）に超臨界温度に近い高温水（５２ｂ）を搭載して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項８９８】
縮径主燃焼室兼熱交換器（１）に超臨界温度高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項８９９】
縮径主燃焼室兼熱交換器（１）に超臨界温度高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９００】
縮径主燃焼室兼熱交換器（１）に超臨界温度に近い高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９０１】
縮径主燃焼室兼熱交換器（１）に超臨界温度に近い高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９０２】
縮径主燃焼室兼熱交換器（１）に超臨界温度高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９０３】
縮径主燃焼室兼熱交換器（１）に超臨界温度高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９０４】
縮径主燃焼室兼熱交換器（１）に超臨界温度に近い高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９０５】
縮径主燃焼室兼熱交換器（１）に超臨界温度に近い高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９０６】
縮径主燃焼室兼熱交換器（１）に超臨界温度高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９０７】
縮径主燃焼室兼熱交換器（１）に超臨界温度高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９０８】
縮径主燃焼室兼熱交換器（１）に超臨界温度に近い高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９０９】
縮径主燃焼室兼熱交換器（１）に超臨界温度に近い高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９１０】
縮径主燃焼室兼熱交換器（１）に超臨界温度高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９１１】
縮径主燃焼室兼熱交換器（１）に超臨界温度高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９１２】
縮径主燃焼室兼熱交換器（１）に超臨界温度に近い高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９１３】
縮径主燃焼室兼熱交換器（１）に超臨界温度に近い高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９１４】
縮径主燃焼室兼熱交換器（１）に超臨界温度高温水（５２ｂ）を搭載して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９１５】
縮径主燃焼室兼熱交換器（１）に超臨界温度高温水（５２ｂ）を搭載して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９１６】
縮径主燃焼室兼熱交換器（１）に超臨界温度に近い高温水（５２ｂ）を搭載して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９１７】
縮径主燃焼室兼熱交換器（１）に超臨界温度に近い高温水（５２ｂ）を搭載して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９１８】
縮径主燃焼室兼熱交換器（１）に超臨界温度高温水（５２ｂ）を搭載して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９１９】
縮径主燃焼室兼熱交換器（１）に超臨界温度高温水（５２ｂ）を搭載して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９２０】
縮径主燃焼室兼熱交換器（１）に超臨界温度に近い高温水（５２ｂ）を搭載して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９２１】
縮径主燃焼室兼熱交換器（１）に超臨界温度に近い高温水（５２ｂ）を搭載して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９２２】
縮径主燃焼室兼熱交換器（１）に超臨界温度高温水（５２ｂ）を搭載して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９２３】
縮径主燃焼室兼熱交換器（１）に超臨界温度高温水（５２ｂ）を搭載して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９２４】
縮径主燃焼室兼熱交換器（１）に超臨界温度に近い高温水（５２ｂ）を搭載して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９２５】
縮径主燃焼室兼熱交換器（１）に超臨界温度に近い高温水（５２ｂ）を搭載して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９２６】
縮径主燃焼室兼熱交換器（１）に超臨界温度高温水（５２ｂ）を搭載して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９２７】
縮径主燃焼室兼熱交換器（１）に超臨界温度高温水（５２ｂ）を搭載して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９２８】
縮径主燃焼室兼熱交換器（１）に超臨界温度に近い高温水（５２ｂ）を搭載して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９２９】
縮径主燃焼室兼熱交換器（１）に超臨界温度に近い高温水（５２ｂ）を搭載して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９３０】
縮径主燃焼室兼熱交換器（１）に超臨界温度高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９３１】
縮径主燃焼室兼熱交換器（１）に超臨界温度高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９３２】
縮径主燃焼室兼熱交換器（１）に超臨界温度に近い高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９３３】
縮径主燃焼室兼熱交換器（１）に超臨界温度に近い高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９３４】
縮径主燃焼室兼熱交換器（１）に超臨界温度高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９３５】
縮径主燃焼室兼熱交換器（１）に超臨界温度高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９３６】
縮径主燃焼室兼熱交換器（１）に超臨界温度に近い高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９３７】
縮径主燃焼室兼熱交換器（１）に超臨界温度に近い高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９３８】
縮径主燃焼室兼熱交換器（１）に超臨界温度高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９３９】
縮径主燃焼室兼熱交換器（１）に超臨界温度高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９４０】
縮径主燃焼室兼熱交換器（１）に超臨界温度に近い高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９４１】
縮径主燃焼室兼熱交換器（１）に超臨界温度に近い高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９４２】
縮径主燃焼室兼熱交換器（１）に超臨界温度高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９４３】
縮径主燃焼室兼熱交換器（１）に超臨界温度高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９４４】
縮径主燃焼室兼熱交換器（１）に超臨界温度に近い高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９４５】
縮径主燃焼室兼熱交換器（１）に超臨界温度に近い高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９４６】
縮径主燃焼室兼熱交換器（１）に超臨界温度高温水（５２ｂ）を搭載して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９４７】
縮径主燃焼室兼熱交換器（１）に超臨界温度高温水（５２ｂ）を搭載して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９４８】
縮径主燃焼室兼熱交換器（１）に超臨界温度に近い高温水（５２ｂ）を搭載して燃料流路（５ｅ）と酸化剤流路（４ａ）の流量を制御し、液体燃料（５）と液体酸素（４）を混合着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９４９】
縮径主燃焼室兼熱交換器（１）に超臨界温度に近い高温水（５２ｂ）を搭載して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９５０】
縮径主燃焼室兼熱交換器（１）に超臨界温度高温水（５２ｂ）を搭載して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９５１】
縮径主燃焼室兼熱交換器（１）に超臨界温度高温水（５２ｂ）を搭載して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９５２】
縮径主燃焼室兼熱交換器（１）に超臨界温度に近い高温水（５２ｂ）を搭載して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９５３】
縮径主燃焼室兼熱交換器（１）に超臨界温度に近い高温水（５２ｂ）を搭載して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９５４】
縮径主燃焼室兼熱交換器（１）に超臨界温度高温水（５２ｂ）を搭載して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９５５】
縮径主燃焼室兼熱交換器（１）に超臨界温度高温水（５２ｂ）を搭載して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９５６】
縮径主燃焼室兼熱交換器（１）に超臨界温度に近い高温水（５２ｂ）を搭載して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９５７】
縮径主燃焼室兼熱交換器（１）に超臨界温度に近い高温水（５２ｂ）を搭載して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９５８】
縮径主燃焼室兼熱交換器（１）に超臨界温度高温水（５２ｂ）を搭載して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９５９】
縮径主燃焼室兼熱交換器（１）に超臨界温度高温水（５２ｂ）を搭載して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９６０】
縮径主燃焼室兼熱交換器（１）に超臨界温度に近い高温水（５２ｂ）を搭載して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９６１】
縮径主燃焼室兼熱交換器（１）に超臨界温度に近い高温水（５２ｂ）を搭載して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９６２】
縮径主燃焼室兼熱交換器（１）に超臨界温度高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９６３】
縮径主燃焼室兼熱交換器（１）に超臨界温度高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９６４】
縮径主燃焼室兼熱交換器（１）に超臨界温度に近い高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９６５】
縮径主燃焼室兼熱交換器（１）に超臨界温度に近い高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９６６】
縮径主燃焼室兼熱交換器（１）に超臨界温度高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９６７】
縮径主燃焼室兼熱交換器（１）に超臨界温度高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９６８】
縮径主燃焼室兼熱交換器（１）に超臨界温度に近い高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９６９】
縮径主燃焼室兼熱交換器（１）に超臨界温度に近い高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９７０】
縮径主燃焼室兼熱交換器（１）に超臨界温度高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９７１】
縮径主燃焼室兼熱交換器（１）に超臨界温度高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９７２】
縮径主燃焼室兼熱交換器（１）に超臨界温度に近い高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９７３】
縮径主燃焼室兼熱交換器（１）に超臨界温度に近い高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９７４】
縮径主燃焼室兼熱交換器（１）に超臨界温度高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９７５】
縮径主燃焼室兼熱交換器（１）に超臨界温度高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９７６】
縮径主燃焼室兼熱交換器（１）に超臨界温度に近い高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９７７】
縮径主燃焼室兼熱交換器（１）に超臨界温度に近い高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９７８】
縮径主燃焼室兼熱交換器（１）に超臨界温度高温水（５２ｂ）を搭載して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９７９】
縮径主燃焼室兼熱交換器（１）に超臨界温度高温水（５２ｂ）を搭載して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９８０】
縮径主燃焼室兼熱交換器（１）に超臨界温度に近い高温水（５２ｂ）を搭載して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９８１】
縮径主燃焼室兼熱交換器（１）に超臨界温度に近い高温水（５２ｂ）を搭載して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９８２】
縮径主燃焼室兼熱交換器（１）に超臨界温度高温水（５２ｂ）を搭載して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９８３】
縮径主燃焼室兼熱交換器（１）に超臨界温度高温水（５２ｂ）を搭載して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９８４】
縮径主燃焼室兼熱交換器（１）に超臨界温度に近い高温水（５２ｂ）を搭載して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９８５】
縮径主燃焼室兼熱交換器（１）に超臨界温度に近い高温水（５２ｂ）を搭載して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９８６】
縮径主燃焼室兼熱交換器（１）に超臨界温度高温水（５２ｂ）を搭載して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９８７】
縮径主燃焼室兼熱交換器（１）に超臨界温度高温水（５２ｂ）を搭載して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９８８】
縮径主燃焼室兼熱交換器（１）に超臨界温度に近い高温水（５２ｂ）を搭載して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９８９】
縮径主燃焼室兼熱交換器（１）に超臨界温度に近い高温水（５２ｂ）を搭載して蒸気流路（５ｆ）（５ｆ）の流量を制御して燃料流路（５ｅ）と酸化剤流路（４ａ）の流量を制御し、液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９９０】
縮径主燃焼室兼熱交換器（１）に超臨界温度高温水（５２ｂ）を搭載して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９９１】
縮径主燃焼室兼熱交換器（１）に超臨界温度高温水（５２ｂ）を搭載して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９９２】
縮径主燃焼室兼熱交換器（１）に超臨界温度に近い高温水（５２ｂ）を搭載して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９９３】
縮径主燃焼室兼熱交換器（１）に超臨界温度に近い高温水（５２ｂ）を搭載して蒸気流路（５ｆ）（５ｆ）の流量を制御して燃料流路（５ｅ）と酸化剤流路（４ａ）の流量を制御し、液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９９４】
縮径主燃焼室兼熱交換器（１）に超臨界温度高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９９５】
縮径主燃焼室兼熱交換器（１）に超臨界温度高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９９６】
縮径主燃焼室兼熱交換器（１）に超臨界温度に近い高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９９７】
縮径主燃焼室兼熱交換器（１）に超臨界温度に近い高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項９９８】
縮径主燃焼室兼熱交換器（１）に超臨界温度高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項９９９】
縮径主燃焼室兼熱交換器（１）に超臨界温度高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項１０００】
縮径主燃焼室兼熱交換器（１）に超臨界温度に近い高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項１００１】
縮径主燃焼室兼熱交換器（１）に超臨界温度に近い高温水（５２ｂ）を搭載して蒸気流路（５ｆ）（５ｆ）の流量を制御して高温水（５２ｂ）を袋内に噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項１００２】
縮径主燃焼室兼熱交換器（１）に超臨界温度高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項１００３】
縮径主燃焼室兼熱交換器（１）に超臨界温度高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項１００４】
縮径主燃焼室兼熱交換器（１）に超臨界温度に近い高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項１００５】
縮径主燃焼室兼熱交換器（１）に超臨界温度に近い高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と液体酸素（４）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項１００６】
縮径主燃焼室兼熱交換器（１）に超臨界温度高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項１００７】
縮径主燃焼室兼熱交換器（１）に超臨界温度高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項１００８】
縮径主燃焼室兼熱交換器（１）に超臨界温度に近い高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項１００９】
縮径主燃焼室兼熱交換器（１）に超臨界温度に近い高温水（５２ｂ）を搭載して蒸気流路（５ｆ）（５ｆ）の流量を制御して高温水（５２ｂ）を直接噴射して夫々の圧力制御し、燃料流路（５ｅ）と酸化剤流路（４ａ）の流量を制御して液体燃料（５）と酸化剤（４ｂ）を混合着火して高圧燃焼熱交換冷却燃焼し、超臨界温度に近い高温水（５２ｂ）の飽和温度と噴射用導水管（３ｂ）の過熱蒸気温度を上昇し、過熱蒸気燃焼ガス噴射ノズル（６Ｈ）に噴射するロケットエンジン合体機関。
【請求項１０１０】
縮径主燃焼室兼熱交換器（１）に超臨界温度高温水（５２ｂ）を搭載して燃焼ガス噴射ノズル（６Ｊ）を具備して固体燃料剤（５ｇ）に着火して高圧燃焼熱交換冷却燃焼するロケットエンジン合体機関。
【請求項１０１１】
縮径主燃焼室兼熱交換器（１）に超臨界温度高温水（５２ｂ）を搭載して過熱蒸気燃焼ガス噴射ノズル（６Ｈ）を具備して固体燃料剤（５ｇ）に着火して高圧燃焼熱交換冷却燃焼するロケットエンジン合体機関。
【請求項１０１２】
縮径主燃焼室兼熱交換器（１）に超臨界温度に近い高温水（５２ｂ）を搭載して燃焼ガス噴射ノズル（６Ｊ）を具備して固体燃料剤（５ｇ）に着火して高圧燃焼熱交換冷却燃焼するロケットエンジン合体機関。
【請求項１０１３】
縮径主燃焼室兼熱交換器（１）に超臨界温度に近い高温水（５２ｂ）を搭載して過熱蒸気燃焼ガス噴射ノズル（６Ｈ）を具備して固体燃料剤（５ｇ）に着火して高圧燃焼熱交換冷却燃焼するロケットエンジン合体機関。
【請求項１０１４】
縮径主燃焼室兼熱交換器（１）に超臨界温度高温水（５２ｂ）を搭載して燃焼ガス噴射ノズル（６Ｊ）を具備して着火装置（１０２）で固体燃料剤（５ｇ）に着火して高圧燃焼熱交換冷却燃焼するロケットエンジン合体機関。
【請求項１０１５】
縮径主燃焼室兼熱交換器（１）に超臨界温度高温水（５２ｂ）を搭載して過熱蒸気燃焼ガス噴射ノズル（６Ｈ）を具備して着火装置（１０２）で固体燃料剤（５ｇ）に着火して高圧燃焼熱交換冷却燃焼するロケットエンジン合体機関。
【請求項１０１６】
縮径主燃焼室兼熱交換器（１）に超臨界温度に近い高温水（５２ｂ）を搭載して燃焼ガス噴射ノズル（６Ｊ）を具備して着火装置（１０２）で固体燃料剤（５ｇ）に着火して高圧燃焼熱交換冷却燃焼するロケットエンジン合体機関。
【請求項１０１７】
縮径主燃焼室兼熱交換器（１）に超臨界温度に近い高温水（５２ｂ）を搭載して過熱蒸気燃焼ガス噴射ノズル（６Ｈ）を具備して着火装置（１０２）で固体燃料剤（５ｇ）に着火して高圧燃焼熱交換冷却燃焼するロケットエンジン合体機関。
【請求項１０１８】
縮径主燃焼室兼熱交換器（１）に超臨界温度高温水（５２ｂ）を搭載して燃焼ガス噴射ノズル（６Ｊ）を具備して固体燃料剤（５ｇ）に着火して高圧燃焼熱交換冷却燃焼し、超臨界温度高温水（５２ｂ）の飽和温度を上昇するロケットエンジン合体機関。
【請求項１０１９】
縮径主燃焼室兼熱交換器（１）に超臨界温度高温水（５２ｂ）を搭載して過熱蒸気燃焼ガス噴射ノズル（６Ｈ）を具備して固体燃料剤（５ｇ）に着火して高圧燃焼熱交換冷却燃焼し、超臨界温度高温水（５２ｂ）の飽和温度を上昇するロケットエンジン合体機関。
【請求項１０２０】
縮径主燃焼室兼熱交換器（１）に超臨界温度に近い高温水（５２ｂ）を搭載して燃焼ガス噴射ノズル（６Ｊ）を具備して固体燃料剤（５ｇ）に着火して高圧燃焼熱交換冷却燃焼し、超臨界温度に近い高温水（５２ｂ）の飽和温度を上昇するロケットエンジン合体機関。
【請求項１０２１】
縮径主燃焼室兼熱交換器（１）に超臨界温度に近い高温水（５２ｂ）を搭載して過熱蒸気燃焼ガス噴射ノズル（６Ｈ）を具備して固体燃料剤（５ｇ）に着火して高圧燃焼熱交換冷却燃焼し、超臨界温度に近い高温水（５２ｂ）の飽和温度を上昇するロケットエンジン合体機関。
【請求項１０２２】
縮径主燃焼室兼熱交換器（１）に超臨界温度高温水（５２ｂ）を搭載して燃焼ガス噴射ノズル（６Ｊ）を具備して着火装置（１０２）で固体燃料剤（５ｇ）に着火して高圧燃焼熱交換冷却燃焼し、超臨界温度高温水（５２ｂ）の飽和温度を上昇するロケットエンジン合体機関。
【請求項１０２３】
縮径主燃焼室兼熱交換器（１）に超臨界温度高温水（５２ｂ）を搭載して過熱蒸気燃焼ガス噴射ノズル（６Ｈ）を具備して着火装置（１０２）で固体燃料剤（５ｇ）に着火して高圧燃焼熱交換冷却燃焼し、超臨界温度高温水（５２ｂ）の飽和温度を上昇するロケットエンジン合体機関。
【請求項１０２４】
縮径主燃焼室兼熱交換器（１）に超臨界温度に近い高温水（５２ｂ）を搭載して燃焼ガス噴射ノズル（６Ｊ）を具備して着火装置（１０２）で固体燃料剤（５ｇ）に着火して高圧燃焼熱交換冷却燃焼し、超臨界温度に近い高温水（５２ｂ）の飽和温度を上昇するロケットエンジン合体機関。
【請求項１０２５】
縮径主燃焼室兼熱交換器（１）に超臨界温度に近い高温水（５２ｂ）を搭載して過熱蒸気燃焼ガス噴射ノズル（６Ｈ）を具備して着火装置（１０２）で固体燃料剤（５ｇ）に着火して高圧燃焼熱交換冷却燃焼し、超臨界温度に近い高温水（５２ｂ）の飽和温度を上昇するロケットエンジン合体機関。
【請求項１０２６】
縮径主燃焼室兼熱交換器（１）に超臨界温度高温水（５２ｂ）を搭載して燃焼ガス噴射ノズル（６Ｊ）を具備して固体燃料剤（５ｇ）に着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項１０２７】
縮径主燃焼室兼熱交換器（１）に超臨界温度高温水（５２ｂ）を搭載して過熱蒸気燃焼ガス噴射ノズル（６Ｈ）を具備して固体燃料剤（５ｇ）に着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項１０２８】
縮径主燃焼室兼熱交換器（１）に超臨界温度に近い高温水（５２ｂ）を搭載して燃焼ガス噴射ノズル（６Ｊ）を具備して固体燃料剤（５ｇ）に着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項１０２９】
縮径主燃焼室兼熱交換器（１）に超臨界温度に近い高温水（５２ｂ）を搭載して過熱蒸気燃焼ガス噴射ノズル（６Ｈ）を具備して固体燃料剤（５ｇ）に着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項１０３０】
縮径主燃焼室兼熱交換器（１）に超臨界温度高温水（５２ｂ）を搭載して燃焼ガス噴射ノズル（６Ｊ）を具備して着火装置（１０２）で固体燃料剤（５ｇ）に着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項１０３１】
縮径主燃焼室兼熱交換器（１）に超臨界温度高温水（５２ｂ）を搭載して過熱蒸気燃焼ガス噴射ノズル（６Ｈ）を具備して着火装置（１０２）で固体燃料剤（５ｇ）に着火して高圧燃焼熱交換冷却燃焼し、超臨界温度高温水（５２ｂ）の飽和温度と噴射用導水管（３ｂ）の過熱蒸気温度を上昇するロケットエンジン合体機関。
【請求項１０３２】
縮径主燃焼室兼熱交換器（１）に超臨界温度に近い高温水（５２ｂ）を搭載して燃焼ガス噴射ノズル（６Ｊ）を具備して着火装置（１０２）で固体燃料剤（５ｇ）に着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項１０３３】
縮径主燃焼室兼熱交換器（１）に超臨界温度に近い高温水（５２ｂ）を搭載して過熱蒸気燃焼ガス噴射ノズル（６Ｈ）を具備して着火装置（１０２）で固体燃料剤（５ｇ）に着火して高圧燃焼熱交換冷却燃焼し、超臨界温度に近い高温水（５２ｂ）の飽和温度と噴射用導水管（３ｂ）の過熱蒸気温度を上昇するロケットエンジン合体機関。
【請求項１０３４】
縮径主燃焼室兼熱交換器（１）に超臨界温度高温水（５２ｂ）を搭載して燃焼ガス噴射ノズル（６Ｊ）を具備して固体燃料剤（５ｇ）に着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項１０３５】
縮径主燃焼室兼熱交換器（１）に超臨界温度高温水（５２ｂ）を搭載して過熱蒸気燃焼ガス噴射ノズル（６Ｈ）を具備して固体燃料剤（５ｇ）に着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｈ）に噴射するロケットエンジン合体機関。
【請求項１０３６】
縮径主燃焼室兼熱交換器（１）に超臨界温度に近い高温水（５２ｂ）を搭載して燃焼ガス噴射ノズル（６Ｊ）を具備して固体燃料剤（５ｇ）に着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項１０３７】
縮径主燃焼室兼熱交換器（１）に超臨界温度に近い高温水（５２ｂ）を搭載して過熱蒸気燃焼ガス噴射ノズル（６Ｈ）を具備して固体燃料剤（５ｇ）に着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｈ）に噴射するロケットエンジン合体機関。
【請求項１０３８】
縮径主燃焼室兼熱交換器（１）に超臨界温度高温水（５２ｂ）を搭載して燃焼ガス噴射ノズル（６Ｊ）を具備して着火装置（１０２）で固体燃料剤（５ｇ）に着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項１０３９】
縮径主燃焼室兼熱交換器（１）に超臨界温度高温水（５２ｂ）を搭載して過熱蒸気燃焼ガス噴射ノズル（６Ｈ）を具備して着火装置（１０２）で固体燃料剤（５ｇ）に着火して高圧燃焼熱交換冷却燃焼し、超臨界温度高温水（５２ｂ）の飽和温度と噴射用導水管（３ｂ）の過熱蒸気温度を上昇し、燃焼ガス噴射ノズル（６Ｈ）に噴射するロケットエンジン合体機関。
【請求項１０４０】
縮径主燃焼室兼熱交換器（１）に超臨界温度に近い高温水（５２ｂ）を搭載して燃焼ガス噴射ノズル（６Ｊ）を具備して着火装置（１０２）で固体燃料剤（５ｇ）に着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｊ）に噴射するロケットエンジン合体機関。
【請求項１０４１】
縮径主燃焼室兼熱交換器（１）に超臨界温度に近い高温水（５２ｂ）を搭載して過熱蒸気燃焼ガス噴射ノズル（６Ｈ）を具備して着火装置（１０２）で固体燃料剤（５ｇ）に着火して高圧燃焼熱交換冷却燃焼し、超臨界温度に近い高温水（５２ｂ）の飽和温度と噴射用導水管（３ｂ）の過熱蒸気温度を上昇し、燃焼ガス噴射ノズル（６Ｈ）に噴射するロケットエンジン合体機関。
【請求項１０４２】
縮径主燃焼室兼熱交換器（１）の導水管（３）に超臨界温度高温水（５２ｂ）を搭載して過熱蒸気噴射ノズル（６Ｉ）を具備したロケットエンジン合体機関。
【請求項１０４３】
縮径主燃焼室兼熱交換器（１）の導水管（３）に超臨界温度高温水（５２ｂ）を搭載して燃焼ガス噴射ノズル（６Ｊ）を具備して高圧燃焼熱交換冷却燃焼するロケットエンジン合体機関。
【請求項１０４４】
縮径主燃焼室兼熱交換器（１）の導水管（３）に超臨界温度高温水（５２ｂ）を搭載して過熱蒸気燃焼ガス噴射ノズル（６Ｈ）を具備して高圧燃焼熱交換冷却燃焼するロケットエンジン合体機関。
【請求項１０４５】
縮径主燃焼室兼熱交換器（１）の導水管（３）に超臨界温度高温水（５２ｂ）を搭載し、ロケット外箱（７７ｃ）内に高温水（５２ｂ）を搭載して過熱蒸気噴射ノズル（６Ｉ）を具備したロケットエンジン合体機関。
【請求項１０４６】
縮径主燃焼室兼熱交換器（１）の導水管（３）に超臨界温度高温水（５２ｂ）を搭載し、ロケット外箱（７７ｃ）内に高温水（５２ｂ）を搭載して燃焼ガス噴射ノズル（６Ｊ）を具備して高圧燃焼熱交換冷却燃焼するロケットエンジン合体機関。
【請求項１０４７】
縮径主燃焼室兼熱交換器（１）の導水管（３）に超臨界温度高温水（５２ｂ）を搭載し、ロケット外箱（７７ｃ）内に高温水（５２ｂ）を搭載して過熱蒸気燃焼ガス噴射ノズル（６Ｈ）を具備して高圧燃焼熱交換冷却燃焼するロケットエンジン合体機関。
【請求項１０４８】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により高温水（５２ｂ）を加速噴射するロケットエンジン合体機関。
【請求項１０４９】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により高温水（５２ｂ）を加速噴射するロケットエンジン合体機関。
【請求項１０５０】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により高温水（５２ｂ）を加速噴射するロケットエンジン合体機関。
【請求項１０５１】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により高温水（５２ｂ）を加速噴射するロケットエンジン合体機関。
【請求項１０５２】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により高温水（５２ｂ）を加速噴射して大気圧重力仕事率を燃焼ガスの１０００倍に近付けたロケットエンジン合体機関。
【請求項１０５３】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により高温水（５２ｂ）を加速噴射して大気圧重力仕事率を燃焼ガスの１０００倍に近付けたロケットエンジン合体機関。
【請求項１０５４】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により高温水（５２ｂ）を加速噴射して大気圧重力仕事率を燃焼ガスの１０００倍に近付けたロケットエンジン合体機関。
【請求項１０５５】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により高温水（５２ｂ）を加速噴射して大気圧重力仕事能力を燃焼ガスの６００００倍に近付けたロケットエンジン合体機関。
【請求項１０５６】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により高温水（５２ｂ）を加速噴射して大気圧重力仕事能力を燃焼ガスの６００００倍に近付けたロケットエンジン合体機関。
【請求項１０５７】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により高温水（５２ｂ）を加速噴射して大気圧重力仕事能力を燃焼ガスの６００００倍に近付けたロケットエンジン合体機関。
【請求項１０５８】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により複数温度の高温水（５２ｂ）を加速噴射するロケットエンジン合体機関。
【請求項１０５９】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により複数温度の高温水（５２ｂ）を加速噴射するロケットエンジン合体機関。
【請求項１０６０】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により複数温度の高温水（５２ｂ）を加速噴射するロケットエンジン合体機関。
【請求項１０６１】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により複数温度の高温水（５２ｂ）を加速噴射するロケットエンジン合体機関。
【請求項１０６２】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により複数温度の高温水（５２ｂ）を加速噴射して大気圧重力仕事率を燃焼ガスの１０００倍に近付けたロケットエンジン合体機関。
【請求項１０６３】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により複数温度の高温水（５２ｂ）を加速噴射して大気圧重力仕事率を燃焼ガスの１０００倍に近付けたロケットエンジン合体機関。
【請求項１０６４】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により複数温度の高温水（５２ｂ）を加速噴射して大気圧重力仕事率を燃焼ガスの１０００倍に近付けたロケットエンジン合体機関。
【請求項１０６５】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により複数温度の高温水（５２ｂ）を加速噴射して大気圧重力仕事能力を燃焼ガスの６００００倍に近付けたロケットエンジン合体機関。
【請求項１０６６】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により複数温度の高温水（５２ｂ）を加速噴射して大気圧重力仕事能力を燃焼ガスの６００００倍に近付けたロケットエンジン合体機関。
【請求項１０６７】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により複数温度の高温水（５２ｂ）を加速噴射して大気圧重力仕事能力を燃焼ガスの６００００倍に近付けたロケットエンジン合体機関。
【請求項１０６８】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により２００℃以上の高温水（５２ｂ）を加速噴射するロケットエンジン合体機関。
【請求項１０６９】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により２００℃以上の高温水（５２ｂ）を加速噴射するロケットエンジン合体機関。
【請求項１０７０】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により２００℃以上の高温水（５２ｂ）を加速噴射するロケットエンジン合体機関。
【請求項１０７１】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により２００℃以上の高温水（５２ｂ）を加速噴射するロケットエンジン合体機関。
【請求項１０７２】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により２００℃以上の高温水（５２ｂ）を加速噴射して大気圧重力仕事率を燃焼ガスの１０００倍に近付けたロケットエンジン合体機関。
【請求項１０７３】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により２００℃以上の高温水（５２ｂ）を加速噴射して大気圧重力仕事率を燃焼ガスの１０００倍に近付けたロケットエンジン合体機関。
【請求項１０７４】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により２００℃以上の高温水（５２ｂ）を加速噴射して大気圧重力仕事率を燃焼ガスの１０００倍に近付けたロケットエンジン合体機関。
【請求項１０７５】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により２００℃以上の高温水（５２ｂ）を加速噴射して大気圧重力仕事能力を燃焼ガスの６００００倍に近付けたロケットエンジン合体機関。
【請求項１０７６】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により２００℃以上の高温水（５２ｂ）を加速噴射して大気圧重力仕事能力を燃焼ガスの６００００倍に近付けたロケットエンジン合体機関。
【請求項１０７７】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により２００℃以上の高温水（５２ｂ）を加速噴射して大気圧重力仕事能力を燃焼ガスの６００００倍に近付けたロケットエンジン合体機関。
【請求項１０７８】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により２００℃以上複数温度の高温水（５２ｂ）を加速噴射するロケットエンジン合体機関。
【請求項１０７９】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により２００℃以上複数温度の高温水（５２ｂ）を加速噴射するロケットエンジン合体機関。
【請求項１０８０】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により２００℃以上複数温度の高温水（５２ｂ）を加速噴射するロケットエンジン合体機関。
【請求項１０８１】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により２００℃以上複数温度の高温水（５２ｂ）を加速噴射するロケットエンジン合体機関。
【請求項１０８２】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により２００℃以上複数温度の高温水（５２ｂ）を加速噴射して大気圧重力仕事率を燃焼ガスの１０００倍に近付けたロケットエンジン合体機関。
【請求項１０８３】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により２００℃以上複数温度の高温水（５２ｂ）を加速噴射して大気圧重力仕事率を燃焼ガスの１０００倍に近付けたロケットエンジン合体機関。
【請求項１０８４】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により２００℃以上複数温度の高温水（５２ｂ）を加速噴射して大気圧重力仕事率を燃焼ガスの１０００倍に近付けたロケットエンジン合体機関。
【請求項１０８５】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により２００℃以上複数温度の高温水（５２ｂ）を加速噴射して大気圧重力仕事能力を燃焼ガスの６００００倍に近付けたロケットエンジン合体機関。
【請求項１０８６】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により２００℃以上複数温度の高温水（５２ｂ）を加速噴射して大気圧重力仕事能力を燃焼ガスの６００００倍に近付けたロケットエンジン合体機関。
【請求項１０８７】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により２００℃以上複数温度の高温水（５２ｂ）を加速噴射して大気圧重力仕事能力を燃焼ガスの６００００倍に近付けたロケットエンジン合体機関。
【請求項１０８８】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により１６０℃以上の高温水（５２ｂ）を加速噴射するロケットエンジン合体機関。
【請求項１０８９】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１６０℃以上の高温水（５２ｂ）を加速噴射するロケットエンジン合体機関。
【請求項１０９０】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１６０℃以上の高温水（５２ｂ）を加速噴射するロケットエンジン合体機関。
【請求項１０９１】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１６０℃以上の高温水（５２ｂ）を加速噴射するロケットエンジン合体機関。
【請求項１０９２】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１６０℃以上の高温水（５２ｂ）を加速噴射して大気圧重力仕事率を燃焼ガスの１０００倍に近付けたロケットエンジン合体機関。
【請求項１０９３】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１６０℃以上の高温水（５２ｂ）を加速噴射して大気圧重力仕事率を燃焼ガスの１０００倍に近付けたロケットエンジン合体機関。
【請求項１０９４】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１６０℃以上の高温水（５２ｂ）を加速噴射して大気圧重力仕事率を燃焼ガスの１０００倍に近付けたロケットエンジン合体機関。
【請求項１０９５】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１６０℃以上の高温水（５２ｂ）を加速噴射して大気圧重力仕事能力を燃焼ガスの６００００倍に近付けたロケットエンジン合体機関。
【請求項１０９６】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１６０℃以上の高温水（５２ｂ）を加速噴射して大気圧重力仕事能力を燃焼ガスの６００００倍に近付けたロケットエンジン合体機関。
【請求項１０９７】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１６０℃以上の高温水（５２ｂ）を加速噴射して大気圧重力仕事能力を燃焼ガスの６００００倍に近付けたロケットエンジン合体機関。
【請求項１０９８】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により１６０℃以上複数温度の高温水（５２ｂ）を加速噴射するロケットエンジン合体機関。
【請求項１０９９】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１６０℃以上複数温度の高温水（５２ｂ）を加速噴射するロケットエンジン合体機関。
【請求項１１００】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１６０℃以上複数温度の高温水（５２ｂ）を加速噴射するロケットエンジン合体機関。
【請求項１１０１】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１６０℃以上複数温度の高温水（５２ｂ）を加速噴射するロケットエンジン合体機関。
【請求項１１０２】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１６０℃以上複数温度の高温水（５２ｂ）を加速噴射して大気圧重力仕事率を燃焼ガスの１０００倍に近付けたロケットエンジン合体機関。
【請求項１１０３】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１６０℃以上複数温度の高温水（５２ｂ）を加速噴射して大気圧重力仕事率を燃焼ガスの１０００倍に近付けたロケットエンジン合体機関。
【請求項１１０４】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１６０℃以上複数温度の高温水（５２ｂ）を加速噴射して大気圧重力仕事率を燃焼ガスの１０００倍に近付けたロケットエンジン合体機関。
【請求項１１０５】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１６０℃以上複数温度の高温水（５２ｂ）を加速噴射して大気圧重力仕事能力を燃焼ガスの６００００倍に近付けたロケットエンジン合体機関。
【請求項１１０６】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１６０℃以上複数温度の高温水（５２ｂ）を加速噴射して大気圧重力仕事能力を燃焼ガスの６００００倍に近付けたロケットエンジン合体機関。
【請求項１１０７】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１６０℃以上複数温度の高温水（５２ｂ）を加速噴射して大気圧重力仕事能力を燃焼ガスの６００００倍に近付けたロケットエンジン合体機関。
【請求項１１０８】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により１３０℃以上の高温水（５２ｂ）を加速噴射するロケットエンジン合体機関。
【請求項１１０９】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１３０℃以上の高温水（５２ｂ）を加速噴射するロケットエンジン合体機関。
【請求項１１１０】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１３０℃以上の高温水（５２ｂ）を加速噴射するロケットエンジン合体機関。
【請求項１１１１】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１３０℃以上の高温水（５２ｂ）を加速噴射するロケットエンジン合体機関。
【請求項１１１２】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１３０℃以上の高温水（５２ｂ）を加速噴射して大気圧重力仕事率を燃焼ガスの１０００倍に近付けたロケットエンジン合体機関。
【請求項１１１３】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１３０℃以上の高温水（５２ｂ）を加速噴射して大気圧重力仕事率を燃焼ガスの１０００倍に近付けたロケットエンジン合体機関。
【請求項１１１４】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１３０℃以上の高温水（５２ｂ）を加速噴射して大気圧重力仕事率を燃焼ガスの１０００倍に近付けたロケットエンジン合体機関。
【請求項１１１５】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１３０℃以上の高温水（５２ｂ）を加速噴射して大気圧重力仕事能力を燃焼ガスの６００００倍に近付けたロケットエンジン合体機関。
【請求項１１１６】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１３０℃以上の高温水（５２ｂ）を加速噴射して大気圧重力仕事能力を燃焼ガスの６００００倍に近付けたロケットエンジン合体機関。
【請求項１１１７】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１３０℃以上の高温水（５２ｂ）を加速噴射して大気圧重力仕事能力を燃焼ガスの６００００倍に近付けたロケットエンジン合体機関。
【請求項１１１８】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により１３０℃以上複数温度の高温水（５２ｂ）を加速噴射するロケットエンジン合体機関。
【請求項１１１９】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１３０℃以上複数温度の高温水（５２ｂ）を加速噴射するロケットエンジン合体機関。
【請求項１１２０】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１３０℃以上複数温度の高温水（５２ｂ）を加速噴射するロケットエンジン合体機関。
【請求項１１２１】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１３０℃以上複数温度の高温水（５２ｂ）を加速噴射するロケットエンジン合体機関。
【請求項１１２２】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１３０℃以上複数温度の高温水（５２ｂ）を加速噴射して大気圧重力仕事率を燃焼ガスの１０００倍に近付けたロケットエンジン合体機関。
【請求項１１２３】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１３０℃以上複数温度の高温水（５２ｂ）を加速噴射して大気圧重力仕事率を燃焼ガスの１０００倍に近付けたロケットエンジン合体機関。
【請求項１１２４】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１３０℃以上複数温度の高温水（５２ｂ）を加速噴射して大気圧重力仕事率を燃焼ガスの１０００倍に近付けたロケットエンジン合体機関。
【請求項１１２５】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１３０℃以上複数温度の高温水（５２ｂ）を加速噴射して大気圧重力仕事能力を燃焼ガスの６００００倍に近付けたロケットエンジン合体機関。
【請求項１１２６】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１３０℃以上複数温度の高温水（５２ｂ）を加速噴射して大気圧重力仕事能力を燃焼ガスの６００００倍に近付けたロケットエンジン合体機関。
【請求項１１２７】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１３０℃以上複数温度の高温水（５２ｂ）を加速噴射して大気圧重力仕事能力を燃焼ガスの６００００倍に近付けたロケットエンジン合体機関。
【請求項１１２８】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により１００℃以上の高温水（５２ｂ）を加速噴射するロケットエンジン合体機関。
【請求項１１２９】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以上の高温水（５２ｂ）を加速噴射するロケットエンジン合体機関。
【請求項１１３０】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以上の高温水（５２ｂ）を加速噴射するロケットエンジン合体機関。
【請求項１１３１】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以上の高温水（５２ｂ）を加速噴射するロケットエンジン合体機関。
【請求項１１３２】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以上の高温水（５２ｂ）を加速噴射して大気圧重力仕事率を燃焼ガスの１０００倍に近付けたロケットエンジン合体機関。
【請求項１１３３】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以上の高温水（５２ｂ）を加速噴射して大気圧重力仕事率を燃焼ガスの１０００倍に近付けたロケットエンジン合体機関。
【請求項１１３４】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以上の高温水（５２ｂ）を加速噴射して大気圧重力仕事率を燃焼ガスの１０００倍に近付けたロケットエンジン合体機関。
【請求項１１３５】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以上の高温水（５２ｂ）を加速噴射して大気圧重力仕事能力を燃焼ガスの６００００倍に近付けたロケットエンジン合体機関。
【請求項１１３６】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以上の高温水（５２ｂ）を加速噴射して大気圧重力仕事能力を燃焼ガスの６００００倍に近付けたロケットエンジン合体機関。
【請求項１１３７】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以上の高温水（５２ｂ）を加速噴射して大気圧重力仕事能力を燃焼ガスの６００００倍に近付けたロケットエンジン合体機関。
【請求項１１３８】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により１００℃以上複数温度の高温水（５２ｂ）を加速噴射するロケットエンジン合体機関。
【請求項１１３９】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以上複数温度の高温水（５２ｂ）を加速噴射するロケットエンジン合体機関。
【請求項１１４０】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以上複数温度の高温水（５２ｂ）を加速噴射するロケットエンジン合体機関。
【請求項１１４１】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以上複数温度の高温水（５２ｂ）を加速噴射するロケットエンジン合体機関。
【請求項１１４２】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以上複数温度の高温水（５２ｂ）を加速噴射して大気圧重力仕事率を燃焼ガスの１０００倍に近付けたロケットエンジン合体機関。
【請求項１１４３】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以上複数温度の高温水（５２ｂ）を加速噴射して大気圧重力仕事率を燃焼ガスの１０００倍に近付けたロケットエンジン合体機関。
【請求項１１４４】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以上複数温度の高温水（５２ｂ）を加速噴射して大気圧重力仕事率を燃焼ガスの１０００倍に近付けたロケットエンジン合体機関。
【請求項１１４５】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以上複数温度の高温水（５２ｂ）を加速噴射して大気圧重力仕事能力を燃焼ガスの６００００倍に近付けたロケットエンジン合体機関。
【請求項１１４６】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以上複数温度の高温水（５２ｂ）を加速噴射して大気圧重力仕事能力を燃焼ガスの６００００倍に近付けたロケットエンジン合体機関。
【請求項１１４７】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以上複数温度の高温水（５２ｂ）を加速噴射して大気圧重力仕事能力を燃焼ガスの６００００倍に近付けたロケットエンジン合体機関。
【請求項１１４８】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により１００℃以下の高温水（５２ｂ）を加速噴射するロケットエンジン合体機関。
【請求項１１４９】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以下の高温水（５２ｂ）を加速噴射するロケットエンジン合体機関。
【請求項１１５０】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以下の高温水（５２ｂ）を加速噴射するロケットエンジン合体機関。
【請求項１１５１】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以下の高温水（５２ｂ）を加速噴射するロケットエンジン合体機関。
【請求項１１５２】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以下の高温水（５２ｂ）を加速噴射して大気圧重力仕事率を燃焼ガスの１０００倍に近付けたロケットエンジン合体機関。
【請求項１１５３】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以下の高温水（５２ｂ）を加速噴射して大気圧重力仕事率を燃焼ガスの１０００倍に近付けたロケットエンジン合体機関。
【請求項１１５４】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以下の高温水（５２ｂ）を加速噴射して大気圧重力仕事率を燃焼ガスの１０００倍に近付けたロケットエンジン合体機関。
【請求項１１５５】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以下の高温水（５２ｂ）を加速噴射して大気圧重力仕事能力を燃焼ガスの６００００倍に近付けたロケットエンジン合体機関。
【請求項１１５６】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以下の高温水（５２ｂ）を加速噴射して大気圧重力仕事能力を燃焼ガスの６００００倍に近付けたロケットエンジン合体機関。
【請求項１１５７】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以下の高温水（５２ｂ）を加速噴射して大気圧重力仕事能力を燃焼ガスの６００００倍に近付けたロケットエンジン合体機関。
【請求項１１５８】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により１００℃以下複数温度の高温水（５２ｂ）を加速噴射するロケットエンジン合体機関。
【請求項１１５９】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以下複数温度の高温水（５２ｂ）を加速噴射するロケットエンジン合体機関。
【請求項１１６０】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以下複数温度の高温水（５２ｂ）を加速噴射するロケットエンジン合体機関。
【請求項１１６１】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以下複数温度の高温水（５２ｂ）を加速噴射するロケットエンジン合体機関。
【請求項１１６２】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以下複数温度の高温水（５２ｂ）を加速噴射して大気圧重力仕事率を燃焼ガスの１０００倍に近付けたロケットエンジン合体機関。
【請求項１１６３】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以下複数温度の高温水（５２ｂ）を加速噴射して大気圧重力仕事率を燃焼ガスの１０００倍に近付けたロケットエンジン合体機関。
【請求項１１６４】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以下複数温度の高温水（５２ｂ）を加速噴射して大気圧重力仕事率を燃焼ガスの１０００倍に近付けたロケットエンジン合体機関。
【請求項１１６５】
縮径主燃焼室兼熱交換器（１）の導水管（３）に超臨界温度高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以下複数温度の高温水（５２ｂ）を加速噴射して大気圧重力仕事能力を燃焼ガスの６００００倍に近付けたロケットエンジン合体機関。
【請求項１１６６】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以下複数温度の高温水（５２ｂ）を加速噴射して大気圧重力仕事能力を燃焼ガスの６００００倍に近付けたロケットエンジン合体機関。
【請求項１１６７】
縮径主燃焼室兼熱交換器（１）の導水管（３）に超臨界温度高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以下複数温度の高温水（５２ｂ）を加速噴射して大気圧重力仕事能力を燃焼ガスの６００００倍に近付けたロケットエンジン合体機関。
【請求項１１６８】
縮径主燃焼室兼熱交換器（１）の導水管（３）に超臨界温度に近い高温水（５２ｂ）を搭載して過熱蒸気噴射ノズル（６Ｉ）を具備したロケットエンジン合体機関。
【請求項１１６９】
縮径主燃焼室兼熱交換器（１）の導水管（３）に超臨界温度に近い高温水（５２ｂ）を搭載して燃焼ガス噴射ノズル（６Ｊ）を具備して高圧燃焼熱交換冷却燃焼するロケットエンジン合体機関。
【請求項１１７０】
縮径主燃焼室兼熱交換器（１）の導水管（３）に超臨界温度に近い高温水（５２ｂ）を搭載して過熱蒸気燃焼ガス噴射ノズル（６Ｈ）を具備して高圧燃焼熱交換冷却燃焼するロケットエンジン合体機関。
【請求項１１７１】
縮径主燃焼室兼熱交換器（１）の導水管（３）に超臨界温度に近い高温水（５２ｂ）を搭載し、ロケット外箱（７７ｃ）内に高温水（５２ｂ）を搭載して過熱蒸気噴射ノズル（６Ｉ）を具備したロケットエンジン合体機関。
【請求項１１７２】
縮径主燃焼室兼熱交換器（１）の導水管（３）に超臨界温度に近い高温水（５２ｂ）を搭載し、ロケット外箱（７７ｃ）内に高温水（５２ｂ）を搭載して燃焼ガス噴射ノズル（６Ｊ）を具備して高圧燃焼熱交換冷却燃焼するロケットエンジン合体機関。
【請求項１１７３】
縮径主燃焼室兼熱交換器（１）の導水管（３）に超臨界温度に近い高温水（５２ｂ）を搭載し、ロケット外箱（７７ｃ）内に高温水（５２ｂ）を搭載して過熱蒸気燃焼ガス噴射ノズル（６Ｈ）を具備して高圧燃焼熱交換冷却燃焼するロケットエンジン合体機関。
【請求項１１７４】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により高温水（５２ｂ）を加速噴射するロケットエンジン合体機関。
【請求項１１７５】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により高温水（５２ｂ）を加速噴射するロケットエンジン合体機関。
【請求項１１７６】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により高温水（５２ｂ）を加速噴射するロケットエンジン合体機関。
【請求項１１７７】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により高温水（５２ｂ）を加速噴射するロケットエンジン合体機関。
【請求項１１７８】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により高温水（５２ｂ）を加速噴射して大気圧重力仕事率を燃焼ガスの１０００倍に近付けたロケットエンジン合体機関。
【請求項１１７９】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により高温水（５２ｂ）を加速噴射して大気圧重力仕事率を燃焼ガスの１０００倍に近付けたロケットエンジン合体機関。
【請求項１１８０】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により高温水（５２ｂ）を加速噴射して大気圧重力仕事率を燃焼ガスの１０００倍に近付けたロケットエンジン合体機関。
【請求項１１８１】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により高温水（５２ｂ）を加速噴射して大気圧重力仕事能力を燃焼ガスの６００００倍に近付けたロケットエンジン合体機関。
【請求項１１８２】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により高温水（５２ｂ）を加速噴射して大気圧重力仕事能力を燃焼ガスの６００００倍に近付けたロケットエンジン合体機関。
【請求項１１８３】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により高温水（５２ｂ）を加速噴射して大気圧重力仕事能力を燃焼ガスの６００００倍に近付けたロケットエンジン合体機関。
【請求項１１８４】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により複数温度の高温水（５２ｂ）を加速噴射するロケットエンジン合体機関。
【請求項１１８５】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により複数温度の高温水（５２ｂ）を加速噴射するロケットエンジン合体機関。
【請求項１１８６】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により複数温度の高温水（５２ｂ）を加速噴射するロケットエンジン合体機関。
【請求項１１８７】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により複数温度の高温水（５２ｂ）を加速噴射するロケットエンジン合体機関。
【請求項１１８８】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により複数温度の高温水（５２ｂ）を加速噴射して大気圧重力仕事率を燃焼ガスの１０００倍に近付けたロケットエンジン合体機関。
【請求項１１８９】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により複数温度の高温水（５２ｂ）を加速噴射して大気圧重力仕事率を燃焼ガスの１０００倍に近付けたロケットエンジン合体機関。
【請求項１１９０】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により複数温度の高温水（５２ｂ）を加速噴射して大気圧重力仕事率を燃焼ガスの１０００倍に近付けたロケットエンジン合体機関。
【請求項１１９１】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により複数温度の高温水（５２ｂ）を加速噴射して大気圧重力仕事能力を燃焼ガスの６００００倍に近付けたロケットエンジン合体機関。
【請求項１１９２】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により複数温度の高温水（５２ｂ）を加速噴射して大気圧重力仕事能力を燃焼ガスの６００００倍に近付けたロケットエンジン合体機関。
【請求項１１９３】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により複数温度の高温水（５２ｂ）を加速噴射して大気圧重力仕事能力を燃焼ガスの６００００倍に近付けたロケットエンジン合体機関。
【請求項１１９４】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により２００℃以上の高温水（５２ｂ）を加速噴射するロケットエンジン合体機関。
【請求項１１９５】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により２００℃以上の高温水（５２ｂ）を加速噴射するロケットエンジン合体機関。
【請求項１１９６】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により２００℃以上の高温水（５２ｂ）を加速噴射するロケットエンジン合体機関。
【請求項１１９７】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により２００℃以上の高温水（５２ｂ）を加速噴射するロケットエンジン合体機関。
【請求項１１９８】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により２００℃以上の高温水（５２ｂ）を加速噴射して大気圧重力仕事率を燃焼ガスの１０００倍に近付けたロケットエンジン合体機関。
【請求項１１９９】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により２００℃以上の高温水（５２ｂ）を加速噴射して大気圧重力仕事率を燃焼ガスの１０００倍に近付けたロケットエンジン合体機関。
【請求項１２００】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により２００℃以上の高温水（５２ｂ）を加速噴射して大気圧重力仕事率を燃焼ガスの１０００倍に近付けたロケットエンジン合体機関。
【請求項１２０１】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により２００℃以上の高温水（５２ｂ）を加速噴射して大気圧重力仕事能力を燃焼ガスの６００００倍に近付けたロケットエンジン合体機関。
【請求項１２０２】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により２００℃以上の高温水（５２ｂ）を加速噴射して大気圧重力仕事能力を燃焼ガスの６００００倍に近付けたロケットエンジン合体機関。
【請求項１２０３】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により２００℃以上の高温水（５２ｂ）を加速噴射して大気圧重力仕事能力を燃焼ガスの６００００倍に近付けたロケットエンジン合体機関。
【請求項１２０４】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により２００℃以上複数温度の高温水（５２ｂ）を加速噴射するロケットエンジン合体機関。
【請求項１２０５】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により２００℃以上複数温度の高温水（５２ｂ）を加速噴射するロケットエンジン合体機関。
【請求項１２０６】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により２００℃以上複数温度の高温水（５２ｂ）を加速噴射するロケットエンジン合体機関。
【請求項１２０７】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により２００℃以上複数温度の高温水（５２ｂ）を加速噴射するロケットエンジン合体機関。
【請求項１２０８】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により２００℃以上複数温度の高温水（５２ｂ）を加速噴射して大気圧重力仕事率を燃焼ガスの１０００倍に近付けたロケットエンジン合体機関。
【請求項１２０９】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により２００℃以上複数温度の高温水（５２ｂ）を加速噴射して大気圧重力仕事率を燃焼ガスの１０００倍に近付けたロケットエンジン合体機関。
【請求項１２１０】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により２００℃以上複数温度の高温水（５２ｂ）を加速噴射して大気圧重力仕事率を燃焼ガスの１０００倍に近付けたロケットエンジン合体機関。
【請求項１２１１】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により２００℃以上複数温度の高温水（５２ｂ）を加速噴射して大気圧重力仕事能力を燃焼ガスの６００００倍に近付けたロケットエンジン合体機関。
【請求項１２１２】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により２００℃以上複数温度の高温水（５２ｂ）を加速噴射して大気圧重力仕事能力を燃焼ガスの６００００倍に近付けたロケットエンジン合体機関。
【請求項１２１３】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により２００℃以上複数温度の高温水（５２ｂ）を加速噴射して大気圧重力仕事能力を燃焼ガスの６００００倍に近付けたロケットエンジン合体機関。
【請求項１２１４】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により１６０℃以上の高温水（５２ｂ）を加速噴射するロケットエンジン合体機関。
【請求項１２１５】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１６０℃以上の高温水（５２ｂ）を加速噴射するロケットエンジン合体機関。
【請求項１２１６】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１６０℃以上の高温水（５２ｂ）を加速噴射するロケットエンジン合体機関。
【請求項１２１７】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１６０℃以上の高温水（５２ｂ）を加速噴射するロケットエンジン合体機関。
【請求項１２１８】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１６０℃以上の高温水（５２ｂ）を加速噴射して大気圧重力仕事率を燃焼ガスの１０００倍に近付けたロケットエンジン合体機関。
【請求項１２１９】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１６０℃以上の高温水（５２ｂ）を加速噴射して大気圧重力仕事率を燃焼ガスの１０００倍に近付けたロケットエンジン合体機関。
【請求項１２２０】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１６０℃以上の高温水（５２ｂ）を加速噴射して大気圧重力仕事率を燃焼ガスの１０００倍に近付けたロケットエンジン合体機関。
【請求項１２２１】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１６０℃以上の高温水（５２ｂ）を加速噴射して大気圧重力仕事能力を燃焼ガスの６００００倍に近付けたロケットエンジン合体機関。
【請求項１２２２】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１６０℃以上の高温水（５２ｂ）を加速噴射して大気圧重力仕事能力を燃焼ガスの６００００倍に近付けたロケットエンジン合体機関。
【請求項１２２３】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１６０℃以上の高温水（５２ｂ）を加速噴射して大気圧重力仕事能力を燃焼ガスの６００００倍に近付けたロケットエンジン合体機関。
【請求項１２２４】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により１６０℃以上複数温度の高温水（５２ｂ）を加速噴射するロケットエンジン合体機関。
【請求項１２２５】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１６０℃以上複数温度の高温水（５２ｂ）を加速噴射するロケットエンジン合体機関。
【請求項１２２６】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１６０℃以上複数温度の高温水（５２ｂ）を加速噴射するロケットエンジン合体機関。
【請求項１２２７】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１６０℃以上複数温度の高温水（５２ｂ）を加速噴射するロケットエンジン合体機関。
【請求項１２２８】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１６０℃以上複数温度の高温水（５２ｂ）を加速噴射して大気圧重力仕事率を燃焼ガスの１０００倍に近付けたロケットエンジン合体機関。
【請求項１２２９】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１６０℃以上複数温度の高温水（５２ｂ）を加速噴射して大気圧重力仕事率を燃焼ガスの１０００倍に近付けたロケットエンジン合体機関。
【請求項１２３０】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１６０℃以上複数温度の高温水（５２ｂ）を加速噴射して大気圧重力仕事率を燃焼ガスの１０００倍に近付けたロケットエンジン合体機関。
【請求項１２３１】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１６０℃以上複数温度の高温水（５２ｂ）を加速噴射して大気圧重力仕事能力を燃焼ガスの６００００倍に近付けたロケットエンジン合体機関。
【請求項１２３２】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１６０℃以上複数温度の高温水（５２ｂ）を加速噴射して大気圧重力仕事能力を燃焼ガスの６００００倍に近付けたロケットエンジン合体機関。
【請求項１２３３】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１６０℃以上複数温度の高温水（５２ｂ）を加速噴射して大気圧重力仕事能力を燃焼ガスの６００００倍に近付けたロケットエンジン合体機関。
【請求項１２３４】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により１３０℃以上の高温水（５２ｂ）を加速噴射するロケットエンジン合体機関。
【請求項１２３５】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１３０℃以上の高温水（５２ｂ）を加速噴射するロケットエンジン合体機関。
【請求項１２３６】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１３０℃以上の高温水（５２ｂ）を加速噴射するロケットエンジン合体機関。
【請求項１２３７】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１３０℃以上の高温水（５２ｂ）を加速噴射するロケットエンジン合体機関。
【請求項１２３８】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１３０℃以上の高温水（５２ｂ）を加速噴射して大気圧重力仕事率を燃焼ガスの１０００倍に近付けたロケットエンジン合体機関。
【請求項１２３９】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１３０℃以上の高温水（５２ｂ）を加速噴射して大気圧重力仕事率を燃焼ガスの１０００倍に近付けたロケットエンジン合体機関。
【請求項１２４０】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１３０℃以上の高温水（５２ｂ）を加速噴射して大気圧重力仕事率を燃焼ガスの１０００倍に近付けたロケットエンジン合体機関。
【請求項１２４１】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１３０℃以上の高温水（５２ｂ）を加速噴射して大気圧重力仕事能力を燃焼ガスの６００００倍に近付けたロケットエンジン合体機関。
【請求項１２４２】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１３０℃以上の高温水（５２ｂ）を加速噴射して大気圧重力仕事能力を燃焼ガスの６００００倍に近付けたロケットエンジン合体機関。
【請求項１２４３】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１３０℃以上の高温水（５２ｂ）を加速噴射して大気圧重力仕事能力を燃焼ガスの６００００倍に近付けたロケットエンジン合体機関。
【請求項１２４４】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により１３０℃以上複数温度の高温水（５２ｂ）を加速噴射するロケットエンジン合体機関。
【請求項１２４５】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１３０℃以上複数温度の高温水（５２ｂ）を加速噴射するロケットエンジン合体機関。
【請求項１２４６】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１３０℃以上複数温度の高温水（５２ｂ）を加速噴射するロケットエンジン合体機関。
【請求項１２４７】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１３０℃以上複数温度の高温水（５２ｂ）を加速噴射するロケットエンジン合体機関。
【請求項１２４８】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１３０℃以上複数温度の高温水（５２ｂ）を加速噴射して大気圧重力仕事率を燃焼ガスの１０００倍に近付けたロケットエンジン合体機関。
【請求項１２４９】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１３０℃以上複数温度の高温水（５２ｂ）を加速噴射して大気圧重力仕事率を燃焼ガスの１０００倍に近付けたロケットエンジン合体機関。
【請求項１２５０】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１３０℃以上複数温度の高温水（５２ｂ）を加速噴射して大気圧重力仕事率を燃焼ガスの１０００倍に近付けたロケットエンジン合体機関。
【請求項１２５１】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１３０℃以上複数温度の高温水（５２ｂ）を加速噴射して大気圧重力仕事能力を燃焼ガスの６００００倍に近付けたロケットエンジン合体機関。
【請求項１２５２】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１３０℃以上複数温度の高温水（５２ｂ）を加速噴射して大気圧重力仕事能力を燃焼ガスの６００００倍に近付けたロケットエンジン合体機関。
【請求項１２５３】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１３０℃以上複数温度の高温水（５２ｂ）を加速噴射して大気圧重力仕事能力を燃焼ガスの６００００倍に近付けたロケットエンジン合体機関。
【請求項１２５４】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により１００℃以上の高温水（５２ｂ）を加速噴射するロケットエンジン合体機関。
【請求項１２５５】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以上の高温水（５２ｂ）を加速噴射するロケットエンジン合体機関。
【請求項１２５６】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以上の高温水（５２ｂ）を加速噴射するロケットエンジン合体機関。
【請求項１２５７】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以上の高温水（５２ｂ）を加速噴射するロケットエンジン合体機関。
【請求項１２５８】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以上の高温水（５２ｂ）を加速噴射して大気圧重力仕事率を燃焼ガスの１０００倍に近付けたロケットエンジン合体機関。
【請求項１２５９】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以上の高温水（５２ｂ）を加速噴射して大気圧重力仕事率を燃焼ガスの１０００倍に近付けたロケットエンジン合体機関。
【請求項１２６０】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以上の高温水（５２ｂ）を加速噴射して大気圧重力仕事率を燃焼ガスの１０００倍に近付けたロケットエンジン合体機関。
【請求項１２６１】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以上の高温水（５２ｂ）を加速噴射して大気圧重力仕事能力を燃焼ガスの６００００倍に近付けたロケットエンジン合体機関。
【請求項１２６２】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以上の高温水（５２ｂ）を加速噴射して大気圧重力仕事能力を燃焼ガスの６００００倍に近付けたロケットエンジン合体機関。
【請求項１２６３】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以上の高温水（５２ｂ）を加速噴射して大気圧重力仕事能力を燃焼ガスの６００００倍に近付けたロケットエンジン合体機関。
【請求項１２６４】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により１００℃以上複数温度の高温水（５２ｂ）を加速噴射するロケットエンジン合体機関。
【請求項１２６５】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以上複数温度の高温水（５２ｂ）を加速噴射するロケットエンジン合体機関。
【請求項１２６６】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以上複数温度の高温水（５２ｂ）を加速噴射するロケットエンジン合体機関。
【請求項１２６７】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以上複数温度の高温水（５２ｂ）を加速噴射するロケットエンジン合体機関。
【請求項１２６８】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以上複数温度の高温水（５２ｂ）を加速噴射して大気圧重力仕事率を燃焼ガスの１０００倍に近付けたロケットエンジン合体機関。
【請求項１２６９】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以上複数温度の高温水（５２ｂ）を加速噴射して大気圧重力仕事率を燃焼ガスの１０００倍に近付けたロケットエンジン合体機関。
【請求項１２７０】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以上複数温度の高温水（５２ｂ）を加速噴射して大気圧重力仕事率を燃焼ガスの１０００倍に近付けたロケットエンジン合体機関。
【請求項１２７１】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以上複数温度の高温水（５２ｂ）を加速噴射して大気圧重力仕事能力を燃焼ガスの６００００倍に近付けたロケットエンジン合体機関。
【請求項１２７２】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以上複数温度の高温水（５２ｂ）を加速噴射して大気圧重力仕事能力を燃焼ガスの６００００倍に近付けたロケットエンジン合体機関。
【請求項１２７３】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以上複数温度の高温水（５２ｂ）を加速噴射して大気圧重力仕事能力を燃焼ガスの６００００倍に近付けたロケットエンジン合体機関。
【請求項１２７４】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により１００℃以下の高温水（５２ｂ）を加速噴射するロケットエンジン合体機関。
【請求項１２７５】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以下の高温水（５２ｂ）を加速噴射するロケットエンジン合体機関。
【請求項１２７６】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以下の高温水（５２ｂ）を加速噴射するロケットエンジン合体機関。
【請求項１２７７】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以下の高温水（５２ｂ）を加速噴射するロケットエンジン合体機関。
【請求項１２７８】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以下の高温水（５２ｂ）を加速噴射して大気圧重力仕事率を燃焼ガスの１０００倍に近付けたロケットエンジン合体機関。
【請求項１２７９】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以下の高温水（５２ｂ）を加速噴射して大気圧重力仕事率を燃焼ガスの１０００倍に近付けたロケットエンジン合体機関。
【請求項１２８０】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以下の高温水（５２ｂ）を加速噴射して大気圧重力仕事率を燃焼ガスの１０００倍に近付けたロケットエンジン合体機関。
【請求項１２８１】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以下の高温水（５２ｂ）を加速噴射して大気圧重力仕事能力を燃焼ガスの６００００倍に近付けたロケットエンジン合体機関。
【請求項１２８２】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以下の高温水（５２ｂ）を加速噴射して大気圧重力仕事能力を燃焼ガスの６００００倍に近付けたロケットエンジン合体機関。
【請求項１２８３】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以下の高温水（５２ｂ）を加速噴射して大気圧重力仕事能力を燃焼ガスの６００００倍に近付けたロケットエンジン合体機関。
【請求項１２８４】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気噴射ノズル（６Ｉ）により１００℃以下複数温度の高温水（５２ｂ）を加速噴射するロケットエンジン合体機関。
【請求項１２８５】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以下複数温度の高温水（５２ｂ）を加速噴射するロケットエンジン合体機関。
【請求項１２８６】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以下複数温度の高温水（５２ｂ）を加速噴射するロケットエンジン合体機関。
【請求項１２８７】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以下複数温度の高温水（５２ｂ）を加速噴射するロケットエンジン合体機関。
【請求項１２８８】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以下複数温度の高温水（５２ｂ）を加速噴射して大気圧重力仕事率を燃焼ガスの１０００倍に近付けたロケットエンジン合体機関。
【請求項１２８９】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以下複数温度の高温水（５２ｂ）を加速噴射して大気圧重力仕事率を燃焼ガスの１０００倍に近付けたロケットエンジン合体機関。
【請求項１２９０】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以下複数温度の高温水（５２ｂ）を加速噴射して大気圧重力仕事率を燃焼ガスの１０００倍に近付けたロケットエンジン合体機関。
【請求項１２９１】
縮径主燃焼室兼熱交換器（１）の導水管（３）に超臨界温度に近い高温水（５２ｂ）を搭載し、ロケット外箱（７７ｃ）内と縮径主燃焼室兼熱交換器（１）内に高温水（５２ｂ）を搭載して、超臨界温度高温水（５２ｂ）爆発力と過熱蒸気噴射ノズル（６Ｉ）により１００℃以下複数温度の高温水（５２ｂ）を加速噴射して大気圧重力仕事能力を燃焼ガスの６００００倍に近付けたロケットエンジン合体機関。
【請求項１２９２】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と燃焼ガス噴射ノズル（６Ｊ）により１００℃以下複数温度の高温水（５２ｂ）を加速噴射して大気圧重力仕事能力を燃焼ガスの６００００倍に近付けたロケットエンジン合体機関。
【請求項１２９３】
縮径主燃焼室兼熱交換器（１）の導水管（３）に超臨界温度に近い高温水（５２ｂ）を搭載し、ロケット外箱（７７ｃ）内に高温水（５２ｂ）を搭載して、超臨界温度高温水（５２ｂ）爆発力と過熱蒸気燃焼ガス噴射ノズル（６Ｈ）により１００℃以下複数温度の高温水（５２ｂ）を加速噴射して大気圧重力仕事能力を燃焼ガスの６００００倍に近付けたロケットエンジン合体機関。
【請求項１２９４】
各種エネルギ保存サイクル合体機関空気圧縮部に換えて各種ロケットエンジンの燃焼部（１ａ）を具備することを特徴とするロケットエンジン合体機関。
【請求項１２９５】
各種エネルギ保存サイクル合体機関空気圧縮部に換えて各種ロケットエンジンの液体酸素（４）搭載部を具備することを特徴とするロケットエンジン合体機関。
【請求項１２９６】
各種エネルギ保存サイクル合体機関空気圧縮部に換えて各種ロケットエンジンの液体燃料（５）搭載部を具備することを特徴とするロケットエンジン合体機関。
【請求項１２９７】
各種エネルギ保存サイクル合体機関空気圧縮部に換えて各種ロケットエンジンの液体燃料（５）と液体酸素（４）の混合設備を具備することを特徴とするロケットエンジン合体機関。
【請求項１２９８】
各種エネルギ保存サイクル合体機関空気圧縮部に換えて液体燃料各種ロケットエンジンの燃焼部（１ａ）を具備することを特徴とするロケットエンジン合体機関。
【請求項１２９９】
各種エネルギ保存サイクル合体機関空気圧縮部に換えて液体燃料各種ロケットエンジンの液体酸素（４）搭載部を具備することを特徴とするロケットエンジン合体機関。
【請求項１３００】
各種エネルギ保存サイクル合体機関空気圧縮部に換えて液体燃料各種ロケットエンジンの液体燃料（５）搭載部を具備することを特徴とするロケットエンジン合体機関。
【請求項１３０１】
各種エネルギ保存サイクル合体機関空気圧縮部に換えて液体燃料各種ロケットエンジンの液体燃料（５）と液体酸素（４）の混合設備を具備することを特徴とするロケットエンジン合体機関。
【請求項１３０２】
各種エネルギ保存サイクル合体機関空気圧縮部に換えて各種ロケットエンジンの燃焼部（１ａ）を縮径主燃焼室兼熱交換器（１）に具備することを特徴とするロケットエンジン合体機関。
【請求項１３０３】
各種エネルギ保存サイクル合体機関空気圧縮部に換えて各種ロケットエンジンの液体酸素（４）搭載部を具備して縮径主燃焼室兼熱交換器（１）に供給することを特徴とするロケットエンジン合体機関。
【請求項１３０４】
各種エネルギ保存サイクル合体機関空気圧縮部に換えて各種ロケットエンジンの液体燃料（５）搭載部を具備して縮径主燃焼室兼熱交換器（１）に供給することを特徴とするロケットエンジン合体機関。
【請求項１３０５】
各種エネルギ保存サイクル合体機関空気圧縮部に換えて各種ロケットエンジンの液体燃料（５）と液体酸素（４）の混合設備を具備して縮径主燃焼室兼熱交換器（１）に噴射することを特徴とするロケットエンジン合体機関。
【請求項１３０６】
各種エネルギ保存サイクル合体機関空気圧縮部に換えて液体燃料各種ロケットエンジンの燃焼部（１ａ）を縮径主燃焼室兼熱交換器（１）に具備することを特徴とするロケットエンジン合体機関。
【請求項１３０７】
各種エネルギ保存サイクル合体機関空気圧縮部に換えて液体燃料各種ロケットエンジンの液体酸素（４）搭載部を具備して縮径主燃焼室兼熱交換器（１）に供給することを特徴とするロケットエンジン合体機関。
【請求項１３０８】
各種エネルギ保存サイクル合体機関空気圧縮部に換えて液体燃料各種ロケットエンジンの液体燃料（５）搭載部を具備して縮径主燃焼室兼熱交換器（１）に供給することを特徴とするロケットエンジン合体機関。
【請求項１３０９】
各種エネルギ保存サイクル合体機関空気圧縮部に換えて液体燃料各種ロケットエンジンの液体燃料（５）と液体酸素（４）の混合設備を具備して縮径主燃焼室兼熱交換器（１）に噴射することを特徴とするロケットエンジン合体機関。
【請求項１３１０】
前記縮径主燃焼室兼熱交換器（１）は導水管（３）を螺旋環状に具備することを特徴とするロケットエンジン合体機関。
【請求項１３１１】
前記縮径主燃焼室兼熱交換器（１）は導水管（３）を螺旋環状に２列以下で具備することを特徴とするロケットエンジン合体機関。
【請求項１３１２】
前記縮径主燃焼室兼熱交換器（１）は導水管（３）を螺旋環状に２列以上で具備することを特徴とするロケットエンジン合体機関。
【請求項１３１３】
前記縮径主燃焼室兼熱交換器（１）は導水管（３）を螺旋環状に２本以下で具備することを特徴とするロケットエンジン合体機関。
【請求項１３１４】
前記縮径主燃焼室兼熱交換器（１）は導水管（３）を螺旋環状に２本以上で具備することを特徴とするロケットエンジン合体機関。
【請求項１３１５】
前記縮径主燃焼室兼熱交換器（１）内に噴射用導水管（３ｂ）を螺旋環状に具備することを特徴とするロケットエンジン合体機関。
【請求項１３１６】
前記縮径主燃焼室兼熱交換器（１）内に噴射用導水管（３ｂ）を略直線状に具備することを特徴とするロケットエンジン合体機関。
【請求項１３１７】
前記縮径主燃焼室兼熱交換器（１）内に噴射用導水管（３ｂ）を略直線状や螺旋環状に具備することを特徴とするロケットエンジン合体機関。
【請求項１３１８】
前記縮径主燃焼室兼熱交換器（１）内に噴射用導水管（３ｂ）を螺旋環状に具備して過熱蒸気を噴射することを特徴とするロケットエンジン合体機関。
【請求項１３１９】
前記縮径主燃焼室兼熱交換器（１）内に噴射用導水管（３ｂ）を略直線状に具備して過熱蒸気を噴射することを特徴とするロケットエンジン合体機関。
【請求項１３２０】
前記縮径主燃焼室兼熱交換器（１）内に噴射用導水管（３ｂ）を略直線状や螺旋環状に具備して過熱蒸気を噴射することを特徴とするロケットエンジン合体機関。
【請求項１３２１】
前記縮径主燃焼室兼熱交換器（１）内に噴射用導水管（３ｂ）を螺旋環状に具備して過熱蒸気と高温水（５２ｂ）を噴射することを特徴とするロケットエンジン合体機関。
【請求項１３２２】
前記縮径主燃焼室兼熱交換器（１）内に噴射用導水管（３ｂ）を略直線状に具備して過熱蒸気と高温水（５２ｂ）を噴射することを特徴とするロケットエンジン合体機関。
【請求項１３２３】
前記縮径主燃焼室兼熱交換器（１）内に噴射用導水管（３ｂ）を略直線状や螺旋環状に具備して過熱蒸気と高温水（５２ｂ）を噴射することを特徴とするロケットエンジン合体機関。
【請求項１３２４】
前記縮径主燃焼室兼熱交換器（１）内に噴射用導水管（３ｂ）を螺旋環状に具備して水蒸気を噴射することを特徴とするロケットエンジン合体機関。
【請求項１３２５】
前記縮径主燃焼室兼熱交換器（１）内に噴射用導水管（３ｂ）を略直線状に具備して水蒸気を噴射することを特徴とするロケットエンジン合体機関。
【請求項１３２６】
前記縮径主燃焼室兼熱交換器（１）内に噴射用導水管（３ｂ）を略直線状や螺旋環状に具備して水蒸気を噴射することを特徴とするロケットエンジン合体機関。
【請求項１３２７】
前記縮径主燃焼室兼熱交換器（１）内に噴射用導水管（３ｂ）を螺旋環状に具備して水蒸気と高温水（５２ｂ）を噴射することを特徴とするロケットエンジン合体機関。
【請求項１３２８】
前記縮径主燃焼室兼熱交換器（１）内に噴射用導水管（３ｂ）を略直線状に具備して水蒸気と高温水（５２ｂ）を噴射することを特徴とするロケットエンジン合体機関。
【請求項１３２９】
前記縮径主燃焼室兼熱交換器（１）内に噴射用導水管（３ｂ）を略直線状や螺旋環状に具備して水蒸気と高温水（５２ｂ）を噴射することを特徴とするロケットエンジン合体機関。
【請求項１３３０】
前記縮径主燃焼室兼熱交換器（１）内に噴射用導水管（３ｂ）を螺旋環状に具備して過熱蒸気を噴射する過熱蒸気噴射ノズル（６Ａ）とすることを特徴とするロケットエンジン合体機関。
【請求項１３３１】
前記縮径主燃焼室兼熱交換器（１）内に噴射用導水管（３ｂ）を略直線状に具備して過熱蒸気を噴射する過熱蒸気噴射ノズル（６Ａ）とすることを特徴とするロケットエンジン合体機関。
【請求項１３３２】
前記縮径主燃焼室兼熱交換器（１）内に噴射用導水管（３ｂ）を略直線状や螺旋環状に具備して過熱蒸気を噴射する過熱蒸気噴射ノズル（６Ａ）とすることを特徴とするロケットエンジン合体機関。
【請求項１３３３】
前記縮径主燃焼室兼熱交換器（１）内に噴射用導水管（３ｂ）を螺旋環状に具備して過熱蒸気と高温水（５２ｂ）を噴射する過熱蒸気噴射ノズル（６Ａ）とすることを特徴とするロケットエンジン合体機関。
【請求項１３３４】
前記縮径主燃焼室兼熱交換器（１）内に噴射用導水管（３ｂ）を略直線状に具備して過熱蒸気と高温水（５２ｂ）を噴射する過熱蒸気噴射ノズル（６Ａ）とすることを特徴とするロケットエンジン合体機関。
【請求項１３３５】
前記縮径主燃焼室兼熱交換器（１）内に噴射用導水管（３ｂ）を略直線状や螺旋環状に具備して過熱蒸気と高温水（５２ｂ）を噴射する過熱蒸気噴射ノズル（６Ａ）とすることを特徴とするロケットエンジン合体機関。
【請求項１３３６】
前記縮径主燃焼室兼熱交換器（１）内に噴射用導水管（３ｂ）を螺旋環状に具備して水蒸気を噴射する過熱蒸気噴射ノズル（６Ａ）とすることを特徴とするロケットエンジン合体機関。
【請求項１３３７】
前記縮径主燃焼室兼熱交換器（１）内に噴射用導水管（３ｂ）を略直線状に具備して水蒸気を噴射する過熱蒸気噴射ノズル（６Ａ）とすることを特徴とするロケットエンジン合体機関。
【請求項１３３８】
前記縮径主燃焼室兼熱交換器（１）内に噴射用導水管（３ｂ）を略直線状や螺旋環状に具備して水蒸気を噴射する過熱蒸気噴射ノズル（６Ａ）とすることを特徴とするロケットエンジン合体機関。
【請求項１３３９】
前記縮径主燃焼室兼熱交換器（１）内に噴射用導水管（３ｂ）を螺旋環状に具備して水蒸気と高温水（５２ｂ）を噴射する過熱蒸気噴射ノズル（６Ａ）とすることを特徴とするロケットエンジン合体機関。
【請求項１３４０】
前記縮径主燃焼室兼熱交換器（１）内に噴射用導水管（３ｂ）を略直線状に具備して水蒸気と高温水（５２ｂ）を噴射する過熱蒸気噴射ノズル（６Ａ）とすることを特徴とするロケットエンジン合体機関。
【請求項１３４１】
前記縮径主燃焼室兼熱交換器（１）内に噴射用導水管（３ｂ）を略直線状や螺旋環状に具備して水蒸気と高温水（５２ｂ）を噴射する過熱蒸気噴射ノズル（６Ａ）とすることを特徴とするロケットエンジン合体機関。
【請求項１３４２】
前記縮径主燃焼室兼熱交換器（１）内に噴射用導水管（３ｂ）を螺旋環状に具備して過熱蒸気を噴射する過熱蒸気噴射ノズル（６Ｂ）とすることを特徴とするロケットエンジン合体機関。
【請求項１３４３】
前記縮径主燃焼室兼熱交換器（１）内に噴射用導水管（３ｂ）を略直線状に具備して過熱蒸気を噴射する過熱蒸気噴射ノズル（６Ｂ）とすることを特徴とするロケットエンジン合体機関。
【請求項１３４４】
前記縮径主燃焼室兼熱交換器（１）内に噴射用導水管（３ｂ）を略直線状や螺旋環状に具備して過熱蒸気を噴射する過熱蒸気噴射ノズル（６Ｂ）とすることを特徴とするロケットエンジン合体機関。
【請求項１３４５】
前記縮径主燃焼室兼熱交換器（１）内に噴射用導水管（３ｂ）を螺旋環状に具備して過熱蒸気と高温水（５２ｂ）を噴射する過熱蒸気噴射ノズル（６Ｂ）とすることを特徴とするロケットエンジン合体機関。
【請求項１３４６】
前記縮径主燃焼室兼熱交換器（１）内に噴射用導水管（３ｂ）を略直線状に具備して過熱蒸気と高温水（５２ｂ）を噴射する過熱蒸気噴射ノズル（６Ｂ）とすることを特徴とするロケットエンジン合体機関。
【請求項１３４７】
前記縮径主燃焼室兼熱交換器（１）内に噴射用導水管（３ｂ）を略直線状や螺旋環状に具備して過熱蒸気と高温水（５２ｂ）を噴射する過熱蒸気噴射ノズル（６Ｂ）とすることを特徴とするロケットエンジン合体機関。
【請求項１３４８】
前記縮径主燃焼室兼熱交換器（１）内に噴射用導水管（３ｂ）を螺旋環状に具備して水蒸気を噴射する過熱蒸気噴射ノズル（６Ｂ）とすることを特徴とするロケットエンジン合体機関。
【請求項１３４９】
前記縮径主燃焼室兼熱交換器（１）内に噴射用導水管（３ｂ）を略直線状に具備して水蒸気を噴射する過熱蒸気噴射ノズル（６Ｂ）とすることを特徴とするロケットエンジン合体機関。
【請求項１３５０】
前記縮径主燃焼室兼熱交換器（１）内に噴射用導水管（３ｂ）を略直線状や螺旋環状に具備して水蒸気を噴射する過熱蒸気噴射ノズル（６Ｂ）とすることを特徴とするロケットエンジン合体機関。
【請求項１３５１】
前記縮径主燃焼室兼熱交換器（１）内に噴射用導水管（３ｂ）を螺旋環状に具備して水蒸気と高温水（５２ｂ）を噴射する過熱蒸気噴射ノズル（６Ｂ）とすることを特徴とするロケットエンジン合体機関。
【請求項１３５２】
前記縮径主燃焼室兼熱交換器（１）内に噴射用導水管（３ｂ）を略直線状に具備して水蒸気と高温水（５２ｂ）を噴射する過熱蒸気噴射ノズル（６Ｂ）とすることを特徴とするロケットエンジン合体機関。
【請求項１３５３】
前記縮径主燃焼室兼熱交換器（１）内に噴射用導水管（３ｂ）を略直線状や螺旋環状に具備して水蒸気と高温水（５２ｂ）を噴射する過熱蒸気噴射ノズル（６Ｂ）とすることを特徴とするロケットエンジン合体機関。
【請求項１３５４】
前記縮径主燃焼室兼熱交換器（１）内に噴射用導水管（３ｂ）を螺旋環状に具備して過熱蒸気を噴射する過熱蒸気噴射ノズル（６Ｉ）とすることを特徴とするロケットエンジン合体機関。
【請求項１３５５】
前記縮径主燃焼室兼熱交換器（１）内に噴射用導水管（３ｂ）を略直線状に具備して過熱蒸気を噴射する過熱蒸気噴射ノズル（６Ｉ）とすることを特徴とするロケットエンジン合体機関。
【請求項１３５６】
前記縮径主燃焼室兼熱交換器（１）内に噴射用導水管（３ｂ）を略直線状や螺旋環状に具備して過熱蒸気を噴射する過熱蒸気噴射ノズル（６Ｉ）とすることを特徴とするロケットエンジン合体機関。
【請求項１３５７】
前記縮径主燃焼室兼熱交換器（１）内に噴射用導水管（３ｂ）を螺旋環状に具備して過熱蒸気と高温水（５２ｂ）を噴射する過熱蒸気噴射ノズル（６Ｉ）とすることを特徴とするロケットエンジン合体機関。
【請求項１３５８】
前記縮径主燃焼室兼熱交換器（１）内に噴射用導水管（３ｂ）を略直線状に具備して過熱蒸気と高温水（５２ｂ）を噴射する過熱蒸気噴射ノズル（６Ｉ）とすることを特徴とするロケットエンジン合体機関。
【請求項１３５９】
前記縮径主燃焼室兼熱交換器（１）内に噴射用導水管（３ｂ）を略直線状や螺旋環状に具備して過熱蒸気と高温水（５２ｂ）を噴射する過熱蒸気噴射ノズル（６Ｉ）とすることを特徴とするロケットエンジン合体機関。
【請求項１３６０】
前記縮径主燃焼室兼熱交換器（１）内に噴射用導水管（３ｂ）を螺旋環状に具備して水蒸気を噴射する過熱蒸気噴射ノズル（６Ｉ）とすることを特徴とするロケットエンジン合体機関。
【請求項１３６１】
前記縮径主燃焼室兼熱交換器（１）内に噴射用導水管（３ｂ）を略直線状に具備して水蒸気を噴射する過熱蒸気噴射ノズル（６Ｉ）とすることを特徴とするロケットエンジン合体機関。
【請求項１３６２】
前記縮径主燃焼室兼熱交換器（１）内に噴射用導水管（３ｂ）を略直線状や螺旋環状に具備して水蒸気を噴射する過熱蒸気噴射ノズル（６Ｉ）とすることを特徴とするロケットエンジン合体機関。
【請求項１３６３】
前記縮径主燃焼室兼熱交換器（１）内に噴射用導水管（３ｂ）を螺旋環状に具備して水蒸気と高温水（５２ｂ）を噴射する過熱蒸気噴射ノズル（６Ｉ）とすることを特徴とするロケットエンジン合体機関。
【請求項１３６４】
前記縮径主燃焼室兼熱交換器（１）内に噴射用導水管（３ｂ）を略直線状に具備して水蒸気と高温水（５２ｂ）を噴射する過熱蒸気噴射ノズル（６Ｉ）とすることを特徴とするロケットエンジン合体機関。
【請求項１３６５】
前記縮径主燃焼室兼熱交換器（１）内に噴射用導水管（３ｂ）を略直線状や螺旋環状に具備して水蒸気と高温水（５２ｂ）を噴射する過熱蒸気噴射ノズル（６Ｉ）とすることを特徴とするロケットエンジン合体機関。
【請求項１３６６】
前記縮径主燃焼室兼熱交換器（１）内を液体燃料（５）燃焼室としたことを特徴とするロケットエンジン合体機関。
【請求項１３６７】
前記縮径主燃焼室兼熱交換器（１）内を固体燃料剤（５ｇ）燃焼室としたことを特徴とするロケットエンジン合体機関。
【請求項１３６８】
前記縮径主燃焼室兼熱交換器（１）内を液体燃料（５）燃焼室として燃焼ガス（４９）出口を燃焼ガス噴射ノズル（６Ｃ）としたことを特徴とするロケットエンジン合体機関。
【請求項１３６９】
前記縮径主燃焼室兼熱交換器（１）内を固体燃料剤（５ｇ）燃焼室として燃焼ガス（４９）出口を燃焼ガス噴射ノズル（６Ｃ）としたことを特徴とするロケットエンジン合体機関。
【請求項１３７０】
前記縮径主燃焼室兼熱交換器（１）内を液体燃料（５）燃焼室として燃焼ガス（４９）出口を燃焼ガス噴射ノズル（６Ｄ）としたことを特徴とするロケットエンジン合体機関。
【請求項１３７１】
前記縮径主燃焼室兼熱交換器（１）内を固体燃料剤（５ｇ）燃焼室として燃焼ガス（４９）出口を燃焼ガス噴射ノズル（６Ｄ）としたことを特徴とするロケットエンジン合体機関。
【請求項１３７２】
前記縮径主燃焼室兼熱交換器（１）内を液体燃料（５）燃焼室として燃焼ガス（４９）出口を燃焼ガス噴射ノズル（６Ｊ）としたことを特徴とするロケットエンジン合体機関。
【請求項１３７３】
前記縮径主燃焼室兼熱交換器（１）内を固体燃料剤（５ｇ）燃焼室として燃焼ガス（４９）出口を燃焼ガス噴射ノズル（６Ｊ）としたことを特徴とするロケットエンジン合体機関。
【請求項１３７４】
前記縮径主燃焼室兼熱交換器（１）内を過熱蒸気溜（９５ｃ）としたことを特徴とするロケットエンジン合体機関。
【請求項１３７５】
前記縮径主燃焼室兼熱交換器（１）内を過熱蒸気溜（９５ｃ）として超臨界温度高温水（５２ｂ）を搭載したことを特徴とするロケットエンジン合体機関。
【請求項１３７６】
前記縮径主燃焼室兼熱交換器（１）内を過熱蒸気溜（９５ｃ）として２００℃以上の高温水（５２ｂ）を搭載したことを特徴とするロケットエンジン合体機関。
【請求項１３７７】
前記縮径主燃焼室兼熱交換器（１）内を過熱蒸気溜（９５ｃ）として１６０℃以上の高温水（５２ｂ）を搭載したことを特徴とするロケットエンジン合体機関。
【請求項１３７８】
前記縮径主燃焼室兼熱交換器（１）内を過熱蒸気溜（９５ｃ）として１３０℃以上の高温水（５２ｂ）を搭載したことを特徴とするロケットエンジン合体機関。
【請求項１３７９】
前記縮径主燃焼室兼熱交換器（１）内を過熱蒸気溜（９５ｃ）として１００℃以上の高温水（５２ｂ）を搭載したことを特徴とするロケットエンジン合体機関。
【請求項１３８０】
前記縮径主燃焼室兼熱交換器（１）内を過熱蒸気溜（９５ｃ）として１００℃以下の高温水（５２ｂ）を搭載したことを特徴とするロケットエンジン合体機関。
【請求項１３８１】
前記縮径主燃焼室兼熱交換器（１）内を過熱蒸気溜（９５ｃ）として超臨界温度高温水（５２ｂ）を搭載して高温水（５２ｂ）出口を水噴射ノズル（６Ｅ）としたことを特徴とするロケットエンジン合体機関。
【請求項１３８２】
前記縮径主燃焼室兼熱交換器（１）内を過熱蒸気溜（９５ｃ）として２００℃以上の高温水（５２ｂ）を搭載して高温水（５２ｂ）出口を水噴射ノズル（６Ｅ）としたことを特徴とするロケットエンジン合体機関。
【請求項１３８３】
前記縮径主燃焼室兼熱交換器（１）内を過熱蒸気溜（９５ｃ）として１６０℃以上の高温水（５２ｂ）を搭載して高温水（５２ｂ）出口を水噴射ノズル（６Ｅ）としたことを特徴とするロケットエンジン合体機関。
【請求項１３８４】
前記縮径主燃焼室兼熱交換器（１）内を過熱蒸気溜（９５ｃ）として１３０℃以上の高温水（５２ｂ）を搭載して高温水（５２ｂ）出口を水噴射ノズル（６Ｅ）としたことを特徴とするロケットエンジン合体機関。
【請求項１３８５】
前記縮径主燃焼室兼熱交換器（１）内を過熱蒸気溜（９５ｃ）として１００℃以上の高温水（５２ｂ）を搭載して高温水（５２ｂ）出口を水噴射ノズル（６Ｅ）としたことを特徴とするロケットエンジン合体機関。
【請求項１３８６】
前記縮径主燃焼室兼熱交換器（１）内を過熱蒸気溜（９５ｃ）として１００℃以下の高温水（５２ｂ）を搭載して高温水（５２ｂ）出口を水噴射ノズル（６Ｅ）としたことを特徴とするロケットエンジン合体機関。
【請求項１３８７】
前記ロケット外箱（７７ｃ）内を過熱蒸気溜（９５ｃ）としたことを特徴とするロケットエンジン合体機関。
【請求項１３８８】
前記ロケット外箱（７７ｃ）内を過熱蒸気溜（９５ｃ）として導水管（３）で構成したことを特徴とするロケットエンジン合体機関。
【請求項１３８９】
前記ロケット外箱（７７ｃ）内を過熱蒸気溜（９５ｃ）として導水管（３）を含めて構成したことを特徴とするロケットエンジン合体機関。
【請求項１３９０】
前記ロケット外箱（７７ｃ）内を過熱蒸気溜（９５ｃ）として導水管（３）以外で構成したことを特徴とするロケットエンジン合体機関。
【請求項１３９１】
前記ロケット外箱（７７ｃ）内を過熱蒸気溜（９５ｃ）として２００℃以上の高温水（５２ｂ）を搭載したことを特徴とするロケットエンジン合体機関。
【請求項１３９２】
前記ロケット外箱（７７ｃ）内を過熱蒸気溜（９５ｃ）として導水管（３）で構成して２００℃以上の高温水（５２ｂ）を搭載したことを特徴とするロケットエンジン合体機関。
【請求項１３９３】
前記ロケット外箱（７７ｃ）内を過熱蒸気溜（９５ｃ）として導水管（３）を含めて構成して２００℃以上の高温水（５２ｂ）を搭載したことを特徴とするロケットエンジン合体機関。
【請求項１３９４】
前記ロケット外箱（７７ｃ）内を過熱蒸気溜（９５ｃ）として導水管（３）以外で構成して２００℃以上の高温水（５２ｂ）を搭載したことを特徴とするロケットエンジン合体機関。
【請求項１３９５】
前記ロケット外箱（７７ｃ）内を過熱蒸気溜（９５ｃ）として１６０℃以上の高温水（５２ｂ）を搭載したことを特徴とするロケットエンジン合体機関。
【請求項１３９６】
前記ロケット外箱（７７ｃ）内を過熱蒸気溜（９５ｃ）として導水管（３）で構成して１６０℃以上の高温水（５２ｂ）を搭載したことを特徴とするロケットエンジン合体機関。
【請求項１３９７】
前記ロケット外箱（７７ｃ）内を過熱蒸気溜（９５ｃ）として導水管（３）を含めて構成して１６０℃以上の高温水（５２ｂ）を搭載したことを特徴とするロケットエンジン合体機関。
【請求項１３９８】
前記ロケット外箱（７７ｃ）内を過熱蒸気溜（９５ｃ）として導水管（３）以外で構成して１６０℃以上の高温水（５２ｂ）を搭載したことを特徴とするロケットエンジン合体機関。
【請求項１３９９】
前記ロケット外箱（７７ｃ）内を過熱蒸気溜（９５ｃ）として１３０℃以上の高温水（５２ｂ）を搭載したことを特徴とするロケットエンジン合体機関。
【請求項１４００】
前記ロケット外箱（７７ｃ）内を過熱蒸気溜（９５ｃ）として導水管（３）で構成して１３０℃以上の高温水（５２ｂ）を搭載したことを特徴とするロケットエンジン合体機関。
【請求項１４０１】
前記ロケット外箱（７７ｃ）内を過熱蒸気溜（９５ｃ）として導水管（３）を含めて構成して１３０℃以上の高温水（５２ｂ）を搭載したことを特徴とするロケットエンジン合体機関。
【請求項１４０２】
前記ロケット外箱（７７ｃ）内を過熱蒸気溜（９５ｃ）として導水管（３）以外で構成して１３０℃以上の高温水（５２ｂ）を搭載したことを特徴とするロケットエンジン合体機関。
【請求項１４０３】
前記ロケット外箱（７７ｃ）内を過熱蒸気溜（９５ｃ）として１００℃以上の高温水（５２ｂ）を搭載したことを特徴とするロケットエンジン合体機関。
【請求項１４０４】
前記ロケット外箱（７７ｃ）内を過熱蒸気溜（９５ｃ）として導水管（３）で構成して１００℃以上の高温水（５２ｂ）を搭載したことを特徴とするロケットエンジン合体機関。
【請求項１４０５】
前記ロケット外箱（７７ｃ）内を過熱蒸気溜（９５ｃ）として導水管（３）を含めて構成して１００℃以上の高温水（５２ｂ）を搭載したことを特徴とするロケットエンジン合体機関。
【請求項１４０６】
前記ロケット外箱（７７ｃ）内を過熱蒸気溜（９５ｃ）として導水管（３）以外で構成して１００℃以上の高温水（５２ｂ）を搭載したことを特徴とするロケットエンジン合体機関。
【請求項１４０７】
前記ロケット外箱（７７ｃ）内を過熱蒸気溜（９５ｃ）として１００℃以下の高温水（５２ｂ）を搭載したことを特徴とするロケットエンジン合体機関。
【請求項１４０８】
前記ロケット外箱（７７ｃ）内を過熱蒸気溜（９５ｃ）として導水管（３）で構成して１００℃以下の高温水（５２ｂ）を搭載したことを特徴とするロケットエンジン合体機関。
【請求項１４０９】
前記ロケット外箱（７７ｃ）内を過熱蒸気溜（９５ｃ）として導水管（３）を含めて構成して１００℃以下の高温水（５２ｂ）を搭載したことを特徴とするロケットエンジン合体機関。
【請求項１４１０】
前記ロケット外箱（７７ｃ）内を過熱蒸気溜（９５ｃ）として導水管（３）以外で構成して１００℃以下の高温水（５２ｂ）を搭載したことを特徴とするロケットエンジン合体機関。
【請求項１４１１】
前記ロケット外箱（７７ｃ）内を過熱蒸気溜（９５ｃ）として２００℃以上複数温度の高温水（５２ｂ）を搭載したことを特徴とするロケットエンジン合体機関。
【請求項１４１２】
前記ロケット外箱（７７ｃ）内を過熱蒸気溜（９５ｃ）として導水管（３）で構成して２００℃以上複数温度の高温水（５２ｂ）を搭載したことを特徴とするロケットエンジン合体機関。
【請求項１４１３】
前記ロケット外箱（７７ｃ）内を過熱蒸気溜（９５ｃ）として導水管（３）を含めて構成して２００℃以上複数温度の高温水（５２ｂ）を搭載したことを特徴とするロケットエンジン合体機関。
【請求項１４１４】
前記ロケット外箱（７７ｃ）内を過熱蒸気溜（９５ｃ）として導水管（３）以外で構成して２００℃以上複数温度の高温水（５２ｂ）を搭載したことを特徴とするロケットエンジン合体機関。
【請求項１４１５】
前記ロケット外箱（７７ｃ）内を過熱蒸気溜（９５ｃ）として１６０℃以上複数温度の高温水（５２ｂ）を搭載したことを特徴とするロケットエンジン合体機関。
【請求項１４１６】
前記ロケット外箱（７７ｃ）内を過熱蒸気溜（９５ｃ）として導水管（３）で構成して１６０℃以上複数温度の高温水（５２ｂ）を搭載したことを特徴とするロケットエンジン合体機関。
【請求項１４１７】
前記ロケット外箱（７７ｃ）内を過熱蒸気溜（９５ｃ）として導水管（３）を含めて構成して１６０℃以上複数温度の高温水（５２ｂ）を搭載したことを特徴とするロケットエンジン合体機関。
【請求項１４１８】
前記ロケット外箱（７７ｃ）内を過熱蒸気溜（９５ｃ）として導水管（３）以外で構成して１６０℃以上複数温度の高温水（５２ｂ）を搭載したことを特徴とするロケットエンジン合体機関。
【請求項１４１９】
前記ロケット外箱（７７ｃ）内を過熱蒸気溜（９５ｃ）として１３０℃以上複数温度の高温水（５２ｂ）を搭載したことを特徴とするロケットエンジン合体機関。
【請求項１４２０】
前記ロケット外箱（７７ｃ）内を過熱蒸気溜（９５ｃ）として導水管（３）で構成して１３０℃以上複数温度の高温水（５２ｂ）を搭載したことを特徴とするロケットエンジン合体機関。
【請求項１４２１】
前記ロケット外箱（７７ｃ）内を過熱蒸気溜（９５ｃ）として導水管（３）を含めて構成して１３０℃以上複数温度の高温水（５２ｂ）を搭載したことを特徴とするロケットエンジン合体機関。
【請求項１４２２】
前記ロケット外箱（７７ｃ）内を過熱蒸気溜（９５ｃ）として導水管（３）以外で構成して１３０℃以上複数温度の高温水（５２ｂ）を搭載したことを特徴とするロケットエンジン合体機関。
【請求項１４２３】
前記ロケット外箱（７７ｃ）内を過熱蒸気溜（９５ｃ）として１００℃以上複数温度の高温水（５２ｂ）を搭載したことを特徴とするロケットエンジン合体機関。
【請求項１４２４】
前記ロケット外箱（７７ｃ）内を過熱蒸気溜（９５ｃ）として導水管（３）で構成して１００℃以上複数温度の高温水（５２ｂ）を搭載したことを特徴とするロケットエンジン合体機関。
【請求項１４２５】
前記ロケット外箱（７７ｃ）内を過熱蒸気溜（９５ｃ）として導水管（３）を含めて構成して１００℃以上複数温度の高温水（５２ｂ）を搭載したことを特徴とするロケットエンジン合体機関。
【請求項１４２６】
前記ロケット外箱（７７ｃ）内を過熱蒸気溜（９５ｃ）として導水管（３）以外で構成して１００℃以上複数温度の高温水（５２ｂ）を搭載したことを特徴とするロケットエンジン合体機関。
【請求項１４２７】
前記ロケット外箱（７７ｃ）内を過熱蒸気溜（９５ｃ）として１００℃以下複数温度の高温水（５２ｂ）を搭載したことを特徴とするロケットエンジン合体機関。
【請求項１４２８】
前記ロケット外箱（７７ｃ）内を過熱蒸気溜（９５ｃ）として導水管（３）で構成して１００℃以下複数温度の高温水（５２ｂ）を搭載したことを特徴とするロケットエンジン合体機関。
【請求項１４２９】
前記ロケット外箱（７７ｃ）内を過熱蒸気溜（９５ｃ）として導水管（３）を含めて構成して１００℃以下複数温度の高温水（５２ｂ）を搭載したことを特徴とするロケットエンジン合体機関。
【請求項１４３０】
前記ロケット外箱（７７ｃ）内を過熱蒸気溜（９５ｃ）として導水管（３）以外で構成して１００℃以下複数温度の高温水（５２ｂ）を搭載したことを特徴とするロケットエンジン合体機関。
【請求項１４３１】
前記ロケット外箱（７７ｃ）内を過熱蒸気溜（９５ｃ）として２００℃以上の高温水（５２ｂ）を搭載し、道水管（３）により吸引して水噴射ノズル（６Ｅ）より噴射することを特徴とするロケットエンジン合体機関。
【請求項１４３２】
前記ロケット外箱（７７ｃ）内を過熱蒸気溜（９５ｃ）として導水管（３）で構成して２００℃以上の高温水（５２ｂ）を搭載し、道水管（３）により吸引して水噴射ノズル（６Ｅ）より噴射することを特徴とするロケットエンジン合体機関。
【請求項１４３３】
前記ロケット外箱（７７ｃ）内を過熱蒸気溜（９５ｃ）として導水管（３）を含めて構成して２００℃以上の高温水（５２ｂ）を搭載し、道水管（３）により吸引して水噴射ノズル（６Ｅ）より噴射することを特徴とするロケットエンジン合体機関。
【請求項１４３４】
前記ロケット外箱（７７ｃ）内を過熱蒸気溜（９５ｃ）として導水管（３）以外で構成して２００℃以上の高温水（５２ｂ）を搭載し、道水管（３）により吸引して水噴射ノズル（６Ｅ）より噴射することを特徴とするロケットエンジン合体機関。
【請求項１４３５】
前記ロケット外箱（７７ｃ）内を過熱蒸気溜（９５ｃ）として１６０℃以上の高温水（５２ｂ）を搭載し、道水管（３）により吸引して水噴射ノズル（６Ｅ）より噴射することを特徴とするロケットエンジン合体機関。
【請求項１４３６】
前記ロケット外箱（７７ｃ）内を過熱蒸気溜（９５ｃ）として導水管（３）で構成して１６０℃以上の高温水（５２ｂ）を搭載し、道水管（３）により吸引して水噴射ノズル（６Ｅ）より噴射することを特徴とするロケットエンジン合体機関。
【請求項１４３７】
前記ロケット外箱（７７ｃ）内を過熱蒸気溜（９５ｃ）として導水管（３）を含めて構成して１６０℃以上の高温水（５２ｂ）を搭載し、道水管（３）により吸引して水噴射ノズル（６Ｅ）より噴射することを特徴とするロケットエンジン合体機関。
【請求項１４３８】
前記ロケット外箱（７７ｃ）内を過熱蒸気溜（９５ｃ）として導水管（３）以外で構成して１６０℃以上の高温水（５２ｂ）を搭載し、道水管（３）により吸引して水噴射ノズル（６Ｅ）より噴射することを特徴とするロケットエンジン合体機関。
【請求項１４３９】
前記ロケット外箱（７７ｃ）内を過熱蒸気溜（９５ｃ）として１３０℃以上の高温水（５２ｂ）を搭載し、道水管（３）により吸引して水噴射ノズル（６Ｅ）より噴射することを特徴とするロケットエンジン合体機関。
【請求項１４４０】
前記ロケット外箱（７７ｃ）内を過熱蒸気溜（９５ｃ）として導水管（３）で構成して１３０℃以上の高温水（５２ｂ）を搭載し、道水管（３）により吸引して水噴射ノズル（６Ｅ）より噴射することを特徴とするロケットエンジン合体機関。
【請求項１４４１】
前記ロケット外箱（７７ｃ）内を過熱蒸気溜（９５ｃ）として導水管（３）を含めて構成して１３０℃以上の高温水（５２ｂ）を搭載し、道水管（３）により吸引して水噴射ノズル（６Ｅ）より噴射することを特徴とするロケットエンジン合体機関。
【請求項１４４２】
前記ロケット外箱（７７ｃ）内を過熱蒸気溜（９５ｃ）として導水管（３）以外で構成して１３０℃以上の高温水（５２ｂ）を搭載し、道水管（３）により吸引して水噴射ノズル（６Ｅ）より噴射することを特徴とするロケットエンジン合体機関。
【請求項１４４３】
前記ロケット外箱（７７ｃ）内を過熱蒸気溜（９５ｃ）として１００℃以上の高温水（５２ｂ）を搭載し、道水管（３）により吸引して水噴射ノズル（６Ｅ）より噴射することを特徴とするロケットエンジン合体機関。
【請求項１４４４】
前記ロケット外箱（７７ｃ）内を過熱蒸気溜（９５ｃ）として導水管（３）で構成して１００℃以上の高温水（５２ｂ）を搭載し、道水管（３）により吸引して水噴射ノズル（６Ｅ）より噴射することを特徴とするロケットエンジン合体機関。
【請求項１４４５】
前記ロケット外箱（７７ｃ）内を過熱蒸気溜（９５ｃ）として導水管（３）を含めて構成して１００℃以上の高温水（５２ｂ）を搭載し、道水管（３）により吸引して水噴射ノズル（６Ｅ）より噴射することを特徴とするロケットエンジン合体機関。
【請求項１４４６】
前記ロケット外箱（７７ｃ）内を過熱蒸気溜（９５ｃ）として導水管（３）以外で構成して１００℃以上の高温水（５２ｂ）を搭載し、道水管（３）により吸引して水噴射ノズル（６Ｅ）より噴射することを特徴とするロケットエンジン合体機関。
【請求項１４４７】
前記ロケット外箱（７７ｃ）内を過熱蒸気溜（９５ｃ）として１００℃以下の高温水（５２ｂ）を搭載し、道水管（３）により吸引して水噴射ノズル（６Ｅ）より噴射することを特徴とするロケットエンジン合体機関。
【請求項１４４８】
前記ロケット外箱（７７ｃ）内を過熱蒸気溜（９５ｃ）として導水管（３）で構成して１００℃以下の高温水（５２ｂ）を搭載し、道水管（３）により吸引して水噴射ノズル（６Ｅ）より噴射することを特徴とするロケットエンジン合体機関。
【請求項１４４９】
前記ロケット外箱（７７ｃ）内を過熱蒸気溜（９５ｃ）として導水管（３）を含めて構成して１００℃以下の高温水（５２ｂ）を搭載し、道水管（３）により吸引して水噴射ノズル（６Ｅ）より噴射することを特徴とするロケットエンジン合体機関。
【請求項１４５０】
前記ロケット外箱（７７ｃ）内を過熱蒸気溜（９５ｃ）として導水管（３）以外で構成して１００℃以下の高温水（５２ｂ）を搭載し、道水管（３）により吸引して水噴射ノズル（６Ｅ）より噴射することを特徴とするロケットエンジン合体機関。
【請求項１４５１】
前記ロケット外箱（７７ｃ）内を過熱蒸気溜（９５ｃ）として２００℃以上複数温度の高温水（５２ｂ）を搭載し、道水管（３）により吸引して水噴射ノズル（６Ｅ）より噴射することを特徴とするロケットエンジン合体機関。
【請求項１４５２】
前記ロケット外箱（７７ｃ）内を過熱蒸気溜（９５ｃ）として導水管（３）で構成して２００℃以上複数温度の高温水（５２ｂ）を搭載し、道水管（３）により吸引して水噴射ノズル（６Ｅ）より噴射することを特徴とするロケットエンジン合体機関。
【請求項１４５３】
前記ロケット外箱（７７ｃ）内を過熱蒸気溜（９５ｃ）として導水管（３）を含めて構成して２００℃以上複数温度の高温水（５２ｂ）を搭載し、道水管（３）により吸引して水噴射ノズル（６Ｅ）より噴射することを特徴とするロケットエンジン合体機関。
【請求項１４５４】
前記ロケット外箱（７７ｃ）内を過熱蒸気溜（９５ｃ）として導水管（３）以外で構成して２００℃以上複数温度の高温水（５２ｂ）を搭載し、道水管（３）により吸引して水噴射ノズル（６Ｅ）より噴射することを特徴とするロケットエンジン合体機関。
【請求項１４５５】
前記ロケット外箱（７７ｃ）内を過熱蒸気溜（９５ｃ）として１６０℃以上複数温度の高温水（５２ｂ）を搭載し、道水管（３）により吸引して水噴射ノズル（６Ｅ）より噴射することを特徴とするロケットエンジン合体機関。
【請求項１４５６】
前記ロケット外箱（７７ｃ）内を過熱蒸気溜（９５ｃ）として導水管（３）で構成して１６０℃以上複数温度の高温水（５２ｂ）を搭載し、道水管（３）により吸引して水噴射ノズル（６Ｅ）より噴射することを特徴とするロケットエンジン合体機関。
【請求項１４５７】
前記ロケット外箱（７７ｃ）内を過熱蒸気溜（９５ｃ）として導水管（３）を含めて構成して１６０℃以上複数温度の高温水（５２ｂ）を搭載し、道水管（３）により吸引して水噴射ノズル（６Ｅ）より噴射することを特徴とするロケットエンジン合体機関。
【請求項１４５８】
前記ロケット外箱（７７ｃ）内を過熱蒸気溜（９５ｃ）として導水管（３）以外で構成して１６０℃以上複数温度の高温水（５２ｂ）を搭載し、道水管（３）により吸引して水噴射ノズル（６Ｅ）より噴射することを特徴とするロケットエンジン合体機関。
【請求項１４５９】
前記ロケット外箱（７７ｃ）内を過熱蒸気溜（９５ｃ）として１３０℃以上複数温度の高温水（５２ｂ）を搭載し、道水管（３）により吸引して水噴射ノズル（６Ｅ）より噴射することを特徴とするロケットエンジン合体機関。
【請求項１４６０】
前記ロケット外箱（７７ｃ）内を過熱蒸気溜（９５ｃ）として導水管（３）で構成して１３０℃以上複数温度の高温水（５２ｂ）を搭載し、道水管（３）により吸引して水噴射ノズル（６Ｅ）より噴射することを特徴とするロケットエンジン合体機関。
【請求項１４６１】
前記ロケット外箱（７７ｃ）内を過熱蒸気溜（９５ｃ）として導水管（３）を含めて構成して１３０℃以上複数温度の高温水（５２ｂ）を搭載し、道水管（３）により吸引して水噴射ノズル（６Ｅ）より噴射することを特徴とするロケットエンジン合体機関。
【請求項１４６２】
前記ロケット外箱（７７ｃ）内を過熱蒸気溜（９５ｃ）として導水管（３）以外で構成して１３０℃以上複数温度の高温水（５２ｂ）を搭載し、道水管（３）により吸引して水噴射ノズル（６Ｅ）より噴射することを特徴とするロケットエンジン合体機関。
【請求項１４６３】
前記ロケット外箱（７７ｃ）内を過熱蒸気溜（９５ｃ）として１００℃以上複数温度の高温水（５２ｂ）を搭載し、道水管（３）により吸引して水噴射ノズル（６Ｅ）より噴射することを特徴とするロケットエンジン合体機関。
【請求項１４６４】
前記ロケット外箱（７７ｃ）内を過熱蒸気溜（９５ｃ）として導水管（３）で構成して１００℃以上複数温度の高温水（５２ｂ）を搭載し、道水管（３）により吸引して水噴射ノズル（６Ｅ）より噴射することを特徴とするロケットエンジン合体機関。
【請求項１４６５】
前記ロケット外箱（７７ｃ）内を過熱蒸気溜（９５ｃ）として導水管（３）を含めて構成して１００℃以上複数温度の高温水（５２ｂ）を搭載し、道水管（３）により吸引して水噴射ノズル（６Ｅ）より噴射することを特徴とするロケットエンジン合体機関。
【請求項１４６６】
前記ロケット外箱（７７ｃ）内を過熱蒸気溜（９５ｃ）として導水管（３）以外で構成して１００℃以上複数温度の高温水（５２ｂ）を搭載し、道水管（３）により吸引して水噴射ノズル（６Ｅ）より噴射することを特徴とするロケットエンジン合体機関。
【請求項１４６７】
前記ロケット外箱（７７ｃ）内を過熱蒸気溜（９５ｃ）として１００℃以下複数温度の高温水（５２ｂ）を搭載し、道水管（３）により吸引して水噴射ノズル（６Ｅ）より噴射することを特徴とするロケットエンジン合体機関。
【請求項１４６８】
前記ロケット外箱（７７ｃ）内を過熱蒸気溜（９５ｃ）として導水管（３）で構成して１００℃以下複数温度の高温水（５２ｂ）を搭載し、道水管（３）により吸引して水噴射ノズル（６Ｅ）より噴射することを特徴とするロケットエンジン合体機関。
【請求項１４６９】
前記ロケット外箱（７７ｃ）内を過熱蒸気溜（９５ｃ）として導水管（３）を含めて構成して１００℃以下複数温度の高温水（５２ｂ）を搭載し、道水管（３）により吸引して水噴射ノズル（６Ｅ）より噴射することを特徴とするロケットエンジン合体機関。
【請求項１４７０】
前記ロケット外箱（７７ｃ）内を過熱蒸気溜（９５ｃ）として導水管（３）以外で構成して１００℃以下複数温度の高温水（５２ｂ）を搭載し、道水管（３）により吸引して水噴射ノズル（６Ｅ）より噴射することを特徴とするロケットエンジン合体機関。
【請求項１４７１】
前記ロケット外箱（７７ｃ）内を過熱蒸気溜（９５ｃ）として２００℃以上の高温水（５２ｂ）を搭載し、道水管（３）により吸引して複数の水噴射ノズル（６Ｅ）より噴射することを特徴とするロケットエンジン合体機関。
【請求項１４７２】
前記ロケット外箱（７７ｃ）内を過熱蒸気溜（９５ｃ）として導水管（３）で構成して２００℃以上の高温水（５２ｂ）を搭載し、道水管（３）により吸引して複数の水噴射ノズル（６Ｅ）より噴射することを特徴とするロケットエンジン合体機関。
【請求項１４７３】
前記ロケット外箱（７７ｃ）内を過熱蒸気溜（９５ｃ）として導水管（３）を含めて構成して２００℃以上の高温水（５２ｂ）を搭載し、道水管（３）により吸引して複数の水噴射ノズル（６Ｅ）より噴射することを特徴とするロケットエンジン合体機関。
【請求項１４７４】
前記ロケット外箱（７７ｃ）内を過熱蒸気溜（９５ｃ）として導水管（３）以外で構成して２００℃以上の高温水（５２ｂ）を搭載し、道水管（３）により吸引して複数の水噴射ノズル（６Ｅ）より噴射することを特徴とするロケットエンジン合体機関。
【請求項１４７５】
前記ロケット外箱（７７ｃ）内を過熱蒸気溜（９５ｃ）として１６０℃以上の高温水（５２ｂ）を搭載し、道水管（３）により吸引して複数の水噴射ノズル（６Ｅ）より噴射することを特徴とするロケットエンジン合体機関。
【請求項１４７６】
前記ロケット外箱（７７ｃ）内を過熱蒸気溜（９５ｃ）として導水管（３）で構成して１６０℃以上の高温水（５２ｂ）を搭載し、道水管（３）により吸引して複数の水噴射ノズル（６Ｅ）より噴射することを特徴とするロケットエンジン合体機関。
【請求項１４７７】
前記ロケット外箱（７７ｃ）内を過熱蒸気溜（９５ｃ）として導水管（３）を含めて構成して１６０℃以上の高温水（５２ｂ）を搭載し、道水管（３）により吸引して複数の水噴射ノズル（６Ｅ）より噴射することを特徴とするロケットエンジン合体機関。
【請求項１４７８】
前記ロケット外箱（７７ｃ）内を過熱蒸気溜（９５ｃ）として導水管（３）以外で構成して１６０℃以上の高温水（５２ｂ）を搭載し、道水管（３）により吸引して複数の水噴射ノズル（６Ｅ）より噴射することを特徴とするロケットエンジン合体機関。
【請求項１４７９】
前記ロケット外箱（７７ｃ）内を過熱蒸気溜（９５ｃ）として１３０℃以上の高温水（５２ｂ）を搭載し、道水管（３）により吸引して複数の水噴射ノズル（６Ｅ）より噴射することを特徴とするロケットエンジン合体機関。
【請求項１４８０】
前記ロケット外箱（７７ｃ）内を過熱蒸気溜（９５ｃ）として導水管（３）で構成して１３０℃以上の高温水（５２ｂ）を搭載し、道水管（３）により吸引して複数の水噴射ノズル（６Ｅ）より噴射することを特徴とするロケットエンジン合体機関。
【請求項１４８１】
前記ロケット外箱（７７ｃ）内を過熱蒸気溜（９５ｃ）として導水管（３）を含めて構成して１３０℃以上の高温水（５２ｂ）を搭載し、道水管（３）により吸引して複数の水噴射ノズル（６Ｅ）より噴射することを特徴とするロケットエンジン合体機関。
【請求項１４８２】
前記ロケット外箱（７７ｃ）内を過熱蒸気溜（９５ｃ）として導水管（３）以外で構成して１３０℃以上の高温水（５２ｂ）を搭載し、道水管（３）により吸引して複数の水噴射ノズル（６Ｅ）より噴射することを特徴とするロケットエンジン合体機関。
【請求項１４８３】
前記ロケット外箱（７７ｃ）内を過熱蒸気溜（９５ｃ）として１００℃以上の高温水（５２ｂ）を搭載し、道水管（３）により吸引して複数の水噴射ノズル（６Ｅ）より噴射することを特徴とするロケットエンジン合体機関。
【請求項１４８４】
前記ロケット外箱（７７ｃ）内を過熱蒸気溜（９５ｃ）として導水管（３）で構成して１００℃以上の高温水（５２ｂ）を搭載し、道水管（３）により吸引して複数の水噴射ノズル（６Ｅ）より噴射することを特徴とするロケットエンジン合体機関。
【請求項１４８５】
前記ロケット外箱（７７ｃ）内を過熱蒸気溜（９５ｃ）として導水管（３）を含めて構成して１００℃以上の高温水（５２ｂ）を搭載し、道水管（３）により吸引して複数の水噴射ノズル（６Ｅ）より噴射することを特徴とするロケットエンジン合体機関。
【請求項１４８６】
前記ロケット外箱（７７ｃ）内を過熱蒸気溜（９５ｃ）として導水管（３）以外で構成して１００℃以上の高温水（５２ｂ）を搭載し、道水管（３）により吸引して複数の水噴射ノズル（６Ｅ）より噴射することを特徴とするロケットエンジン合体機関。
【請求項１４８７】
前記ロケット外箱（７７ｃ）内を過熱蒸気溜（９５ｃ）として１００℃以下の高温水（５２ｂ）を搭載し、道水管（３）により吸引して複数の水噴射ノズル（６Ｅ）より噴射することを特徴とするロケットエンジン合体機関。
【請求項１４８８】
前記ロケット外箱（７７ｃ）内を過熱蒸気溜（９５ｃ）として導水管（３）で構成して１００℃以下の高温水（５２ｂ）を搭載し、道水管（３）により吸引して複数の水噴射ノズル（６Ｅ）より噴射することを特徴とするロケットエンジン合体機関。
【請求項１４８９】
前記ロケット外箱（７７ｃ）内を過熱蒸気溜（９５ｃ）として導水管（３）を含めて構成して１００℃以下の高温水（５２ｂ）を搭載し、道水管（３）により吸引して複数の水噴射ノズル（６Ｅ）より噴射することを特徴とするロケットエンジン合体機関。
【請求項１４９０】
前記ロケット外箱（７７ｃ）内を過熱蒸気溜（９５ｃ）として導水管（３）以外で構成して１００℃以下の高温水（５２ｂ）を搭載し、道水管（３）により吸引して複数の水噴射ノズル（６Ｅ）より噴射することを特徴とするロケットエンジン合体機関。
【請求項１４９１】
前記ロケット外箱（７７ｃ）内を過熱蒸気溜（９５ｃ）として２００℃以上複数温度の高温水（５２ｂ）を搭載し、道水管（３）により吸引して複数の水噴射ノズル（６Ｅ）より噴射することを特徴とするロケットエンジン合体機関。
【請求項１４９２】
前記ロケット外箱（７７ｃ）内を過熱蒸気溜（９５ｃ）として導水管（３）で構成して２００℃以上複数温度の高温水（５２ｂ）を搭載し、道水管（３）により吸引して複数の水噴射ノズル（６Ｅ）より噴射することを特徴とするロケットエンジン合体機関。
【請求項１４９３】
前記ロケット外箱（７７ｃ）内を過熱蒸気溜（９５ｃ）として導水管（３）を含めて構成して２００℃以上複数温度の高温水（５２ｂ）を搭載し、道水管（３）により吸引して複数の水噴射ノズル（６Ｅ）より噴射することを特徴とするロケットエンジン合体機関。
【請求項１４９４】
前記ロケット外箱（７７ｃ）内を過熱蒸気溜（９５ｃ）として導水管（３）以外で構成して２００℃以上複数温度の高温水（５２ｂ）を搭載し、道水管（３）により吸引して複数の水噴射ノズル（６Ｅ）より噴射することを特徴とするロケットエンジン合体機関。
【請求項１４９５】
前記ロケット外箱（７７ｃ）内を過熱蒸気溜（９５ｃ）として１６０℃以上複数温度の高温水（５２ｂ）を搭載し、道水管（３）により吸引して複数の水噴射ノズル（６Ｅ）より噴射することを特徴とするロケットエンジン合体機関。
【請求項１４９６】
前記ロケット外箱（７７ｃ）内を過熱蒸気溜（９５ｃ）として導水管（３）で構成して１６０℃以上複数温度の高温水（５２ｂ）を搭載し、道水管（３）により吸引して複数の水噴射ノズル（６Ｅ）より噴射することを特徴とするロケットエンジン合体機関。
【請求項１４９７】
前記ロケット外箱（７７ｃ）内を過熱蒸気溜（９５ｃ）として導水管（３）を含めて構成して１６０℃以上複数温度の高温水（５２ｂ）を搭載し、道水管（３）により吸引して複数の水噴射ノズル（６Ｅ）より噴射することを特徴とするロケットエンジン合体機関。
【請求項１４９８】
前記ロケット外箱（７７ｃ）内を過熱蒸気溜（９５ｃ）として導水管（３）以外で構成して１６０℃以上複数温度の高温水（５２ｂ）を搭載し、道水管（３）により吸引して複数の水噴射ノズル（６Ｅ）より噴射することを特徴とするロケットエンジン合体機関。
【請求項１４９９】
前記ロケット外箱（７７ｃ）内を過熱蒸気溜（９５ｃ）として１３０℃以上複数温度の高温水（５２ｂ）を搭載し、道水管（３）により吸引して複数の水噴射ノズル（６Ｅ）より噴射することを特徴とするロケットエンジン合体機関。
【請求項１５００】
前記ロケット外箱（７７ｃ）内を過熱蒸気溜（９５ｃ）として導水管（３）で構成して１３０℃以上複数温度の高温水（５２ｂ）を搭載し、道水管（３）により吸引して複数の水噴射ノズル（６Ｅ）より噴射することを特徴とするロケットエンジン合体機関。
【請求項１５０１】
前記ロケット外箱（７７ｃ）内を過熱蒸気溜（９５ｃ）として導水管（３）を含めて構成して１３０℃以上複数温度の高温水（５２ｂ）を搭載し、道水管（３）により吸引して複数の水噴射ノズル（６Ｅ）より噴射することを特徴とするロケットエンジン合体機関。
【請求項１５０２】
前記ロケット外箱（７７ｃ）内を過熱蒸気溜（９５ｃ）として導水管（３）以外で構成して１３０℃以上複数温度の高温水（５２ｂ）を搭載し、道水管（３）により吸引して複数の水噴射ノズル（６Ｅ）より噴射することを特徴とするロケットエンジン合体機関。
【請求項１５０３】
前記ロケット外箱（７７ｃ）内を過熱蒸気溜（９５ｃ）として１００℃以上複数温度の高温水（５２ｂ）を搭載し、道水管（３）により吸引して複数の水噴射ノズル（６Ｅ）より噴射することを特徴とするロケットエンジン合体機関。
【請求項１５０４】
前記ロケット外箱（７７ｃ）内を過熱蒸気溜（９５ｃ）として導水管（３）で構成して１００℃以上複数温度の高温水（５２ｂ）を搭載し、道水管（３）により吸引して複数の水噴射ノズル（６Ｅ）より噴射することを特徴とするロケットエンジン合体機関。
【請求項１５０５】
前記ロケット外箱（７７ｃ）内を過熱蒸気溜（９５ｃ）として導水管（３）を含めて構成して１００℃以上複数温度の高温水（５２ｂ）を搭載し、道水管（３）により吸引して複数の水噴射ノズル（６Ｅ）より噴射することを特徴とするロケットエンジン合体機関。
【請求項１５０６】
前記ロケット外箱（７７ｃ）内を過熱蒸気溜（９５ｃ）として導水管（３）以外で構成して１００℃以上複数温度の高温水（５２ｂ）を搭載し、道水管（３）により吸引して複数の水噴射ノズル（６Ｅ）より噴射することを特徴とするロケットエンジン合体機関。
【請求項１５０７】
前記ロケット外箱（７７ｃ）内を過熱蒸気溜（９５ｃ）として１００℃以下複数温度の高温水（５２ｂ）を搭載し、道水管（３）により吸引して複数の水噴射ノズル（６Ｅ）より噴射することを特徴とするロケットエンジン合体機関。
【請求項１５０８】
前記ロケット外箱（７７ｃ）内を過熱蒸気溜（９５ｃ）として導水管（３）で構成して１００℃以下複数温度の高温水（５２ｂ）を搭載し、道水管（３）により吸引して複数の水噴射ノズル（６Ｅ）より噴射することを特徴とするロケットエンジン合体機関。
【請求項１５０９】
前記ロケット外箱（７７ｃ）内を過熱蒸気溜（９５ｃ）として導水管（３）を含めて構成して１００℃以下複数温度の高温水（５２ｂ）を搭載し、道水管（３）により吸引して複数の水噴射ノズル（６Ｅ）より噴射することを特徴とするロケットエンジン合体機関。
【請求項１５１０】
前記ロケット外箱（７７ｃ）内を過熱蒸気溜（９５ｃ）として導水管（３）以外で構成して１００℃以下複数温度の高温水（５２ｂ）を搭載し、道水管（３）により吸引して複数の水噴射ノズル（６Ｅ）より噴射することを特徴とするロケットエンジン合体機関。
【請求項１５１１】
前記ロケット外箱（７７ｃ）内を過熱蒸気溜（９５ｃ）として２００℃以上の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５１２】
前記ロケット外箱（７７ｃ）内を過熱蒸気溜（９５ｃ）として導水管（３）で構成して２００℃以上の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５１３】
前記ロケット外箱（７７ｃ）内を過熱蒸気溜（９５ｃ）として導水管（３）を含めて構成して２００℃以上の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５１４】
前記ロケット外箱（７７ｃ）内を過熱蒸気溜（９５ｃ）として導水管（３）以外で構成して２００℃以上の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５１５】
前記ロケット外箱（７７ｃ）内を過熱蒸気溜（９５ｃ）として１６０℃以上の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５１６】
前記ロケット外箱（７７ｃ）内を過熱蒸気溜（９５ｃ）として導水管（３）で構成して１６０℃以上の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５１７】
前記ロケット外箱（７７ｃ）内を過熱蒸気溜（９５ｃ）として導水管（３）を含めて構成して１６０℃以上の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５１８】
前記ロケット外箱（７７ｃ）内を過熱蒸気溜（９５ｃ）として導水管（３）以外で構成して１６０℃以上の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５１９】
前記ロケット外箱（７７ｃ）内を過熱蒸気溜（９５ｃ）として１３０℃以上の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５２０】
前記ロケット外箱（７７ｃ）内を過熱蒸気溜（９５ｃ）として導水管（３）で構成して１３０℃以上の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５２１】
前記ロケット外箱（７７ｃ）内を過熱蒸気溜（９５ｃ）として導水管（３）を含めて構成して１３０℃以上の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５２２】
前記ロケット外箱（７７ｃ）内を過熱蒸気溜（９５ｃ）として導水管（３）以外で構成して１３０℃以上の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５２３】
前記ロケット外箱（７７ｃ）内を過熱蒸気溜（９５ｃ）として１００℃以上の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５２４】
前記ロケット外箱（７７ｃ）内を過熱蒸気溜（９５ｃ）として導水管（３）で構成して１００℃以上の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５２５】
前記ロケット外箱（７７ｃ）内を過熱蒸気溜（９５ｃ）として導水管（３）を含めて構成して１００℃以上の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５２６】
前記ロケット外箱（７７ｃ）内を過熱蒸気溜（９５ｃ）として導水管（３）以外で構成して１００℃以上の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５２７】
前記ロケット外箱（７７ｃ）内を過熱蒸気溜（９５ｃ）として１００℃以下の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５２８】
前記ロケット外箱（７７ｃ）内を過熱蒸気溜（９５ｃ）として導水管（３）で構成して１００℃以下の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５２９】
前記ロケット外箱（７７ｃ）内を過熱蒸気溜（９５ｃ）として導水管（３）を含めて構成して１００℃以下の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５３０】
前記ロケット外箱（７７ｃ）内を過熱蒸気溜（９５ｃ）として導水管（３）以外で構成して１００℃以下の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５３１】
前記ロケット外箱（７７ｃ）内を過熱蒸気溜（９５ｃ）として２００℃以上複数温度の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５３２】
前記ロケット外箱（７７ｃ）内を過熱蒸気溜（９５ｃ）として導水管（３）で構成して２００℃以上複数温度の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５３３】
前記ロケット外箱（７７ｃ）内を過熱蒸気溜（９５ｃ）として導水管（３）を含めて構成して２００℃以上複数温度の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５３４】
前記ロケット外箱（７７ｃ）内を過熱蒸気溜（９５ｃ）として導水管（３）以外で構成して２００℃以上複数温度の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５３５】
前記ロケット外箱（７７ｃ）内を過熱蒸気溜（９５ｃ）として１６０℃以上複数温度の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５３６】
前記ロケット外箱（７７ｃ）内を過熱蒸気溜（９５ｃ）として導水管（３）で構成して１６０℃以上複数温度の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５３７】
前記ロケット外箱（７７ｃ）内を過熱蒸気溜（９５ｃ）として導水管（３）を含めて構成して１６０℃以上複数温度の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５３８】
前記ロケット外箱（７７ｃ）内を過熱蒸気溜（９５ｃ）として導水管（３）以外で構成して１６０℃以上複数温度の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５３９】
前記ロケット外箱（７７ｃ）内を過熱蒸気溜（９５ｃ）として１３０℃以上複数温度の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５４０】
前記ロケット外箱（７７ｃ）内を過熱蒸気溜（９５ｃ）として導水管（３）で構成して１３０℃以上複数温度の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５４１】
前記ロケット外箱（７７ｃ）内を過熱蒸気溜（９５ｃ）として導水管（３）を含めて構成して１３０℃以上複数温度の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５４２】
前記ロケット外箱（７７ｃ）内を過熱蒸気溜（９５ｃ）として導水管（３）以外で構成して１３０℃以上複数温度の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５４３】
前記ロケット外箱（７７ｃ）内を過熱蒸気溜（９５ｃ）として１００℃以上複数温度の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５４４】
前記ロケット外箱（７７ｃ）内を過熱蒸気溜（９５ｃ）として導水管（３）で構成して１００℃以上複数温度の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５４５】
前記ロケット外箱（７７ｃ）内を過熱蒸気溜（９５ｃ）として導水管（３）を含めて構成して１００℃以上複数温度の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５４６】
前記ロケット外箱（７７ｃ）内を過熱蒸気溜（９５ｃ）として導水管（３）以外で構成して１００℃以上複数温度の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５４７】
前記ロケット外箱（７７ｃ）内を過熱蒸気溜（９５ｃ）として１００℃以下複数温度の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５４８】
前記ロケット外箱（７７ｃ）内を過熱蒸気溜（９５ｃ）として導水管（３）で構成して１００℃以下複数温度の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５４９】
前記ロケット外箱（７７ｃ）内を過熱蒸気溜（９５ｃ）として導水管（３）を含めて構成して１００℃以下複数温度の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５５０】
前記ロケット外箱（７７ｃ）内を過熱蒸気溜（９５ｃ）として導水管（３）以外で構成して１００℃以下複数温度の高温水（５２ｂ）を搭載し、道水管（３）により吸引して水噴射ノズル（６Ｅ）より噴射して過熱蒸気燃焼ガス噴射ノズル（６Ｈ）爆発力で加速することを特徴とするロケットエンジン合体機関。
【請求項１５５１】
前記ロケット外箱（７７ｃ）内を過熱蒸気溜（９５ｃ）として２００℃以上の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５５２】
前記ロケット外箱（７７ｃ）内を過熱蒸気溜（９５ｃ）として導水管（３）で構成して２００℃以上の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５５３】
前記ロケット外箱（７７ｃ）内を過熱蒸気溜（９５ｃ）として導水管（３）を含めて構成して２００℃以上の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５５４】
前記ロケット外箱（７７ｃ）内を過熱蒸気溜（９５ｃ）として導水管（３）以外で構成して２００℃以上の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５５５】
前記ロケット外箱（７７ｃ）内を過熱蒸気溜（９５ｃ）として１６０℃以上の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５５６】
前記ロケット外箱（７７ｃ）内を過熱蒸気溜（９５ｃ）として導水管（３）で構成して１６０℃以上の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５５７】
前記ロケット外箱（７７ｃ）内を過熱蒸気溜（９５ｃ）として導水管（３）を含めて構成して１６０℃以上の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５５８】
前記ロケット外箱（７７ｃ）内を過熱蒸気溜（９５ｃ）として導水管（３）以外で構成して１６０℃以上の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５５９】
前記ロケット外箱（７７ｃ）内を過熱蒸気溜（９５ｃ）として１３０℃以上の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５６０】
前記ロケット外箱（７７ｃ）内を過熱蒸気溜（９５ｃ）として導水管（３）で構成して１３０℃以上の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５６１】
前記ロケット外箱（７７ｃ）内を過熱蒸気溜（９５ｃ）として導水管（３）を含めて構成して１３０℃以上の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５６２】
前記ロケット外箱（７７ｃ）内を過熱蒸気溜（９５ｃ）として導水管（３）以外で構成して１３０℃以上の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５６３】
前記ロケット外箱（７７ｃ）内を過熱蒸気溜（９５ｃ）として１００℃以上の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５６４】
前記ロケット外箱（７７ｃ）内を過熱蒸気溜（９５ｃ）として導水管（３）で構成して１００℃以上の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５６５】
前記ロケット外箱（７７ｃ）内を過熱蒸気溜（９５ｃ）として導水管（３）を含めて構成して１００℃以上の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５６６】
前記ロケット外箱（７７ｃ）内を過熱蒸気溜（９５ｃ）として導水管（３）以外で構成して１００℃以上の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５６７】
前記ロケット外箱（７７ｃ）内を過熱蒸気溜（９５ｃ）として１００℃以下の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５６８】
前記ロケット外箱（７７ｃ）内を過熱蒸気溜（９５ｃ）として導水管（３）で構成して１００℃以下の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５６９】
前記ロケット外箱（７７ｃ）内を過熱蒸気溜（９５ｃ）として導水管（３）を含めて構成して１００℃以下の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５７０】
前記ロケット外箱（７７ｃ）内を過熱蒸気溜（９５ｃ）として導水管（３）以外で構成して１００℃以下の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５７１】
前記ロケット外箱（７７ｃ）内を過熱蒸気溜（９５ｃ）として２００℃以上複数温度の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５７２】
前記ロケット外箱（７７ｃ）内を過熱蒸気溜（９５ｃ）として導水管（３）で構成して２００℃以上複数温度の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５７３】
前記ロケット外箱（７７ｃ）内を過熱蒸気溜（９５ｃ）として導水管（３）を含めて構成して２００℃以上複数温度の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５７４】
前記ロケット外箱（７７ｃ）内を過熱蒸気溜（９５ｃ）として導水管（３）以外で構成して２００℃以上複数温度の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５７５】
前記ロケット外箱（７７ｃ）内を過熱蒸気溜（９５ｃ）として１６０℃以上複数温度の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５７６】
前記ロケット外箱（７７ｃ）内を過熱蒸気溜（９５ｃ）として導水管（３）で構成して１６０℃以上複数温度の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５７７】
前記ロケット外箱（７７ｃ）内を過熱蒸気溜（９５ｃ）として導水管（３）を含めて構成して１６０℃以上複数温度の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５７８】
前記ロケット外箱（７７ｃ）内を過熱蒸気溜（９５ｃ）として導水管（３）以外で構成して１６０℃以上複数温度の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５７９】
前記ロケット外箱（７７ｃ）内を過熱蒸気溜（９５ｃ）として１３０℃以上複数温度の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５８０】
前記ロケット外箱（７７ｃ）内を過熱蒸気溜（９５ｃ）として導水管（３）で構成して１３０℃以上複数温度の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５８１】
前記ロケット外箱（７７ｃ）内を過熱蒸気溜（９５ｃ）として導水管（３）を含めて構成して１３０℃以上複数温度の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５８２】
前記ロケット外箱（７７ｃ）内を過熱蒸気溜（９５ｃ）として導水管（３）以外で構成して１３０℃以上複数温度の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５８３】
前記ロケット外箱（７７ｃ）内を過熱蒸気溜（９５ｃ）として１００℃以上複数温度の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５８４】
前記ロケット外箱（７７ｃ）内を過熱蒸気溜（９５ｃ）として導水管（３）で構成して１００℃以上複数温度の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５８５】
前記ロケット外箱（７７ｃ）内を過熱蒸気溜（９５ｃ）として導水管（３）を含めて構成して１００℃以上複数温度の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５８６】
前記ロケット外箱（７７ｃ）内を過熱蒸気溜（９５ｃ）として導水管（３）以外で構成して１００℃以上複数温度の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５８７】
前記ロケット外箱（７７ｃ）内を過熱蒸気溜（９５ｃ）として１００℃以下複数温度の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５８８】
前記ロケット外箱（７７ｃ）内を過熱蒸気溜（９５ｃ）として導水管（３）で構成して１００℃以下複数温度の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５８９】
前記ロケット外箱（７７ｃ）内を過熱蒸気溜（９５ｃ）として導水管（３）を含めて構成して１００℃以下複数温度の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５９０】
前記ロケット外箱（７７ｃ）内を過熱蒸気溜（９５ｃ）として導水管（３）以外で構成して１００℃以下複数温度の高温水（５２ｂ）を搭載し、道水管（３）により吸引して複数の水噴射ノズル（６Ｅ）より噴射して過熱蒸気燃焼ガス噴射ノズル（６Ｈ）爆発力で加速することを特徴とするロケットエンジン合体機関。
【請求項１５９１】
前記ロケット外箱（７７ｃ）内を過熱蒸気溜（９５ｃ）として２００℃以上の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１５９２】
前記ロケット外箱（７７ｃ）内を過熱蒸気溜（９５ｃ）として導水管（３）で構成して２００℃以上の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１５９３】
前記ロケット外箱（７７ｃ）内を過熱蒸気溜（９５ｃ）として導水管（３）を含めて構成して２００℃以上の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１５９４】
前記ロケット外箱（７７ｃ）内を過熱蒸気溜（９５ｃ）として導水管（３）以外で構成して２００℃以上の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１５９５】
前記ロケット外箱（７７ｃ）内を過熱蒸気溜（９５ｃ）として１６０℃以上の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１５９６】
前記ロケット外箱（７７ｃ）内を過熱蒸気溜（９５ｃ）として導水管（３）で構成して１６０℃以上の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１５９７】
前記ロケット外箱（７７ｃ）内を過熱蒸気溜（９５ｃ）として導水管（３）を含めて構成して１６０℃以上の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１５９８】
前記ロケット外箱（７７ｃ）内を過熱蒸気溜（９５ｃ）として導水管（３）以外で構成して１６０℃以上の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１５９９】
前記ロケット外箱（７７ｃ）内を過熱蒸気溜（９５ｃ）として１３０℃以上の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６００】
前記ロケット外箱（７７ｃ）内を過熱蒸気溜（９５ｃ）として導水管（３）で構成して１３０℃以上の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６０１】
前記ロケット外箱（７７ｃ）内を過熱蒸気溜（９５ｃ）として導水管（３）を含めて構成して１３０℃以上の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６０２】
前記ロケット外箱（７７ｃ）内を過熱蒸気溜（９５ｃ）として導水管（３）以外で構成して１３０℃以上の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６０３】
前記ロケット外箱（７７ｃ）内を過熱蒸気溜（９５ｃ）として１００℃以上の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６０４】
前記ロケット外箱（７７ｃ）内を過熱蒸気溜（９５ｃ）として導水管（３）で構成して１００℃以上の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６０５】
前記ロケット外箱（７７ｃ）内を過熱蒸気溜（９５ｃ）として導水管（３）を含めて構成して１００℃以上の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６０６】
前記ロケット外箱（７７ｃ）内を過熱蒸気溜（９５ｃ）として導水管（３）以外で構成して１００℃以上の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６０７】
前記ロケット外箱（７７ｃ）内を過熱蒸気溜（９５ｃ）として１００℃以下の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６０８】
前記ロケット外箱（７７ｃ）内を過熱蒸気溜（９５ｃ）として導水管（３）で構成して１００℃以下の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６０９】
前記ロケット外箱（７７ｃ）内を過熱蒸気溜（９５ｃ）として導水管（３）を含めて構成して１００℃以下の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６１０】
前記ロケット外箱（７７ｃ）内を過熱蒸気溜（９５ｃ）として導水管（３）以外で構成して１００℃以下の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６１１】
前記ロケット外箱（７７ｃ）内を過熱蒸気溜（９５ｃ）として２００℃以上複数温度の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６１２】
前記ロケット外箱（７７ｃ）内を過熱蒸気溜（９５ｃ）として導水管（３）で構成して２００℃以上複数温度の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６１３】
前記ロケット外箱（７７ｃ）内を過熱蒸気溜（９５ｃ）として導水管（３）を含めて構成して２００℃以上複数温度の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６１４】
前記ロケット外箱（７７ｃ）内を過熱蒸気溜（９５ｃ）として導水管（３）以外で構成して２００℃以上複数温度の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６１５】
前記ロケット外箱（７７ｃ）内を過熱蒸気溜（９５ｃ）として１６０℃以上複数温度の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６１６】
前記ロケット外箱（７７ｃ）内を過熱蒸気溜（９５ｃ）として導水管（３）で構成して１６０℃以上複数温度の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６１７】
前記ロケット外箱（７７ｃ）内を過熱蒸気溜（９５ｃ）として導水管（３）を含めて構成して１６０℃以上複数温度の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６１８】
前記ロケット外箱（７７ｃ）内を過熱蒸気溜（９５ｃ）として導水管（３）以外で構成して１６０℃以上複数温度の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６１９】
前記ロケット外箱（７７ｃ）内を過熱蒸気溜（９５ｃ）として１３０℃以上複数温度の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６２０】
前記ロケット外箱（７７ｃ）内を過熱蒸気溜（９５ｃ）として導水管（３）で構成して１３０℃以上複数温度の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６２１】
前記ロケット外箱（７７ｃ）内を過熱蒸気溜（９５ｃ）として導水管（３）を含めて構成して１３０℃以上複数温度の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６２２】
前記ロケット外箱（７７ｃ）内を過熱蒸気溜（９５ｃ）として導水管（３）以外で構成して１３０℃以上複数温度の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６２３】
前記ロケット外箱（７７ｃ）内を過熱蒸気溜（９５ｃ）として１００℃以上複数温度の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６２４】
前記ロケット外箱（７７ｃ）内を過熱蒸気溜（９５ｃ）として導水管（３）で構成して１００℃以上複数温度の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６２５】
前記ロケット外箱（７７ｃ）内を過熱蒸気溜（９５ｃ）として導水管（３）を含めて構成して１００℃以上複数温度の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６２６】
前記ロケット外箱（７７ｃ）内を過熱蒸気溜（９５ｃ）として導水管（３）以外で構成して１００℃以上複数温度の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６２７】
前記ロケット外箱（７７ｃ）内を過熱蒸気溜（９５ｃ）として１００℃以下複数温度の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６２８】
前記ロケット外箱（７７ｃ）内を過熱蒸気溜（９５ｃ）として導水管（３）で構成して１００℃以下複数温度の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６２９】
前記ロケット外箱（７７ｃ）内を過熱蒸気溜（９５ｃ）として導水管（３）を含めて構成して１００℃以下複数温度の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６３０】
前記ロケット外箱（７７ｃ）内を過熱蒸気溜（９５ｃ）として導水管（３）以外で構成して１００℃以下複数温度の高温水（５２ｂ）を搭載し、道水管（３）により吸引して水噴射ノズル（６Ｅ）より噴射して過熱蒸気噴射ノズル（６Ｉ）爆発力で加速することを特徴とするロケットエンジン合体機関。
【請求項１６３１】
前記ロケット外箱（７７ｃ）内を過熱蒸気溜（９５ｃ）として２００℃以上の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６３２】
前記ロケット外箱（７７ｃ）内を過熱蒸気溜（９５ｃ）として導水管（３）で構成して２００℃以上の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６３３】
前記ロケット外箱（７７ｃ）内を過熱蒸気溜（９５ｃ）として導水管（３）を含めて構成して２００℃以上の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６３４】
前記ロケット外箱（７７ｃ）内を過熱蒸気溜（９５ｃ）として導水管（３）以外で構成して２００℃以上の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６３５】
前記ロケット外箱（７７ｃ）内を過熱蒸気溜（９５ｃ）として１６０℃以上の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６３６】
前記ロケット外箱（７７ｃ）内を過熱蒸気溜（９５ｃ）として導水管（３）で構成して１６０℃以上の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６３７】
前記ロケット外箱（７７ｃ）内を過熱蒸気溜（９５ｃ）として導水管（３）を含めて構成して１６０℃以上の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６３８】
前記ロケット外箱（７７ｃ）内を過熱蒸気溜（９５ｃ）として導水管（３）以外で構成して１６０℃以上の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６３９】
前記ロケット外箱（７７ｃ）内を過熱蒸気溜（９５ｃ）として１３０℃以上の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６４０】
前記ロケット外箱（７７ｃ）内を過熱蒸気溜（９５ｃ）として導水管（３）で構成して１３０℃以上の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６４１】
前記ロケット外箱（７７ｃ）内を過熱蒸気溜（９５ｃ）として導水管（３）を含めて構成して１３０℃以上の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６４２】
前記ロケット外箱（７７ｃ）内を過熱蒸気溜（９５ｃ）として導水管（３）以外で構成して１３０℃以上の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６４３】
前記ロケット外箱（７７ｃ）内を過熱蒸気溜（９５ｃ）として１００℃以上の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６４４】
前記ロケット外箱（７７ｃ）内を過熱蒸気溜（９５ｃ）として導水管（３）で構成して１００℃以上の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６４５】
前記ロケット外箱（７７ｃ）内を過熱蒸気溜（９５ｃ）として導水管（３）を含めて構成して１００℃以上の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６４６】
前記ロケット外箱（７７ｃ）内を過熱蒸気溜（９５ｃ）として導水管（３）以外で構成して１００℃以上の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６４７】
前記ロケット外箱（７７ｃ）内を過熱蒸気溜（９５ｃ）として１００℃以下の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６４８】
前記ロケット外箱（７７ｃ）内を過熱蒸気溜（９５ｃ）として導水管（３）で構成して１００℃以下の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６４９】
前記ロケット外箱（７７ｃ）内を過熱蒸気溜（９５ｃ）として導水管（３）を含めて構成して１００℃以下の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６５０】
前記ロケット外箱（７７ｃ）内を過熱蒸気溜（９５ｃ）として導水管（３）以外で構成して１００℃以下の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６５１】
前記ロケット外箱（７７ｃ）内を過熱蒸気溜（９５ｃ）として２００℃以上複数温度の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６５２】
前記ロケット外箱（７７ｃ）内を過熱蒸気溜（９５ｃ）として導水管（３）で構成して２００℃以上複数温度の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６５３】
前記ロケット外箱（７７ｃ）内を過熱蒸気溜（９５ｃ）として導水管（３）を含めて構成して２００℃以上複数温度の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６５４】
前記ロケット外箱（７７ｃ）内を過熱蒸気溜（９５ｃ）として導水管（３）以外で構成して２００℃以上複数温度の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６５５】
前記ロケット外箱（７７ｃ）内を過熱蒸気溜（９５ｃ）として１６０℃以上複数温度の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６５６】
前記ロケット外箱（７７ｃ）内を過熱蒸気溜（９５ｃ）として導水管（３）で構成して１６０℃以上複数温度の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６５７】
前記ロケット外箱（７７ｃ）内を過熱蒸気溜（９５ｃ）として導水管（３）を含めて構成して１６０℃以上複数温度の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６５８】
前記ロケット外箱（７７ｃ）内を過熱蒸気溜（９５ｃ）として導水管（３）以外で構成して１６０℃以上複数温度の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６５９】
前記ロケット外箱（７７ｃ）内を過熱蒸気溜（９５ｃ）として１３０℃以上複数温度の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６６０】
前記ロケット外箱（７７ｃ）内を過熱蒸気溜（９５ｃ）として導水管（３）で構成して１３０℃以上複数温度の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６６１】
前記ロケット外箱（７７ｃ）内を過熱蒸気溜（９５ｃ）として導水管（３）を含めて構成して１３０℃以上複数温度の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６６２】
前記ロケット外箱（７７ｃ）内を過熱蒸気溜（９５ｃ）として導水管（３）以外で構成して１３０℃以上複数温度の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６６３】
前記ロケット外箱（７７ｃ）内を過熱蒸気溜（９５ｃ）として１００℃以上複数温度の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６６４】
前記ロケット外箱（７７ｃ）内を過熱蒸気溜（９５ｃ）として導水管（３）で構成して１００℃以上複数温度の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６６５】
前記ロケット外箱（７７ｃ）内を過熱蒸気溜（９５ｃ）として導水管（３）を含めて構成して１００℃以上複数温度の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６６６】
前記ロケット外箱（７７ｃ）内を過熱蒸気溜（９５ｃ）として導水管（３）以外で構成して１００℃以上複数温度の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６６７】
前記ロケット外箱（７７ｃ）内を過熱蒸気溜（９５ｃ）として１００℃以下複数温度の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６６８】
前記ロケット外箱（７７ｃ）内を過熱蒸気溜（９５ｃ）として導水管（３）で構成して１００℃以下複数温度の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６６９】
前記ロケット外箱（７７ｃ）内を過熱蒸気溜（９５ｃ）として導水管（３）を含めて構成して１００℃以下複数温度の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６７０】
前記ロケット外箱（７７ｃ）内を過熱蒸気溜（９５ｃ）として導水管（３）以外で構成して１００℃以下複数温度の高温水（５２ｂ）を搭載し、道水管（３）により吸引して複数の水噴射ノズル（６Ｅ）より噴射して過熱蒸気噴射ノズル（６Ｉ）爆発力で加速することを特徴とするロケットエンジン合体機関。
【請求項１６７１】
前記ロケット翼（３８ａ）内に既存技術制御装置を具備することを特徴とするロケットエンジン合体機関。
【請求項１６７２】
前記ロケット翼（３８ａ）内に既存技術制御装置を具備して水蒸気出口流路（５ｉ）を全閉・全開制御することを特徴とするロケットエンジン合体機関。
【請求項１６７３】
前記ロケット翼（３８ａ）内に既存技術制御装置を具備して燃焼室出口流路（５ｈ）を全閉・全開制御することを特徴とするロケットエンジン合体機関。
【請求項１６７４】
前記ロケット翼（３８ａ）内に既存技術制御装置を具備して酸化剤流路（４ａ）を全閉・全開制御することを特徴とするロケットエンジン合体機関。
【請求項１６７５】
前記ロケット翼（３８ａ）内に既存技術制御装置を具備して燃料流路（５ｅ）を全閉・全開制御することを特徴とするロケットエンジン合体機関。
【請求項１６７６】
前記ロケット翼（３８ａ）内に既存技術制御装置を具備して噴射用導水管（３ｂ）を全閉・全開制御することを特徴とするロケットエンジン合体機関。
【請求項１６７７】
前記ロケット翼（３８ａ）内に既存技術制御装置を具備して複数の水噴射ノズル（６Ｅ）を夫々全閉・全開制御することを特徴とするロケットエンジン合体機関。
【請求項１６７８】
前記ロケット翼（３８ａ）内に既存技術制御装置を具備して蒸気流路（５ｆ）（５ｆ）を全閉・全開制御することを特徴とするロケットエンジン合体機関。
【請求項１６７９】
前記ロケット翼（３８ａ）内に既存技術制御装置を具備して着火装置（１０２）を着火制御して固体燃料剤（５ｇ）を着火燃焼するロケットエンジン合体機関。
【請求項１６８０】
前記ロケット翼（３８ａ）内に既存技術制御装置を具備して着火装置（１０２）を着火制御して液体燃料（５）を着火燃焼することを特徴とするロケットエンジン合体機関
【請求項１６８１】
前記ロケット翼（３８ａ）の摩擦熱発生部に導水管（３）を設けて摩擦熱を回収することを特徴とするロケットエンジン合体機関
【請求項１６８２】
前記ロケット翼（３８ａ）の摩擦熱発生部に導水管（３）を設けて摩擦熱を回収して噴射推進出力として利用することを特徴とするロケットエンジン合体機関
【請求項１６８３】
前記液体燃料ロケットエンジン合体機関（２９Ｉ）は各種宇宙往還ロケットとして使用することを特徴とするロケットエンジン合体機関
【請求項１６８４】
前記液体燃料ロケットエンジン合体機関（２９Ｉ）は各種宇宙往還親ロケットとして宇宙往還ロケットを発射することを特徴とするロケットエンジン合体機関
【請求項１６８５】
前記液体燃料ロケットエンジン合体機関（２９Ｉ）は各種人工衛星打ち上げ用ロケットとして使用することを特徴とするロケットエンジン合体機関
【請求項１６８６】
前記液体燃料ロケットエンジン合体機関（２９Ｉ）は各種弾道弾用ロケットとして使用することを特徴とするロケットエンジン合体機関
【請求項１６８７】
前記液体燃料ロケットエンジン合体機関（２９Ｉ）は各種ロケット弾として使用することを特徴とするロケットエンジン合体機関
【請求項１６８８】
前記固体燃料ロケットエンジン合体機関（２９Ｊ）は各種宇宙往還ロケットとして使用することを特徴とするロケットエンジン合体機関
【請求項１６８９】
前記固体燃料ロケットエンジン合体機関（２９Ｊ）は各種宇宙往還親ロケットとして宇宙往還ロケットを発射することを特徴とするロケットエンジン合体機関
【請求項１６９０】
前記固体燃料ロケットエンジン合体機関（２９Ｊ）は各種人工衛星打ち上げ用ロケットとして使用することを特徴とするロケットエンジン合体機関
【請求項１６９１】
前記固体燃料ロケットエンジン合体機関（２９Ｊ）は各種弾道弾用ロケットとして使用することを特徴とするロケットエンジン合体機関
【請求項１６９２】
前記固体燃料ロケットエンジン合体機関（２９Ｊ）は各種ロケット弾として使用することを特徴とするロケットエンジン合体機関
【請求項１６９３】
前記高温水ロケットエンジン合体機関（２９Ｋ）は各種宇宙往還ロケットとして使用することを特徴とするロケットエンジン合体機関
【請求項１６９４】
前記高温水ロケットエンジン合体機関（２９Ｋ）は各種宇宙往還親ロケットとして宇宙往還ロケットを発射することを特徴とするロケットエンジン合体機関
【請求項１６９５】
前記高温水ロケットエンジン合体機関（２９Ｋ）は各種人工衛星打ち上げ用ロケットとして使用することを特徴とするロケットエンジン合体機関
【請求項１６９６】
前記高温水ロケットエンジン合体機関（２９Ｋ）は各種弾道弾用ロケットとして使用することを特徴とするロケットエンジン合体機関
【請求項１６９７】
前記高温水ロケットエンジン合体機関（２９Ｋ）は各種ロケット弾として使用することを特徴とするロケットエンジン合体機関
【請求項１６９８】
前記高温水ロケットエンジン合体機関（２９Ｋ）はロケット外箱（７７ｃ）のみとして使用することを特徴とするロケットエンジン合体機関
【請求項１６９９】
前記高温水ロケットエンジン合体機関（２９Ｋ）はロケット外箱（７７ｃ）のみとして簡単にすることを特徴とするロケットエンジン合体機関
【請求項１７００】
前記高温水ロケットエンジン合体機関（２９Ｋ）はロケット外箱（７７ｃ）のみに過熱蒸気噴射ノズル（６Ａ）を具備することを特徴とするロケットエンジン合体機関
【請求項１７０１】
前記高温水ロケットエンジン合体機関（２９Ｋ）はロケット外箱（７７ｃ）のみに過熱蒸気噴射ノズル（６Ｂ）を具備することを特徴とするロケットエンジン合体機関
【請求項１７０２】
前記高温水ロケットエンジン合体機関（２９Ｋ）はロケット外箱（７７ｃ）のみに過熱蒸気噴射ノズル（６Ｉ）を具備することを特徴とするロケットエンジン合体機関
【請求項１７０３】
前記高温水ロケットエンジン合体機関（２９Ｋ）は縮径主燃焼室兼熱交換器（１）のみとして使用することを特徴とするロケットエンジン合体機関
【請求項１７０４】
前記高温水ロケットエンジン合体機関（２９Ｋ）は縮径主燃焼室兼熱交換器（１）のみとして簡単にすることを特徴とするロケットエンジン合体機関
【請求項１７０５】
前記高温水ロケットエンジン合体機関（２９Ｋ）は縮径主燃焼室兼熱交換器（１）のみに過熱蒸気噴射ノズル（６Ａ）を具備することを特徴とするロケットエンジン合体機関
【請求項１７０６】
前記高温水ロケットエンジン合体機関（２９Ｋ）は縮径主燃焼室兼熱交換器（１）のみに過熱蒸気噴射ノズル（６Ｂ）を具備することを特徴とするロケットエンジン合体機関
【請求項１７０７】
前記高温水ロケットエンジン合体機関（２９Ｋ）は縮径主燃焼室兼熱交換器（１）のみに過熱蒸気噴射ノズル（６Ｉ）を具備することを特徴とするロケットエンジン合体機関
【請求項１７０８】
前記高温水ロケットエンジン合体機関（２９Ｋ）は各種ロケットとして使用することを特徴とするロケットエンジン合体機関
【請求項１７０９】
前記高温水ロケットエンジン合体機関（２９Ｋ）はロケット外箱（７７ｃ）のみとして各種ロケットとして使用することを特徴とするロケットエンジン合体機関
【請求項１７１０】
前記高温水ロケットエンジン合体機関（２９Ｋ）はロケット外箱（７７ｃ）のみとして各種ロケットとして簡単にすることを特徴とするロケットエンジン合体機関
【請求項１７１１】
前記高温水ロケットエンジン合体機関（２９Ｋ）はロケット外箱（７７ｃ）のみに過熱蒸気噴射ノズル（６Ａ）を具備して各種ロケットにすることを特徴とするロケットエンジン合体機関
【請求項１７１２】
前記高温水ロケットエンジン合体機関（２９Ｋ）はロケット外箱（７７ｃ）のみに過熱蒸気噴射ノズル（６Ｂ）を具備して各種ロケットにすることを特徴とするロケットエンジン合体機関
【請求項１７１３】
前記高温水ロケットエンジン合体機関（２９Ｋ）はロケット外箱（７７ｃ）のみに過熱蒸気噴射ノズル（６Ｉ）を具備して各種ロケットにすることを特徴とするロケットエンジン合体機関
【請求項１７１４】
前記高温水ロケットエンジン合体機関（２９Ｋ）は縮径主燃焼室兼熱交換器（１）のみとして各種ロケットに使用することを特徴とするロケットエンジン合体機関
【請求項１７１５】
前記高温水ロケットエンジン合体機関（２９Ｋ）は縮径主燃焼室兼熱交換器（１）のみとして各種ロケットを簡単にすることを特徴とするロケットエンジン合体機関
【請求項１７１６】
前記高温水ロケットエンジン合体機関（２９Ｋ）は縮径主燃焼室兼熱交換器（１）のみに過熱蒸気噴射ノズル（６Ａ）を具備して各種ロケットにすることを特徴とするロケットエンジン合体機関
【請求項１７１７】
前記高温水ロケットエンジン合体機関（２９Ｋ）は縮径主燃焼室兼熱交換器（１）のみに過熱蒸気噴射ノズル（６Ｂ）を具備して各種ロケットにすることを特徴とするロケットエンジン合体機関
【請求項１７１８】
前記高温水ロケットエンジン合体機関（２９Ｋ）は縮径主燃焼室兼熱交換器（１）のみに過熱蒸気噴射ノズル（６Ｉ）を具備して各種ロケットにすることを特徴とするロケットエンジン合体機関
【発明の詳細な説明】
【技術分野】
【０００１】
本発明は既存ロケット技術がペットボトルロケットにも劣る、熱変換も重力も重力加速度も利用しない容積利用とし、小学校理科の作用と反作用も利用しないで、仮説噴射推進出力を１／６００等に低減して、人工衛星等の打ち上げ費用を増大しております。そこで人工衛星等の打ち上げ費用が増大する理由を明快に説明するため、アイディアを仮説数字で説明しますが、正解は実験数値として仮説数字に限定しません。例えば各種エネルギ保存サイクル合体機関と既存ペットボトルロケットを合体することで、燃料燃焼熱量を搭載前に供給し、超臨界温度等の高温水５２ｂや１５０℃等の高温水を搭載して、各種温度の爆発力を利用して過熱蒸気噴射ノズル６Ａ＋６Ｂ＝６Ｉ等より噴射し、大気圧重力仕事率を燃焼ガスの１０００倍に近付け、大気圧重力仕事能力を６００００倍に近付けて、ペットボトルロケットに最も近いロケットエンジン合体機関とする技術に関する。
【０００２】
各種既存ロケットエンジンと上記ロケットエンジン合体機関を合体することで、各種ロケットエンジン燃焼部１ａを縮径主燃焼室兼熱交換器１に具備して、燃料と酸素を最適混合比で公知技術着火装置１０２により着火燃焼、又は固体燃料を公知技術着火装置１０２により着火燃焼して、縮径主燃焼室兼熱交換器１内熱交換冷却長時間高圧燃焼とし、燃焼ガス爆発速度×質量が最大の熱回収利用量を最大にして、熱交換して得た燃焼ガス質量及び高圧過熱蒸気を、燃焼ガス噴射ノズル６Ｃ＋６Ｄ＋過熱蒸気噴射ノズル６Ａ＋６Ｂ＝６Ｈより噴射し、燃焼ガス爆発力＋過熱蒸気爆発力と霧吹きの原理により、高温水５２ｂを混合噴射加速して高温水速度を、燃焼ガス爆発速度＋過熱蒸気爆発速度に近付け、大気圧重力仕事率を燃焼ガスの１０００倍に近付けて、高温水５２ｂ質量を燃焼ガスの６０倍等に増大して、噴射推進出力を（１０００倍×６０倍×１／１００減少率）＝（既存ロケットエンジン噴射推進出力の６００倍仮説噴射推進出力）に増大する技術に関する。
【背景技術】
【０００３】
既存ロケット技術がペットボトルロケットにも劣る、熱変換も重力も重力加速度も利用しない容積利用で、仮説噴射推進出力を１／６００等に低減して、人工衛星等の打ち上げ費用を増大しております。そこでペットボトルロケットを遥かに超えるため、燃焼ガス噴射推進出力に換えて水噴射推進出力として、大気圧重力仕事率を燃焼ガスの１０００倍に近付け、大気圧重力仕事能力を燃焼ガスの６００００倍に近付けた、各種ロケットエンジン合体機関の発明が急務となっております。
【特許文献１】特開２００３−１１４０９６
【発明の開示】
【発明が解決しようとする課題】
【０００４】
既存ロケット技術がペットボトルロケットにも劣る、熱変換も重力も重力加速度も利用しない容積利用で、質量が非常に僅少な燃焼ガスを噴射し、仮説噴射推進出力を１／６００等に低減して、人工衛星等の打ち上げ費用が増大するため、ペットボトルロケットに近い大気圧重力仕事率として、水速度を燃焼ガス爆発速度＋超臨界温度高温水爆発速度に近付ける、新規発明が急務となっております。そこで各種エネルギ保存サイクル合体機関と、各種ロケットエンジンを合体して、各種ロケットエンジン合体機関とすることで、ペットボトルロケットの性能を大幅に超える、大気圧重力仕事率×速度×大質量の構成とし、燃焼ガス爆発速度＋過熱蒸気爆発速度と霧吹きの原理により、高温水５２ｂを混合噴射加速して、高温水速度を燃焼ガス爆発速度＋過熱蒸気爆発速度に近付け、大気圧重力仕事率を燃焼ガスの１０００倍とし、高温水５２ｂ質量を燃焼ガスの６０倍等に増大して、噴射推進出力を（１０００倍×６０倍×１／１００減少率）＝（既存ロケットエンジン噴射推進出力の６００倍仮説噴射推進出力）に増大することを目的とします。
【課題を解決するための手段】
【０００５】
各種エネルギ保存サイクル合体機関と各種ロケットエンジンを合体し、各種ロケットエンジン合体機関とすることで、燃焼部を搭載しないペットボトルロケット方式ロケットエンジン合体機関や、各種ロケットエンジン燃焼部１ａを縮径主燃焼室兼熱交換器１に具備して、燃料と酸素や酸化剤を最適混合比で混合し、公知技術着火装置１０２により着火燃焼、又は固体燃料を公知技術着火装置１０２により着火燃焼して、縮径主燃焼室兼熱交換器１内熱交換冷却長時間高圧燃焼とし、熱回収利用量を最大にして、熱交換して得た燃焼ガス質量＋高圧過熱蒸気を、燃焼ガス噴射ノズル６Ｃ＋６Ｄ＋過熱蒸気噴射ノズル６Ａ＋６Ｂ等より噴射し、燃焼ガス爆発速度＋過熱蒸気爆発速度と霧吹きの原理により、高温水５２ｂを混合噴射加速して高温水速度を、燃焼ガス爆発速度＋過熱蒸気爆発速度に近付け、大気圧重力仕事率を燃焼ガスの１０００倍とし、高温水５２ｂ質量を燃焼ガスの６０倍等に増大して、噴射推進出力を（１０００倍×６０倍×１／１００減少率）＝（既存ロケットエンジン噴射推進出力の６００倍仮説噴射推進出力）に増大します。
【発明の効果】
【０００６】
最適速度×大質量＝仕事能力が大のうち、過熱蒸気爆発速度×質量や燃焼ガス爆発速度×質量＝仕事能力は、大きい程大量の最適速度水質量に変換可能なため、大気圧燃焼ガスの１０００倍重力仕事率×６０倍水質量等に変換して、既存ロケットエンジンの６００倍仮説噴射推進出力にする大きな効果があります。
【０００７】
大気圧燃焼ガスの１０００倍重力仕事率×６０倍水質量等に変換して、既存ロケットエンジンの６００倍仮説噴射推進出力を発生させるため、燃費が最高に良くなる効果があります。
【０００８】
大気圧燃焼ガスの１０００倍重力仕事率×６０倍水質量等を、燃焼ガス爆発速度や超臨界温度水蒸気爆発速度に近付け、既存ロケットエンジンの６００倍仮説噴射推進出力を発生させるため、燃費が最高に良くなる効果があります。
【０００９】
大気圧燃焼ガスの１０００倍重力仕事率×６０倍水質量等を、燃焼ガス爆発速度や超臨界温度水蒸気爆発速度に近付け、既存ロケットエンジンの６００倍仮説噴射推進出力を発生させるため、固体燃料ロケットの性能が最高に良くなる効果があります。
【００１０】
大気圧燃焼ガスの１０００倍重力仕事率×６０倍水質量等を、燃焼ガス爆発速度や超臨界温度水蒸気爆発速度に近付け、既存ロケットエンジンの６００倍仮説噴射推進出力を発生させるため、液体燃料ロケットの性能が最高に良くなる効果があります。
【００１１】
大気圧燃焼ガスの１０００倍重力仕事率×６０倍水質量等を、燃焼ガス爆発速度や超臨界温度水蒸気爆発速度に近付け、既存ロケットエンジンの６００倍仮説噴射推進出力を発生させるため、固体燃料ロケットの性能が最高に良くなり、出力当りの構造を簡単に出来る効果があります。
【００１２】
大気圧燃焼ガスの１０００倍重力仕事率×６０倍水質量等を、燃焼ガス爆発速度や超臨界温度水蒸気爆発速度に近付け、既存ロケットエンジンの６００倍仮説噴射推進出力を発生させるため、液体燃料ロケットの性能が最高に良くなり、出力当りの構造を簡単に出来る効果があります。
【００１３】
大気圧燃焼ガスの１０００倍重力仕事率×６０倍水質量等を、燃焼ガス爆発速度や超臨界温度水蒸気爆発速度に近付け、既存ロケットエンジンの６００倍仮説噴射推進出力を発生させるため、固体燃料ロケットの性能が最高に良くなり、人工衛星を一段ロケットに出来る効果があります。
【００１４】
大気圧燃焼ガスの１０００倍重力仕事率×６０倍水質量等を、燃焼ガス爆発速度や超臨界温度水蒸気爆発速度に近付け、既存ロケットエンジンの６００倍仮説噴射推進出力を発生させるため、液体燃料ロケットの性能が最高に良くなり、人工衛星を一段ロケットに出来る効果があります。
【発明を実施するための最良の形態】
【００１５】
この発明はロケットエンジンに水の重力や重力加速度を利用することで、大気圧重力仕事能力を燃焼ガスの６００００倍に近付けて、同一熱量既存ロケットエンジンの６００倍噴射推進出力を狙うため、最良の形態は最も大きな噴射推進出力が得られる、水銀等最も単位重量の大きい物質の加速噴射となりますが、実用面を考えて水噴射としたものです。発明の実施の形態や実施例を、図面参照して説明するが、実施形態や実施例と既説明と、その構成が略同じ部分には、同一の名称又は符号を付して、重複説明はできるだけ省略し、特徴的な部分や説明不足部分は、順次追加重複説明する。又発明の意図する所及び予想を具体的に明快に説明するため、アイディアを仮説数字で説明するが、正解は実験数字として仮説数字に限定しません。
【実施例１】
【００１６】
液体燃料ロケットエンジン合体機関２９Ｉは、既存の液体燃料ロケットエンジンと各種エネルギ保存サイクル合体機関を合体して、液体燃料ロケットエンジン合体機関としたため、既存の液体燃料ロケットエンジン燃焼装置の燃焼室は、縮径主燃焼室兼熱交換器１の燃焼室で全て利用可能とし、縮径主燃焼室兼熱交換器１及び燃焼ガス噴射ノズル及び過熱蒸気噴射ノズルを、中核技術主要部として常時使用し、燃焼ガス爆発力や超臨界温度等最高温度高温水５２ｂ気化爆発力や、水噴射ノズル６Ｅの各種温度の高温水５２ｂ気化爆発力により、夫々相互に霧吹きの原理を利用して高温水５２ｂを加速噴射し、高温水５２ｂ速度を燃焼ガスや超臨界温度高温水の爆発速度に近付けます。宇宙往還親ロケットとして使用の場合は、宇宙往還ロケットの発射用として既存技術を全面使用し、繰返し使用を可能にします。宇宙往還ロケットとして使用の場合は、大気圏帰還時に摩擦熱を発生する部分に導水管３を設けて、摩擦熱を回収して帰還時に噴射推進出力として使用します。
【００１７】
図１の液体燃料ロケットエンジン合体機関２９Ｉは、縮径主燃焼室兼熱交換器１の縮径主燃焼室熱交換器２に、超臨界圧力超臨界温度等の最高温度の高温水５２ｂを搭載して、その外周のロケット外箱７７ｃ容器は、道水管３により全部又は一部を構成する等、用途に合せた複数の耐圧容器や簡単容器や隔壁を含めて、容器耐圧に合せて出来るだけ高温高圧の高温水５２ｂを搭載し、水蒸気爆発力を最大にします。高温水５２ｂを過熱蒸気として何時でも使用可能に、燃焼ガス爆発力×質量＝仕事能力を増大可能に、ロケットエンジン頂部に液体酸素４等の酸化剤と液体燃料５を搭載して、夫々の蒸気流路５ｆ・５ｆの流量制御し、縮径主燃焼室熱交換器２の高温水５２ｂを袋内や直接噴射して、液体酸素４等の酸化剤と液体燃料５の圧力を制御して、燃料流路５ｅと酸化剤流路４ａの流量制御を容易にし、着火装置による着火燃焼を確実にします。
【００１８】
そして液体酸素４と液体燃料５を最適混合し、公知の着火装置１０２により縮径主燃焼室兼熱交換器１内着火燃焼して、熱交換冷却燃焼して高温水５２ｂ及び燃焼ガス４９圧力上昇の過程で、用途に合わせて縮径主燃焼室兼熱交換器出口の燃焼室出口流路５ｈを、全開の侭から全閉から全開まで制御可能とし、燃焼室出口流路５ｈに噴射用導水管３ｂを螺旋状や直線的に延長して、互いに霧吹きの原理を用途に合せて構成し、過熱蒸気５０や燃焼ガス４９を噴射して全閉全開制御可能として、過熱蒸気噴射ノズル６Ａ・６Ｂ＋燃焼ガス噴射ノズル６Ｃ・６Ｄで、複数の水噴射ノズル６Ｅの高温水５２ｂ爆発力を含めて、高温水質量を燃焼ガスの６０倍等に増大して噴射推進出力を発生します。
【００１９】
そして最も高価な構成として６Ａ６Ｂ６Ｃ６Ｄ全部を使用するものを、過熱蒸気燃焼ガス噴射ノズル６Ｈとし、６Ａ６Ｂを使用するものを過熱蒸気噴射ノズル６Ｉとし、６Ｃ６Ｄを使用するものを燃焼ガス噴射ノズル６Ｊとし、霧吹きの原理により高温水５２ｂを混合噴射加速して、高温水５２ｂ速度を過熱蒸気燃焼ガス爆発速度に近付け、大気圧重力仕事率を燃焼ガスの１０００倍に近付けて、大気圧重力仕事能力を燃焼ガスの６００００倍に近付けます。
【００２０】
過熱蒸気燃焼ガス噴射ノズル６Ｈは、各種エネルギ保存サイクル合体機関の過熱蒸気噴射ノズル６Ａ（加熱高温として摩擦を低減し過熱蒸気爆発力と霧吹きの原理で高温水５２ｂを混合噴射加速）と過熱蒸気噴射ノズル６Ｂ（撥水鍍金として摩擦を低減し過熱蒸気爆発力と霧吹きの原理で高温水５２ｂを混合噴射加速）と燃焼ガス噴射ノズル６Ｃ（加熱高温として摩擦を低減し燃焼ガス爆発力と霧吹きの原理で高温水５２ｂを混合噴射加速）と燃焼ガス噴射ノズル６Ｄ（撥水鍍金として摩擦を低減し燃焼ガス爆発力と霧吹きの原理で高温水５２ｂを混合噴射加速）を合体したため、最も高価な用途では撥水鍍金と加熱高温手段１０１を併用し、用途に合せて撥水鍍金３ａや加熱高温手段１０１を採用します。
【００２１】
過熱蒸気燃焼ガス噴射ノズル６Ｈの高温水溜５２ｂには、水噴射ノズル６Ｅを開閉制御し、ロケット外箱７７ｃの底部より高温水５２ｂを導水管３で圧入供給して、過熱蒸気燃焼ガス爆発力と霧吹きの原理により、水噴射ノズル６Ｅの高温水５２ｂ爆発力と摩擦損失低減で混合噴射加速し、過熱蒸気燃焼ガス爆発速度を高温水５２ｂ速度に変換して、大気圧重力仕事率を燃焼ガスの１０００倍に近付け、燃焼ガスの６０倍質量等の高温水５２ｂを加速することで、大気圧重力仕事能力を燃焼ガスの６００００倍に近付けて噴射推進出力を発生し、噴射推進出力を（既存ロケットエンジン燃焼ガスの１０００倍大気圧重力仕事率×６０倍水質量×１／１００減少率）＝（既存ロケットエンジンの６００倍仮説噴射推進出力）に増大し、先行技術を選択使用して、用途に合せたロケット翼３８ａを具備し、各種先行技術制御装置や各種資材器具を搭載して発射します。
【実施例２】
【００２２】
固体燃料ロケットエンジン合体機関２９Ｊは、既存の固体燃料ロケットエンジンと各種エネルギ保存サイクル合体機関を合体して、固体燃料ロケットエンジン合体機関としたため、既存の固体燃料ロケットエンジン燃焼装置の燃焼室は、縮径主燃焼室兼熱交換器１の燃焼室で全て利用可能とし、縮径主燃焼室兼熱交換器１及び燃焼ガス噴射ノズル及び過熱蒸気噴射ノズルを、中核技術主要部として常時使用します。燃焼ガス爆発力や超臨界温度等最高温度高温水５２ｂ気化爆発力や、水噴射ノズル６Ｅの各種温度の高温水５２ｂ気化爆発力により、夫々相互に霧吹きの原理を構成して高温水５２ｂを加速噴射し、高温水５２ｂ速度を燃焼ガスや過熱蒸気爆発速度に近付けます。宇宙往還親ロケットとして使用の場合は、宇宙往還ロケットの発射用として既存技術を全面使用し、繰返し使用を可能にします。宇宙往還ロケットとして使用の場合は、大気圏帰還時に摩擦熱を発生する部分に導水管３を設けて、摩擦熱を回収して帰還時に噴射推進出力として使用します。
【００２３】
図２の固体燃料ロケットエンジン合体機関２９Ｊは、縮径主燃焼室兼熱交換器１の縮径主燃焼室熱交換器２に、超臨界圧力超臨界温度等の最高温度の高温水５２ｂを搭載して、その外周のロケット外箱７７ｃ容器は、道水管３により全部又は一部を構成する等、用途に合せた複数の耐圧容器や簡単容器や隔壁を含めて、容器耐圧に合せて出来るだけ高温高圧の高温水５２ｂを搭載し、水蒸気爆発力を最大にします。高温水５２ｂを過熱蒸気として何時でも使用可能に、燃焼ガス爆発力×質量＝仕事能力を増大可能に、縮径主燃焼室兼熱交換器１の頂部から下部に適宜に固体燃料５ｇを搭載して、公知技術の着火装置１０２を具備して着火燃焼を可能にします。
【００２４】
そして公知の各種固体燃料５ｇと点火薬やリード線を最適結合して、公知の着火装置１０２により縮径主燃焼室兼熱交換器１内着火燃焼して、熱交換冷却燃焼高温水及び燃焼ガス圧力上昇の過程で、用途に合わせて縮径主燃焼室兼熱交換器出口の燃焼室出口流路５ｈを、全開の侭から用途に合せて全閉から全開まで制御可能とし、燃焼室出口流路５ｈに噴射用導水管３ｂを螺旋状や直線的に延長して、互いに霧吹きの原理を用途に合せ構成し、過熱蒸気５０や燃焼ガス４９を噴射して全閉全開制御可能とします。過熱蒸気噴射ノズル６Ａ・６Ｂ＋燃焼ガス噴射ノズル６Ｃ・６Ｄと、複数の水噴射ノズル６Ｅの高温水５２ｂ爆発力を含めて、高温水質量を燃焼ガスの６０倍等に増大し、高温水５２ｂ速度を過熱蒸気燃焼ガス爆発速度に近付け、大気圧重力仕事率を燃焼ガスの１０００倍に近付け、大気圧重力仕事能力を燃焼ガスの６００００倍に近付けて、噴射推進出力を発生します。
【００２５】
過熱蒸気燃焼ガス噴射ノズル６Ｈは、各種エネルギ保存サイクル合体機関の過熱蒸気噴射ノズル６Ａ（加熱高温として摩擦を低減し過熱蒸気爆発力と霧吹きの原理で高温水５２ｂを混合噴射加速）と過熱蒸気噴射ノズル６Ｂ（撥水鍍金として摩擦を低減し過熱蒸気爆発力と霧吹きの原理で高温水５２ｂを混合噴射加速）と燃焼ガス噴射ノズル６Ｃ（加熱高温として摩擦を低減し燃焼ガス爆発力と霧吹きの原理で高温水５２ｂを混合噴射加速）と燃焼ガス噴射ノズル６Ｄ（撥水鍍金として摩擦を低減し燃焼ガス爆発力と霧吹きの原理で高温水５２ｂを混合噴射加速）を合体したため、最も高価な用途では撥水鍍金と加熱高温手段１０１を併用し、用途に合せて撥水鍍金３ａや加熱高温手段１０１を採用します。
【００２６】
過熱蒸気燃焼ガス噴射ノズル６Ｈの高温水溜５２ｂには、複数の水噴射ノズル６Ｅを開閉制御し、ロケット外箱７７ｃの底部より高温水５２ｂを導水管３で供給して、過熱蒸気燃焼ガス噴射ノズル６Ｈの過熱蒸気燃焼ガス爆発力と霧吹きの原理により、複数の水噴射ノズル６Ｅの高温水５２ｂ爆発力と摩擦損失低減で混合噴射加速し、過熱蒸気燃焼ガス爆発速度を高温水５２ｂ速度に変換して、大気圧重力仕事率を燃焼ガスの１０００倍に近付け、燃焼ガスの６０倍質量等の高温水５２ｂを加速することで、大気圧重力仕事能力を燃焼ガスの６００００倍に近付けて噴射推進出力を発生し、噴射推進出力を（既存ロケットエンジン燃焼ガスの１０００倍大気圧重力仕事率×６０倍水質量×１／１００減少率）＝（既存ロケットエンジンの６００倍仮説噴射推進出力）に増大し、用途に合せたロケット翼３８ａを具備して発射します。
【実施例３】
【００２７】
図３の高温水ロケットエンジン合体機関２９Ｋは、既存のペットボトルロケットと各種エネルギ保存サイクル合体機関を合体して、高温水ロケットエンジン合体機関としたため、既存のロケットエンジン燃焼装置は不使用とし、熱エネルギは最高温度の高温水５２ｂとして縮径主燃焼室熱交換器２に搭載して、噴射用導水管３ｂより噴射し、縮径主燃焼室兼熱交換器１を過熱蒸気噴射ノズルの過熱蒸気溜９５ｃとして、第２温度の超臨界温度や１６０℃以上等の高温水５２ｂを搭載し、縮径主燃焼室兼熱交換器１の水蒸気出口流路５ｉと、過熱蒸気噴射ノズルより噴射して、中核技術の主要部として常時使用し、簡単ロケットの用途では限り無く簡単として、過熱蒸気噴射ノズルのみ常時使用します。
【００２８】
超臨界温度等最高温度高温水５２ｂ気化爆発力や、複数の水噴射ノズル６Ｅの各種温度の高温水５２ｂ気化爆発力により、夫々相互に霧吹きの原理を構成して高温水５２ｂを加速噴射し、高温水５２ｂ速度を水蒸気爆発速度に近付けます。宇宙往還親ロケットとして使用の場合は、宇宙往還ロケットの発射用として既存技術を全面使用し、廃棄部分を皆無として繰返し使用を可能にします。宇宙往還ロケットとして使用の場合は、大気圏帰還時に摩擦熱を発生する部分に導水管３を設けて、摩擦熱を回収して帰還時に噴射推進出力として使用します。
【００２９】
図３の高温水ロケットエンジン合体機関２９Ｋは、縮径主燃焼室兼熱交換器１の縮径主燃焼室熱交換器２に、超臨界圧力超臨界温度等の最高温度の高温水５２ｂを搭載して、その外周のロケット外箱７７ｃ容器内や縮径主燃焼室兼熱交換器１内には、用途に合せて複数の容器を含めて、容器耐圧に合せて出来るだけ高温高圧の高温水５２ｂを搭載し、縮径主燃焼室兼熱交換器１の縮径主燃焼室熱交換器２に搭載した、超臨界圧力超臨界温度等最高温度の高温水５２ｂ爆発力により、過熱蒸気噴射ノズル６Ｉ又は６Ａ又は６Ｂを駆動します。
【００３０】
そして公知のリード線や制御装置を最適結合して、用途に合わせて縮径主燃焼室兼熱交換器１出口の水蒸気出口流路５ｉを、全開の侭から用途に合せて全閉から全開まで制御可能とし、水蒸気出口流路５ｉに噴射用導水管３ｂを螺旋状や直線的に延長して、互いに霧吹きの原理を用途に合せて構成し、水蒸気爆発力５０ａや高温水５２ｂ爆発力で高温水５２ｂを噴射して、過熱蒸気噴射ノズルの水蒸気爆発力とし、霧吹きの原理により高温水５２ｂを混合噴射加速して、燃焼ガスの６０倍質量等の高温水５２ｂ速度を水蒸気爆発速度に近付け、大気圧重力仕事率を燃焼ガスの１０００倍に近付けて、大気圧重力仕事能力を燃焼ガスの６００００倍に近付けます。
【００３１】
過熱蒸気噴射ノズル６Ｉは、各種エネルギ保存サイクル合体機関の過熱蒸気噴射ノズル６Ａ（加熱高温として摩擦を低減し過熱蒸気爆発力と霧吹きの原理で高温水５２ｂを混合噴射加速）と過熱蒸気噴射ノズル６Ｂ（撥水鍍金として摩擦を低減し過熱蒸気爆発力と霧吹きの原理で高温水５２ｂを混合噴射加速）を合体して、過熱蒸気噴射ノズル６Ｉとしたため、最も高価な用途の撥水鍍金３ａと加熱高温手段１０１の併用とし、用途に合せて撥水鍍金３ａの過熱蒸気噴射ノズル６Ａや、加熱高温手段１０１の過熱蒸気噴射ノズル６Ｂを採用します。
【００３２】
過熱蒸気噴射ノズル６Ｉ又は６Ａ又は６Ｂの高温水溜５２ｂには、複数の水噴射ノズル６Ｅを既存技術により開閉制御し、ロケット外箱７７ｃの底部より高温水５２ｂを導水管３で圧入供給して、過熱蒸気噴射ノズルの最高温度高温水５２ｂ爆発力と霧吹きの原理により、複数の水噴射ノズル６Ｅの高温水５２ｂ爆発力と摩擦損失低減で、夫々相互に霧吹きの原理を併用して混合噴射加速し、水蒸気爆発速度を高温水５２ｂ速度に変換して、大気圧重力仕事率を燃焼ガスの１０００倍に近付け、燃焼ガスの６０倍水質量等の高温水５２ｂを加速することで、大気圧重力仕事能力を燃焼ガスの６００００倍に近付けて噴射推進出力を発生し、噴射推進出力を（既存ロケットエンジン燃焼ガスの１０００倍大気圧重力仕事率×６０倍水質量×１／１００減少率）＝（既存ロケットエンジンの６００倍仮説噴射推進出力）に増大し、用途に合せたロケット翼３８ａを具備して発射します。
【産業上の利用可能性】
【００３３】
大気圧重力仕事能力が燃焼ガスの６００００倍に近付き、仮説噴射推進出力を既存ロケットエンジンの６００倍に増大するため、各種宇宙往還ロケットの、各種ロケットエンジン合体機関として利用できる可能性があります。
【００３４】
大気圧重力仕事能力が燃焼ガスの６００００倍に近付き、仮説噴射推進出力を既存ロケットエンジンの６００倍に増大するため、各種宇宙往還ロケット発射用の、宇宙往還親ロケットエンジン合体機関として利用できる可能性があります。
【００３５】
大気圧重力仕事能力が燃焼ガスの６００００倍に近付き、仮説噴射推進出力を既存ロケットエンジンの６００倍に増大するため、各種人工衛星発射用の、各種ロケットエンジン合体機関として利用できる可能性があります。
【００３６】
大気圧重力仕事能力が燃焼ガスの６００００倍に近付き、仮説噴射推進出力を既存ロケットエンジンの６００倍に増大するため、各種弾道弾用の、各種ロケットエンジン合体機関として利用できる可能性があります。
【図面の簡単な説明】
【００３７】
【図１】液体燃料ロケットエンジン合体機関を示す断面図（実施例１）
【図２】固体燃料ロケットエンジン合体機関を示す断面図（実施例２）
【図３】高温水ロケットエンジン合体機関を示す断面図（実施例３）
【符号の説明】
【００３８】
１：縮径主燃焼室兼熱交換器、  １ａ：燃焼部、  ２：縮径主燃焼室熱交換器、  ２ｂ：気化熱回収器、  ３：導水管、  ３ａ：撥水鍍金、  ３ｂ：噴射用導水管、  ４：液体酸素、  ４ａ：酸化剤流路、  ４ｂ：酸化剤、  ５：液体燃料、  ５ａ：蒸気排気室、  ５ｂ：排気庇、  ５ｃ：ガス排気室、  ５ｅ：燃料流路、  ５ｆ：蒸気流路、  ５ｇ：固体燃料剤、  ５ｈ：燃焼室出口流路、  ５ｉ：水蒸気出口流路、  ６Ａ：過熱蒸気噴射ノズル（加熱高温で摩擦低減し過熱蒸気爆発力と霧吹きの原理で水を混合噴射加速）    ６Ｂ：過熱蒸気噴射ノズル（撥水鍍金で摩擦低減し過熱蒸気爆発力と霧吹きの原理で水を混合噴射加速）    ６Ｃ：燃焼ガス噴射ノズル（加熱高温で摩擦低減し燃焼ガス爆発力と霧吹きの原理で水を混合噴射加速）    ６Ｄ：燃焼ガス噴射ノズル（撥水鍍金で摩擦低減し燃焼ガス爆発力と霧吹きの原理で水を混合噴射加速）    ６Ｅ：水噴射ノズル、  ６Ｆ：不用冷却液化燃焼ガス噴射ノズル、  ６Ｇ：冷水噴射ノズル、  ６Ｈ：過熱蒸気燃焼ガス噴射ノズル（６Ａ＋６Ｂ＋６Ｃ＋６Ｄ）  ６Ｉ：過熱蒸気噴射ノズル（６Ａ＋６Ｂ）  ６Ｊ：燃焼ガス噴射ノズル（６Ｃ＋６Ｄ）  ２９Ａ：Ａ型エネルギ保存サイクル合体機関（既存往復機関をエネルギ保存サイクル機関として、はずみ車タービン駆動）  ２９Ｂ：Ｂ型エネルギ保存サイクル合体機関（ピストン側圧最低で行程をテコ式拡大のエネルギ保存サイクル機関として、はずみ車タービン駆動）  ２９Ｃ：Ｃ型エネルギ保存サイクル合体機関（ピストン側圧最低で行程をテコ式拡大対向往復運動のエネルギ保存サイクル機関として、はずみ車タービン駆動）  ２９Ｄ：Ｄ型エネルギ保存サイクル合体機関（ピストン直接クランク駆動エネルギ保存サイクル機関として、はずみ車タービン駆動）  ２９Ｅ：Ｅ型エネルギ保存サイクル合体機関（対向ピストン直接クランク駆動エネルギ保存サイクル機関として、はずみ車タービン駆動）  ２９Ｆ：Ｆ型エネルギ保存サイクル合体機関（対向ピストン直接クランク駆動外側エネルギ保存サイクル機関として、はずみ車タービン駆動）  ２９Ｇ：Ｇ型エネルギ保存サイクル合体機関（対向ピストン直接クランク駆動内側エネルギ保存サイクル機関として、はずみ車タービン駆動）  ２９Ｈ：Ｈ型エネルギ保存サイクル合体機関（ピストン直接クランク駆動片側エネルギ保存サイクル機関として、はずみ車タービン駆動）  ２９Ｉ：液体燃料ロケットエンジン合体機関、  ２９Ｊ：固体燃料ロケットエンジン合体機関、  ２９Ｋ：高温水ロケットエンジン合体機関、  ３０：断熱材、  ３８：案内具、  ３８ａ：ロケット翼、  ４９：燃焼ガス、  ４９ａ：燃焼ガス攪拌板、  ５０：過熱蒸気、  ５０ａ：飽和蒸気、  ５２：給水、  ５２ａ：水、５２ｂ：高温水、  ５２ｃ：水道水、  ５２ｄ：水道水温熱、  ５２ｅ：水道水冷熱、  ５２ｆ：凝縮水、  ５２ｇ：燃焼ガス溶解水、  ５２ｈ：冷水、  ７７：外箱、  ７７ａ：タービン外箱、  ７７ｂ：筒形外箱、  ７７ｃ：ロケット外箱、  ９５：高温水溜、  ９５ａ：燃焼ガス溜、  ９５ｂ：水溜、  ９５ｃ：過熱蒸気溜、  １０１：加熱高温手段、  １０２：着火装置、
【図１】
2005146850.tif 000003
【図２】
2005146850.tif 000004
【図３】
2005146850.tif 000005